(57)【要約】  本発明は、フィトセイウルス属の少なくとも1つのダニ種を含む捕食性ダニ個体群、及びアスティグマタ目又はフィトセイイダエ科の少なくとも1つの種を含む被食性ダニ個体群を含む飼育組成物を開示する。前記組成物の飼育方法も開示されている。
2021516994.tif 000002
【特許請求の範囲】
【請求項１】
フィトセイウルス属の少なくとも1つのダニ種を含む捕食性ダニ個体群、及びアスティグマタ（コナダニ）目の少なくとも1つのダニ種の個体を含む被食性ダニ個体群を含む飼育組成物であって、該捕食性ダニ個体群は、少なくとも２世代の産卵が可能であり、さらに、該アスティグマタ被食性ダニは、非生存ダニ、非生存卵及びそれらの組み合わせからなる群から選択される、飼育組成物。
【請求項２】
前記捕食性ダニが、前記アスティグマタ被食性ダニ個体で飼育される少なくとも１０世代の産卵が可能である、請求項１の飼育組成物。
【請求項３】
前記捕食性ダニ個体群が、繁殖率形質を欠く対照捕食性ダニ個体群と比較して、繁殖率形質の向上を示す、請求項１の飼育組成物。
【請求項４】
前記捕食性ダニ個体群が、約１．１５〜１．２の範囲の１日あたりの繁殖率を示す、請求項１の飼育組成物。
【請求項５】
前記捕食性ダニ個体群が、ベージュ−ホワイト色であることを特徴とする、請求項１の飼育組成物。
【請求項６】
真菌減少剤を含まない、請求項１の飼育組成物。
【請求項７】
前記捕食性ダニ種が、フィトセイウルス・フラガリアエ、フィトセイウルス・ロンギペス、フィトセイウルス・マクロピリス、フィトセイウルス・ペルシミリス及びフィトセイウルス・ロベルトシからなる群から選択される、請求項１の飼育組成物。
【請求項８】
前記捕食性ダニ種が、フィトセイウルス・ペルシミリスである、請求項１の飼育組成物。
【請求項９】
前記アスティグマタ目の種が、カルポグリフィダエ、ピログリフィダエ、アカリダエ及びグリシファギダエからなる群から選択される科に属する、請求項１の飼育組成物。
【請求項１０】
前記アスティグマタ目の種が、カルポグリフィダエ科、例えばカルポグリフス属、例えばカルボグリフス・ラクティス、カルボグリフス・ムンロイ、グリシファギダエ科、例えばグリシファグス属、例えばグリシファグス・ドメスティクス、レピドグリフス属、例えばレピドグリフス・デストラクター、ピログリフィダエ科、例えばデルマトファゴイデス属、例えばデルマトファゴイデス・ファリナエ、デルマトファゴイデス・プテロニシヌス、アカリダエ科、例えばチロファグス属、例えばチロファグス・プトレセンティアエの仲間を含む、請求項１の飼育組成物。
【請求項１１】
前記アスティグマタ被食性ダニ個体群が凍結形態である、請求項１の飼育組成物。
【請求項１２】
前記アスティグマタ被食性ダニ個体群は、幼ダニの非生存凍結発育期を含む混合物を含む、請求項１の飼育組成物。
【請求項１３】
フィトセイウルス属の少なくとも1つのダニ種と、Ｃ．ラクティス幼ダニの非生存凍結発育期及びおがくず又は別の担体材料を含む混合物とを含む、請求項１の飼育組成物。
【請求項１４】
Ｐ．ペルシミリスと、Ｃ．ラクティス幼ダニの非生存凍結発育期及びおがくず又は別の担体材料を含む混合物とを含む、請求項１の飼育組成物。
【請求項１５】
前記アスティグマタ被食性ダニ個体群は、非生存Ｃ．ラクティス卵を含む、請求項１の飼育組成物。
【請求項１６】
前記アスティグマタ被食性ダニ個体群は、１：１の比率（ｗ／ｗ）で非生存卵及び非生存幼ダニを含む、請求項１の飼育組成物。
【請求項１７】
おがくず、ふすま又は別の担体材料などの担体をさらに含む、請求項１の飼育組成物。
【請求項１８】
アスティグマタ目の前記ダニ種で飼育された前記捕食性ダニ個体群が、１日あたり少なくとも約１５％、特に１日あたり１５％〜２５％の範囲の平均率で繁殖する、請求項１の飼育組成物。
【請求項１９】
凍結、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせからなる群より選択される処理によってアスティグマティド個体が処理される、請求項１の飼育組成物。
【請求項２０】
Ｐ．ペルシミリスと、非生存Ｃ．ラクティス卵及びおがくず又は別の担体材料を含む混合物とを含む、請求項１の飼育組成物。
【請求項２１】
Ｐ．ペルシミリスと、非生存Ｃ．ラクティスダニ及びおがくず又は別の担体材料を含む混合物とを含む、請求項１の飼育組成物。
【請求項２２】
フィトセイウルス・ペルシミリス捕食性ダニ個体群、及び被食性ダニ個体群として死んだＣ．ラクティス個体を含み、さらに、フィトセイウルス・ペルシミリス捕食性ダニ個体群が約１．１５〜１．２の範囲の１日あたりの繁殖率を有する、請求項１の飼育組成物。
【請求項２３】
フィトセイウルス・ペルシミリス捕食性ダニ個体群、並びにカルボグリフス・ラクティス、レピドグリフス・デストラクター、グリシファグス・ドメスティクス、デルマトファゴイデス・ファリナエ及びデルマトファゴイデス・プテロニシヌスからなる群から選択されるアスティグマタ目に属する少なくとも1種の死んだ個体を含む、請求項１の飼育組成物。
【請求項２４】
前記被食性ダニ個体群がフィトセイイダエ科のダニ種をさらに含む、請求項１の飼育組成物。
【請求項２５】
フィトセイイダエ科の前記被食性ダニ種が生存していない、請求項１の飼育組成物。
【請求項２６】
作物害虫を防除することができる、請求項１の飼育組成物。
【請求項２７】
前記作物害虫が、ダニ害虫、特にナミハダニのようなダニ目テトラニキダエ科、より具体的にはハダニ種、特にテトラニクス、パノニクス及び種々の他のダニ種のような仲間から選択される、請求項２６の飼育組成物。
【請求項２８】
作物害虫の数を少なくとも５０％減少させることができる、請求項２６の飼育組成物。
【請求項２９】
作物植物上の前記捕食性ダニの制御放出のために処方された、請求項１〜２８のいずれか一項に記載の飼育組成物。
【請求項３０】
作物植物上の前記捕食性ダニの制御放出のために構成された容器に含まれる、請求項１〜２９のいずれか一項に記載の飼育組成物。
【請求項３１】
前記捕食性ダニを、約３週間の期間に、緩徐かつ継続的に前記容器から前記作物に放出することができる、請求項３０に記載の飼育組成物。
【請求項３２】
フィトセイウルス属の少なくとも１つのダニ種を含む捕食性ダニ個体群を飼育する方法であって、
（ａ）請求項１〜２４のいずれか一項に記載の組成物を提供すること、及び
（ｂ）少なくとも２世代にわたり、捕食性ダニ個体群の個体にアスティグマティド個体群の個体を捕食させること
を含む方法。
【請求項３３】
フィトセイウルス属の少なくとも１つのダニ種を含む捕食性ダニ個体群を飼育する方法であって、
（ａ）フィトセイウルス属の少なくとも１つのダニ種を含む捕食性ダニ個体群と、アスティグマタ目の少なくとも１つのダニ種の個体を含む被食性ダニ個体群とを含む組成物を提供すること、
（ｂ）少なくとも２世代にわたって捕食性ダニ個体群の個体にアスティグマティド個体群の個体を捕食させることを含み、
ここで、アスティグマタ被食性ダニは、非生存ダニ、非生存卵及びそれらの組み合わせからなる群から選択される、方法。
【請求項３４】
飼育個体群が１８〜３０℃の温度範囲、特に約２２℃で維持される、請求項３２及び３３のいずれか一項に記載の方法。
【請求項３５】
飼育個体群が７０〜９０％、特に約８５％の相対湿度に維持される、請求項３２及び３３のいずれか一項に記載の方法。
【請求項３６】
前記捕食性ダニは、前記アスティグマタ被食性個体で飼育された少なくとも２世代、好ましくは少なくとも１０世代の産卵が可能である、請求項３３に記載の方法。
【請求項３７】
前記捕食性ダニ個体群は、約１．１５〜１．２の範囲の１日あたりの繁殖率を有する、請求項３３に記載の方法。
【請求項３８】
前記組成物が真菌減少剤を含まない、請求項３３に記載の方法。
【請求項３９】
前記捕食性ダニ種が、フィトセイウルス・フラガリアエ、フィトセイウルス・ロンギペス、フィトセイウルス・マクロピリス、フィトセイウルス・ペルシミリス及びフィトセイウルス・ロベルトシからなる群から選択される、請求項３３に記載の方法。
【請求項４０】
前記捕食性ダニ種がフィトセイウルス・ペルシミリスである、請求項３３に記載の方法。
【請求項４１】
前記アスティグマタ目の種が、カルポグリフィダエ、ピログリフィダエ、アカリダエ及びグリシファギダエからなる群から選択される科に属する、請求項３３に記載の方法。
【請求項４２】
前記アスティグマタ目の種が、カルポグリフィダエ科、例えばカルポグリフス属、例えばカルボグリフス・ラクティス、カルボグリフス・ムンロイ、グリシファギダエ科、例えばグリシファグス属、例えばグリシファグス・ドメスティクス、レピドグリフス属、例えばレピドグリフス・デストラクター、ピログリフィダエ科、例えばデルマトファゴイデス属、例えばデルマトファゴイデス・ファリナエ、デルマトファゴイデス・プテロニシヌス、アカリダエ科、例えばチロファグス属、例えばチロファグス・プトレセンティアエの仲間を含む、請求項３３に記載の方法。
【請求項４３】
前記アスティグマタ被食性ダニ個体群が凍結形態である、請求項３３に記載の方法。
【請求項４４】
前記アスティグマタ被食性ダニ個体群が、幼ダニの非生存凍結発育期を含む混合物を含む、請求項３３に記載の方法。
【請求項４５】
前記組成物が、フィトセイウルス属の少なくとも１つのダニ種と、Ｃ．ラクティス幼ダニの非生存凍結発育期及びおがくず又は別の担体材料を含む混合物とを含む、請求項３３に記載の方法。
【請求項４６】
前記組成物が、Ｐ．ペルシミリスと、Ｃ．ラクティス幼ダニの非生存凍結発育期及びおがくず又は別の担体材料を含む混合物とを含む、請求項３３に記載の方法。
【請求項４７】
前記アスティグマタ被食性ダニ個体群が、非生存Ｃ．ラクティス卵を含む、請求項３３に記載の方法。
【請求項４８】
アスティグマタ被食性ダニ個体群が、１：１の比率（ｗ／ｗ）で非生存卵及び非生存幼ダニを含む、請求項３３に記載の方法。
【請求項４９】
前記組成物が、おがくず、ふすま又は別の担体材料などの担体をさらに含む、請求項３３に記載の方法。
【請求項５０】
アスティグマタ目のダニ種で飼育された前記捕食性ダニ個体群が、１日あたり少なくとも約１５％、特に１日あたり１５％〜２５％の範囲の平均率で繁殖する、請求項３３に記載の方法。
【請求項５１】
凍結、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせからなる群より選択される処理によってアスティグマティド個体が処理される、請求項３３に記載の方法。
【請求項５２】
前記組成物が、Ｐ．ペルシミリスと、非生存Ｃ．ラクティス卵及びおがくず又は別の担体材料を含む混合物とを含む、請求項３３に記載の方法。
【請求項５３】
前記組成物が、Ｐ．ペルシミリスと、非生存Ｃ．ラクティスダニ及びおがくず又は別の担体材料を含む混合物とを含む、請求項３３に記載の方法。
【請求項５４】
前記組成物が、フィトセイウルス・ペルシミリス捕食性ダニ個体群、及び被食性ダニ個体群として死んだＣ．ラクティス個体を含み、さらに、フィトセイウルス・ペルシミリス捕食性ダニ個体群が約１．１５〜１．２の範囲の１日あたりの繁殖率を有する、請求項３３に記載の方法。
【請求項５５】
前記組成物が、フィトセイウルス・ペルシミリス捕食性ダニ個体群、並びにカルボグリフス・ラクティス、レピドグリフス・デストラクター、グリシファグス・ドメスティクス、デルマトファゴイデス・ファリナエ及びデルマトファゴイデス・プテロニシヌスからなる群から選択される、アスティグマタ目に属する少なくとも1種の死んだ個体を含む、請求項３３に記載の方法。
【請求項５６】
前記被食性ダニ個体群は、さらに、フィトセイイダエ科のダニ種を含む、請求項３３に記載の方法。
【請求項５７】
フィトセイイダエ科の被食性ダニ種が生存していない、請求項５６に記載の方法。
【請求項５８】
作物害虫を防除する方法であって、請求項１〜３１のいずれか一項に記載の組成物を農作物に施用することを含む方法。
【請求項５９】
前記作物害虫が、ダニ害虫、特にナミハダニのようなダニ目テトラニキダエ科、より具体的にはハダニ種、特にテトラニクス、パノニクス及び種々の他のダニ種のような仲間の群から選択される、請求項５８に記載の方法。
【請求項６０】
作物害虫を防除するための、請求項１〜３１のいずれか一項に記載の組成物の使用。
【請求項６１】
前記作物害虫が、一連のダニ害虫、特にナミハダニのようなダニ目テトラニキダエ科、より具体的にはハダニ種、特にテトラニクス、パノニクス及び種々の他のダニ種のような仲間から選択される、請求項６０に記載の使用。
【請求項６２】
作物が、温室栽培作物、田畑作物、野菜、観賞植物、果樹、ホップ、綿及びイチゴからなる群から選択される、請求項６０に記載の使用。
【請求項６３】
作物害虫を防除するための生物的防除剤（ＢＣＡ）であって、
（ａ）請求項１〜３１のいずれか一項に記載の組成物によって飼育されたフィトセイウルス属の少なくとも１種の捕食性ダニ種、
（ｂ）任意選択的に、アスティグマタ目の少なくとも１種を含む被食性ダニ個体であって、前記アスティグマタ個体は、非生存ダニ、非生存卵及びそれらの組み合わせからなる群から選択される被食性ダニ個体及び
（ｃ）任意選択的に担体材料
の混合物を含む、生物的防除剤。
【請求項６４】
請求項１〜２９のいずれか一項に記載の組成物を収容する容器であって、作物植物に懸垂されるように構成され、約３週間の期間中に、捕食性ダニが緩徐かつ継続的に作物に放出される出口孔を含む容器。
【請求項６５】
サシェ、パケット、パウチ、ポケット、サック、ボトル及びバッグからなる群から選択される、請求項６４に記載の容器。
【請求項６６】
前記被食性ダニが、凍結形態である、請求項６４に記載の容器。
【請求項６７】
前記被食性ダニが、凍結アスティグマティドダニ卵である、請求項６４に記載の容器。
【請求項６８】
前記被食性ダニが、カルボグリフス・ラクティスの凍結卵である、請求項６４に記載の容器。
【発明の詳細な説明】
【技術分野】
【０００１】
本発明は、作物保護のための生物的防除剤の分野に関し、より具体的には、植物害虫に対する生物的防除剤を飼育するための新規な手段及び方法に関する。
【背景技術】
【０００２】
生物的防除剤（ＢＣＡ）としての節足動物（昆虫及びダニ）の使用は、化学的害虫防除を上回る多くの利点のために拡大しつつある分野である。節足動物ＢＣＡは、作物に害虫として働く他の節足動物種を自然に防除することができる。
【０００３】
フィトセイウルス（Ｐｈｙｔｏｓｅｉｕｌｕｓ）はフィトセイイダエ（Ｐｈｙｔｏｓｅｉｉｄａｅ）科のダニ属である。この捕食性ダニは、温和な環境で栽培された温室及び屋外作物において、ナミハダニ（ｔｗｏ−ｓｐｏｔｔｅｄ  ｓｐｉｄｅｒ  ｍｉｔｅ）を防除するために最も頻繁に使用される。フィトセイウルスダニは、成虫のダニを１日に最大７個、又はその卵を数十個摂食することができる。栄養状態のよい雌は、生涯で約５０個の卵を産む。フィトセイウルス属は４種の既知種、即ち、Ｐ．ペルシミリス（ｐｅｒｓｉｍｉｌｉｓ）、Ｐ．ロンギペス（ｌｏｎｇｉｐｅｓ）、Ｐ．マクロピリス（ｍａｃｒｏｐｉｌｉｓ）及びＰ．フラガリアエ（ｆｒａｇａｒｉａｅ）を含む（Ｃｈａｎｔ及びＭｃＭｕｒｔｒｙ  ２００６）。フィトセイウルス属の全ての種は、1型捕食生物であり、すなわち、ハダニ（ｓｐｉｄｅｒ  ｍｉｔｅ）、好ましくはテトラニクス（Ｔｅｔｒａｎｙｃｈｕｓ）属からなる食餌に非常に特異的であると考えられる（ＭｃＭｕｒｔｒｙ及びＣｒｏｆｔ  １９９７）。ハダニの生物的防除に本属の最も頻繁に使用される種はフィトセイウルス・ペルシミリスである。
【０００４】
フィトセイウルス・ペルシミリス（Ｐ．ペルシミリス）の成虫は明るい赤だいだい色で、長い脚及び洋ナシのような形をした体（長さ約０．５ｍｍ）を持っている。
【０００５】
Ｐ．ペルシミリスは、植食性ダニであるハダニ（テトラニキダエ（Ｔｅｔｒａｎｙｃｈｉｄａｅ科のダニ）に特化していると考えられている（Ｈｅｌｌｅ及びＳａｂｅｌｉｓ１９８５、Ｇｅｒｓｏｎら  ２００３）。Ｇｅｒｓｏｎら  ２００３は具体的に、「フィトセイウルス属の仲間は、ほとんどテトラニクス種のクモの巣状のコロニー内にのみ生息し、卵を産む」ことを示している。Ｇｅｒｓｏｎら  ２００３ではさらに、「ハダニ被食生物に対するＰ．ペルシミリスの特異性は、他の捕食生物が同じ植物に存在する場合には不利となり得る」ことが指摘されている。
【０００６】
Ｐ．ペルシミリスは、タルソネミダエ（Ｔａｒｓｏｎｅｍｉｄａｅ）科の別の植食性（植物を食べる）ダニであるステネオタルソネムス・パリドゥス（Ｓｔｅｎｅｏｔａｒｓｏｎｅｍｕｓ  ｐａｌｌｉｄｕｓ）を捕食して発育し、場合により繁殖することがわかった（Ｓｉｍｍｏｎｄｓ、Ｓ．Ｐ．、１９７０）。
【０００７】
商業的な観点からは、ハダニのような植食性ダニのみを摂食する捕食性ダニを生産することの大きな欠点は、植物上での被食性ダニの飼育を必要とすることであり、これは高額な費用がかかる。
【０００８】
Ｗａｌｚｅｒ及びＳｃｈａｕｓｂｅｒｇｅｒ、１９９９は、ハダニ以外も捕食するより万能型のネオセイウルス・カリフォルニクス（Ｎｅｏｓｅｉｕｌｕｓ  ｃａｌｉｆｏｒｎｉｃｕｓ）及びハダニに特化したフィトセイウルス・ペルシミリスの成体雌及び未成熟期の種内及び種間捕食を調べた。両捕食性ダニの成体雌及び未成熟体は、卵及び第一若虫よりも幼虫の捕食率が高いことが報告された。Ｎ．カリフォルニクスによるＰ．ペルシミリスの捕食は、その逆よりも重度であることがわかった。Ｐ．ペルシミリスは異種よりも同種で捕食率が高く、Ｎ．カリフォルニクスよりも共食いしやすいことが報告された。さらに、フィトセイイド（ｐｈｙｔｏｓｅｉｉｄ）被食生物を与えると、Ｐ．ペルシミリスはＮ．カリフォルニクスよりも高い死亡率という欠点を抱えることが報告された。
【０００９】
Ｗａｌｚｅｒ及びＳｃｈａｕｓｂｅｒｇｅｒ、１９９９はさらに、Ｐ．ペルシミリスの雌は、同種又は異種の捕食にかかわらず、産卵を維持することができなかったと教示する。さらに、Ｐ．ペルシミリス未成熟体の死亡率は、異種幼虫を摂食した場合に対して同種幼虫を摂食した場合の方が低かった。これらの著者らは、Ｐ．ペルシミリスについては、異種捕食も同種捕食も、持続的繁殖に十分な栄養を与えないと結論付けた。これはＹａｏ及びＣｈａｎｔ（１９８９）によって裏付けられており、Ｙａｏ及びＣｈａｎｔ（１９８９）はＰ．ペルシミリスは、共食いしたときにも又はイフィセイウス・デゲネランス（Ｉｐｈｙｓｅｉｕｓ  ｄｅｇｅｎｅｒａｎｓ）の未成熟体を捕食したときにも産卵しなかったと報告している。この研究では、２匹の雌のみが、同種を共食いした際に、１個の卵を産んでいた。
【００１０】
以上をまとめると、Ｐ．ペルシミリスは、フィトセイイダエ科の未熟な捕食性ダニのネオセイウルス・カリフォルニクス及びイフィセイウス・デゲネランスを捕食して発育可能であることがわかった。しかし、これらの被食性ダニを摂食する際には産卵しなかった。他方、捕食性ダニのＮ．カリフォルニクス及びＩ．デゲネランスがＰ．ペルシミリスを摂食した場合は産卵した（Ｙａｏ及びＣｈａｎｔ、１９８９）。このことは、同じ科の他のダニとは対照的に、Ｐ．ペルシミリスの食餌範囲が狭いことを示している。
【００１１】
また、Ｐ．ペルシミリスは共食いで発育し、幼年期のＰ．ペルシミリスを捕食する。このように摂食すると、産卵例は稀であった（Ｗａｌｚｅｒ及びＳｃｈａｕｓｂｅｒｇｅｒ、１９９９；Ｙａｏ及びＣｈａｎｔ、１９８９）。フィトセイイダエダニが被食生物として用いられた全ての場合において、後者は植物上で生育するハダニを与えられたため、高いコストがかかっている。
【００１２】
Ｐ．ペルシミリスはアザミウマ（植食性昆虫）の幼虫を捕食して発育することがさらにわかったが、この食餌では産卵しなかった（Ｗａｌｚｅｒ  ２００４）。このことは、この被食生物で繁殖できた捕食性ダニＮ．カリフォルニクス（ｃａｌｉｆｏｎｉｃｕｓ）とは対照的である（Ｗａｌｚｅｒ  ２００４）。この研究では、未熟体の発育中に高い死亡率が報告されたことを強調すべきである。
【００１３】
米国特許第９，７８１，９３７号及びＥＰ特許第２６１２５５１号は、メソスチグマティドダニ（Ｍｅｓｏｓｔｉｇｍａｔｉｄ）種又はプロスチグマティド（Ｐｒｏｓｔｉｇｍａｔｉｄ）ダニ種から選択される捕食性ダニ種及びアスティグマティド（Ａｓｔｉｇｍａｔｉｄ）ダニ種を含む捕食性ダニ種の食物源を含むダニ組成物を開示する。さらに、これらの刊行物には、アスティグマティド個体の少なくとも一部が固定化され、固定化されたアスティグマティド個体を、食菌性のダニ種又は抗真菌滲出物を産生するダニ種から選択される真菌減少ダニ個体群を含む真菌減少剤と接触させることが開示されている。
【００１４】
米国特許第７，９４７，２６９号は、フィトセイイド捕食性ダニ種の飼育個体群と、カルポグリフィダエ（Ｃａｒｐｏｇｌｙｐｈｉｄａｅ）科から選択された少なくとも1種を含む人工的宿主個体群を含むダニ組成物を教示する。
【００１５】
米国特許第８，０９７，２４８号は、ｉ）カルポグリフィダエ、ｉｉ）ピログリフィダエ（Ｐｙｒｏｇｌｙｐｈｉｄａｅ）、及びｉｉｉ）グリシオファギダエ（Ｇｌｙｃｉｏｐｈａｇｉｄａｅ）からなる群より選択される少なくとも1つのアスティグマティドのダニ種を含む人工的宿主個体群である、フィトセイイドダニ捕食性ダニ種アムブリセイウス・スウィルスキイ（Ａｍｂｌｙｓｅｉｕｓ  ｓｗｉｒｓｋｉｉ）の飼育個体群を含むダニ組成物を開示する。
【００１６】
米国特許第８，７３３，２８３号は、デキストロースを含む被食性ダニの食物源を提供し、前記食物源でムシクイコナダニ（Ｔｈｙｒｅｏｐｈａｇｕｓ  ｅｎｔｏｍｏｐｈａｇｕｓ）を飼育し、１：１０〜１：１００の捕食性ダニと被食性ダニの開始比率でムシクイコナダニを摂食する捕食性ダニを提供し、前記被食性ダニで捕食性ダニを飼育して繁殖個体群を作成することにより、捕食性ダニを飼育する方法を開示する。
【００１７】
ＵＳ８，７３３，２８３号及びＥＰ２０４８９４１号の特許は、フィトセイウルス・ペルシミリスはハダニの食餌でのみ飼育できることを教示する。これらは、Ｐ．ペルシミリスは絶対的なハダニ捕食性ダニであり、花粉のような代替の食物源では生存できないと報告している。これらの刊行物では、被食生物が不足している場合、生存率が低い傾向があることが強調されている。
【００１８】
ＥＰ２３８０４３６号は、フィトセイイド捕食性ダニ種の飼育個体群、及びアスティグマタ（Ａｓｔｉｇｍａｔａ）目の少なくとも1種の個体群を含み、アスティグマタ目の種の個体群が生存していないことを特徴とするダニ組成物を開示する。
【００１９】
ＷＯ２００７０７５０８１号は、フィトセイイド捕食性ダニ種の飼育個体群、及びその人工的宿主個体群を含み、人工的宿主個体群がニクダニ（Ｇｌｙｃｉｐｈａｇｉｄａｅ）科から選択された少なくとも1種を含むことを特徴とするダニ組成物を開示する。フィトセイイドダニであるフィトセイウルス・ペルシミリスに言及する場合、ハダニ（テトラニクス・ウルティカエ）（ｕｒｔｉｃａｅ）が最良の被食生物であることが示される。
【００２０】
上記の特許文献はいずれも、アスティグマタ目のダニで、重要な捕食性ダニのフィトセイウルス・ペルシミリスを、形態又は発育期を問わず、うまく飼育することを開示又は教示していない。反対に、上記の特許文献及び科学文献は全て、Ｐ．ペルシミリスが絶対的なハダニ捕食性ダニであり、代替の食物源では生存できないと報告している。したがって、昆虫学者／ダニ学者は、Ｐ．ペルシミリスを、フィトセイイダエ科又はアムブリセイイナエ（Ａｍｂｌｙｓｅｉｉｎａｅ）亜科の万能型の典型的な種として考えるのではなく、むしろ高度に特異的な種と考えるであろう。
【先行技術文献】
【特許文献】
【００２１】
【特許文献１】米国特許第９，７８１，９３７号明細書
【特許文献２】欧州特許第２６１２５５１号明細書
【特許文献３】米国特許第７，９４７，２６９号明細書
【特許文献４】米国特許第８，０９７，２４８号明細書
【特許文献５】米国特許第８，７３３，２８３号明細書
【特許文献６】欧州特許第２０４８９４１号明細書
【特許文献７】欧州特許第２３８０４３６号明細書
【特許文献８】国際公開第２００７／０７５０８１号
【非特許文献】
【００２２】
【非特許文献１】Ｃｈａｎｔ及びＭｃＭｕｒｔｒｙ  ２００６
【非特許文献２】ＭｃＭｕｒｔｒｙ及びＣｒｏｆｔ  １９９７
【非特許文献３】Ｈｅｌｌｅ及びＳａｂｅｌｉｓ  １９８５
【非特許文献４】Ｇｅｒｓｏｎら  ２００３
【非特許文献５】Ｓｉｍｍｏｎｄｓ、Ｓ．Ｐ．、１９７０
【非特許文献６】Ｗａｌｚｅｒ及びＳｃｈａｕｓｂｅｒｇｅｒ、１９９９
【非特許文献７】Ｙａｏ及びＣｈａｎｔ（１９８９）
【非特許文献８】Ｗａｌｚｅｒ  ２００４
【発明の概要】
【発明が解決しようとする課題】
【００２３】
以上のことから、作物害虫の生物的防除のためには、フィトセイウルス・ペルシミリスの効果的かつ効率的な大量飼育が長い間必要と感じられている。
【課題を解決するための手段】
【００２４】
本発明は、昆虫防除の分野に関し、より具体的には、植物害虫に対する生物的防除剤を飼育するためのシステム及び方法に関する。
【００２５】
フィトセイウルス属の少なくとも１つのダニ種を含む捕食性ダニ個体群、及びアスティグマタ目の少なくとも１つの種を含む被食性ダニ個体群を含む飼育組成物を開示することが本発明の１つの目的である。
【００２６】
フィトセイウルス属の少なくとも1つのダニ種を含む捕食性ダニ個体群、及びアスティグマタ目の少なくとも1つのダニ種の個体を含む被食性ダニ個体群を含む飼育組成物であって、該捕食性ダニ個体群は少なくとも２世代の産卵が可能であり、さらに、該アスティグマタ被食性ダニは、非生存ダニ、非生存卵及びそれらの組み合わせからなる群から選択される、飼育組成物を提供することが本発明のさらなる目的である。
【００２７】
前記捕食性ダニが、前記アスティグマタ被食性ダニ個体で飼育される少なくとも１０世代の産卵が可能である、上記のいずれかに定義される飼育組成物を開示することが本発明のさらなる目的である。
【００２８】
前記捕食性ダニ個体群が、繁殖率形質を欠く対照捕食性ダニ個体群と比較して、繁殖率形質の増加を示す、上記のいずれかに定義される飼育組成物を開示することが本発明のさらなる目的である。
【００２９】
捕食性ダニ個体群が、約１．１５〜１．２の範囲の１日あたりの繁殖率を示す、上記のいずれかに定義される飼育組成物を開示することが本発明のさらなる目的である。
【００３０】
捕食性ダニ個体群がベージュ−ホワイト色であることを特徴とする、上記のいずれかに定義される飼育組成物を開示することが本発明のさらなる目的である。
【００３１】
真菌減少剤を含まない、上記のいずれかに定義される飼育組成物を開示することが本発明のさらなる目的である。
【００３２】
捕食性ダニ種が、フィトセイウルス・フラガリアエ、フィトセイウルス・ロンギペス、フィトセイウルス・マクロピリス、フィトセイウルス・ペルシミリス及びフィトセイウルス・ロベルトシ（ｒｏｂｅｒｔｓｉ）からなる群から選択される、上記のいずれかに定義される飼育組成物を開示することが本発明のさらなる目的である。
【００３３】
捕食性ダニ種がフィトセイウルス・ペルシミリスである、上記のいずれかに定義される飼育組成物を開示することが本発明のさらなる目的である。
【００３４】
アスティグマタ目の種がカルポグリフィダエ、ピログリフィダエ、アカリダエ（Ａｃａｒｉｄａｅ）及びグリシファギダエ（Ｇｌｙｃｙｐｈａｇｉｄａｅ）からなる群から選択される科に属する、上記のいずれかに定義される飼育組成物を開示することが本発明のさらなる目的である。
【００３５】
アスティグマタ目の種が、カルポグリフィダエ科、例えばカルポグリフス（Ｃａｒｐｏｇｌｙｐｈｕｓ）属、例えばカルボグリフス・ラクティス（ｌａｃｔｉｓ）、カルボグリフス・ムンロイ（ｍｕｎｒｏｉ）、グリシファギダエ科、例えばグリシファグス（Ｇｌｙｃｙｐｈａｇｕｓ）属、例えばグリシファグス・ドメスティクス（ｄｏｍｅｓｔｉｃｕｓ）属、レピドグリフス（Ｌｅｐｉｄｏｇｌｙｐｈｕｓ）属、例えばレピドグリフス・デストラクター（ｄｅｓｔｒｕｃｔｏｒ）、ピログリフィダエ科、例えばデルマトファゴイデス（Ｄｅｒｍａｔｏｐｈａｇｏｉｄｅｓ）属、例えばデルマトファゴイデス・ファリナエ（ｆａｒｉｎａｅ）、デルマトファゴイデス・プテロニシヌス（ｐｔｅｒｏｎｉｓｉｎｕｓ）、アカリダエ科、チロファグス（Ｔｙｒｏｐｈａｇｕｓ）属、例えばチロファグス・プトレセンティアエ（ｐｕｔｒｅｓｃｅｎｔｉａｅ）の仲間を含む、上記のいずれかに定義される飼育組成物を開示することが本発明のさらなる目的である。
【００３６】
アスティグマタ被食性ダニ個体群が凍結形態である、上記のいずれかに定義される飼育組成を開示することが本発明のさらなる目的である。
【００３７】
アスティグマタ被食性ダニ個体群は、幼ダニの非生存凍結発育期を含む混合物を含む、上記のいずれかに定義される飼育組成物を開示することが本発明のさらなる目的である。
【００３８】
フィトセイウルス属の少なくとも1つのダニ種と、Ｃ．ラクティス幼ダニの非生存凍結発育期及びおがくず又は別の担体材料を含む混合物とを含む、上記のいずれかに定義される飼育組成物を開示することが本発明のさらなる目的である。
【００３９】
Ｐ．ペルシミリスと、Ｃ．ラクティス幼ダニの非生存凍結発育期及びおがくず又は別の担体材料を含む混合物とを含む、上記のいずれかに定義される飼育組成物を開示することが本発明のさらなる目的である。
【００４０】
アスティグマタ被食性ダニ個体群は、非生存Ｃ．ラクティス卵を含む、上記のいずれかに定義される飼育組成物を開示することが本発明のさらなる目的である。
【００４１】
アスティグマタ被食性ダニ個体群は、１：１の比率（ｗ／ｗ）で非生存卵及び非生存幼ダニを含む、上記のいずれかに定義される飼育組成物を開示することが本発明のさらなる目的である。
【００４２】
おがくず、ふすま又は別の担体材料などの担体をさらに含む、上記のいずれかに定義される飼育組成物を開示することが本発明のさらなる目的である。
【００４３】
アスティグマタ目のダニ種で飼育された捕食性ダニ個体群が、１日あたり少なくとも約１５％、特に１日あたり１５％〜２５％の範囲の平均率で繁殖する、上記のいずれかに定義される飼育組成物を開示することが本発明のさらなる目的である。
【００４４】
凍結、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせからなる群より選択される処理によってアスティグマティド個体が処理される、上記のいずれかに定義される飼育組成物を開示することが、本発明のさらなる目的である。
【００４５】
前記組成物がＰ．ペルシミリスと、非生存のＣ．ラクティス卵及びおがくず又は別の担体材料を含む混合物とを含む、上記のいずれかに定義される飼育組成物を開示することが、本発明のさらなる目的である。
【００４６】
前記組成物がＰ．ペルシミリスと、非生存のＣ．ラクティスダニ及びおがくず又は別の担体材料を含む混合物とを含む、上記のいずれかに定義される飼育組成物を開示することが本発明のさらなる目的である。
【００４７】
前記組成物が、フィトセイウルス・ペルシミリス捕食性ダニ個体群、及び被食性ダニ個体群として死んだＣ．ラクティス個体を含み、さらに、フィトセイウルス・ペルシミリス捕食性ダニ個体群が約１．１５〜１．２の範囲の１日あたりの繁殖率を有する、上記のいずれかに定義される飼育組成物を開示することが本発明のさらなる目的である。
【００４８】
前記組成物が、フィトセイウルス・ペルシミリス捕食性ダニ個体群と、カルボグリフス・ラクティス、レピドグリフス・デストラクター、グリシファグス（Ｇｌｙｃｉｆａｇｕｓ）・ドメスティクス、デルマトファゴイデス・ファリナエ及びデルマトファゴイデス・プテロニシヌスからなる群から選択されるアスティグマタ目に属する少なくとも1種の死んだ個体とを含む、上記のいずれかに定義される飼育組成物を開示することが本発明のさらなる目的である。
【００４９】
被食性ダニ個体群がフィトセイイダエ科のダニ種をさらに含む、上記のいずれかに定義される飼育組成物を開示することが本発明のさらなる目的である。
【００５０】
フィトセイイダエ科の被食性ダニ種が生存していない、上記のいずれかに定義される飼育組成物を開示することが本発明のさらなる目的である。
【００５１】
作物害虫を防除することができる、上記のいずれかに定義される飼育前記組成物を開示することが本発明のさらなる目的である。
【００５２】
作物害虫がダニ害虫、特にナミハダニのようなダニ目テトラニキダエ科、より具体的にはハダニ種、特にテトラニクス、パノニクス（Ｐａｎｏｎｙｃｈｕｓ）及び種々の他のダニ種のような仲間の群から選択される、上記のいずれかに定義される飼育組成物を開示することが本発明のさらなる目的である。
【００５３】
前記組成物が、作物の害虫数を少なくとも５０％減少させることができる、上記のいずれかに定義される飼育組成物を開示することが本発明のさらなる目的である。
【００５４】
作物植物に前記捕食性ダニを制御放出するために処方された上記のいずれかに定義される飼育組成物を開示することが本発明のさらなる目的である。
【００５５】
作物植物に前記捕食性ダニを制御放出するために構成された容器に含まれる、上記のいずれかに定義される飼育組成物を開示することが本発明のさらなる目的である。
【００５６】
前記捕食性ダニを、約３週間の期間に、緩徐かつ継続的に前記容器から前記作物に放出することができる、上記のいずれかに定義される飼育組成物を開示することが本発明のさらなる目的である。
【００５７】
フィトセイウルス属の少なくとも１つのダニ種を含む捕食性ダニ個体群を飼育する方法であって、（ａ）請求項１〜２４のいずれか一項に記載の組成物を提供すること、及び（ｂ）少なくとも２世代にわたり、捕食性ダニ個体群の個体がアスティグマティド個体群の個体を捕食させることを含む方法を開示することが本発明のさらなる目的である。
【００５８】
フィトセイウルス属の少なくとも１つのダニ種を含む捕食性ダニ個体群を飼育する方法であって、（ａ）フィトセイウルス属の少なくとも１つのダニ種を含む捕食性ダニ個体群と、アスティグマタ目の少なくとも１つのダニ種の個体を含む被食性ダニ個体群とを含む組成物を提供すること、（ｂ）少なくとも２世代にわたって捕食性ダニ個体群の個体がアスティグマティド個体群の個体を捕食させることを含み、ここで、アスティグマタ被食性ダニは、非生存ダニ、非生存卵及びそれらの組み合わせからなる群から選択される方法を開示することが本発明のさらなる目的である。
【００５９】
飼育個体群が１８〜３０℃の温度範囲、特に約２２℃で維持される、上記のいずれかに定義される方法を開示することが本発明のさらなる目的である。
【００６０】
飼育個体群が７０〜９０％、特に約８５％の相対湿度に維持される、上記のいずれかに定義される方法を開示することが本発明のさらなる目的である。
【００６１】
前記捕食性ダニは、前記アスティグマタ被食性ダニ個体で飼育される少なくとも２世代、好ましくは少なくとも１０世代の産卵が可能である、上記のいずれかに定義される方法を開示することが本発明のさらなる目的である。
【００６２】
前記捕食性ダニ個体群は、約１．１５〜１．２の範囲の１日あたりの繁殖率を有する、上記のいずれかに定義される方法を開示することが本発明のさらなる目的である。
【００６３】
捕食性ダニ個体群がベージュ−ホワイト色で特徴付けられる、上記のいずれかに定義される方法を開示することが本発明のさらなる目的である。
【００６４】
前記組成物が真菌減少剤を含まない、上記のいずれかに定義される方法を開示することが本発明のさらなる目的である。
【００６５】
捕食性ダニ種が、フィトセイウルス・フラガリアエ、フィトセイウルス・ロンギペス、フィトセイウルス・マクロピリス、フィトセイウルス・ペルシミリス及びフィトセイウルス・ロベルトシからなる群から選択される、上記のいずれかに定義される方法を開示することが本発明のさらなる目的である。
【００６６】
捕食性ダニ種がフィトセイウルス・ペルシミリスである、上記のいずれかに定義される方法を開示することが本発明のさらなる目的である。
【００６７】
アスティグマタ目の種が、カルポグリフィダエ、ピログリフィダエ、アカリダエ及びグリシファギダエからなる群から選択される科に属する、上記のいずれかに定義される方法を開示することが本発明のさらなる目的である。
【００６８】
アスティグマタ目の種が、カルポグリフィダエ科、例えばカルポグリフス属、例えばカルボグリフス・ラクティス、カルボグリフス・ムンロイ、グリシファギダエ科、例えばグリシファグス属、例えばグリシファグス・ドメスティクス、レピドグリフス属、例えばレピドグリフス・デストラクター、ピログリフィダエ科、例えばデルマトファゴイデス属、例えばデルマトファゴイデス・ファリナエ、デルマトファゴイデス・プテロニシヌス、アカリダエ科、チロファグス属、例えばチロファグス・プトレセンティアエの仲間を含む、上記のいずれかに定義される方法を開示することが本発明のさらなる目的である。
【００６９】
前記アスティグマタ被食性ダニ個体群が凍結形態である、上記のいずれかに定義される方法を開示することが本発明のさらなる目的である。
【００７０】
前記アスティグマタ被食性ダニ個体群が、幼ダニの非生存凍結発育期を含む混合物を含む、上記のいずれかに定義される方法を開示することが本発明のさらなる目的である。
【００７１】
前記組成物が、フィトセイウルス属の少なくとも１つのダニ種と、Ｃ．ラクティス幼ダニの非生存凍結発育期及びおがくず又は別の担体材料を含む混合物とを含む、上記のいずれかに定義される方法を開示することが本発明のさらなる目的である。
【００７２】
前記組成物がＰ．ペルシミリスと、Ｃ．ラクティス幼ダニの非生存凍結発育期及びおがくず又は別の担体材料を含む混合物とを含む、上記のいずれかに定義される方法を開示することが本発明のさらなる目的である。
【００７３】
前記アスティグマタ被食性ダニ個体群が非生存Ｃ．ラクティス卵を含む、上記のいずれかに定義される方法を開示することが本発明のさらなる目的である。
【００７４】
アスティグマタ被食性ダニ個体群が、１：１の比率（ｗ／ｗ）で非生存卵及び非生存幼ダニを含む、上記のいずれかに定義される方法を開示することが本発明のさらなる目的である。
【００７５】
前記組成物が、おがくず、ふすま又は別の担体材料などの担体をさらに含む、上記のいずれかに定義される方法を開示することが本発明のさらなる目的である。
【００７６】
アスティグマタ目のダニ種で飼育された前記捕食性ダニ個体群が、１日あたり少なくとも約１５％、特に１日あたり１５％〜２５％の範囲の平均率で繁殖する、上記のいずれかに定義される方法を開示することが本発明のさらなる目的である。
【００７７】
凍結、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせからなる群より選択される処理によってアスティグマティド個体が処理される、上記のいずれかに定義される方法を開示することが本発明のさらなる目的である。
【００７８】
前記組成物がＰ．ペルシミリスと、非生存Ｃ．ラクティス卵及びおがくず又は別の担体材料を含む混合物とを含む、上記のいずれかに定義される方法を開示することが本発明のさらなる目的である。
【００７９】
前記組成物がＰ．ペルシミリスと、非生存Ｃ．ラクティスダニ及びおがくず又は別の担体材料を含む混合物とを含む、上記のいずれかに定義される方法を開示することが本発明のさらなる目的である。
【００８０】
前記組成物が、フィトセイウルス・ペルシミリス捕食性ダニ個体群、及び被食性ダニ個体群として死んだＣ．ラクティス個体を含み、さらに、フィトセイウルス・ペルシミリス捕食性ダニ個体群が約１．１５〜１．２の範囲の１日あたりの繁殖率を有する、上記のいずれかに定義される方法を開示することが本発明のさらなる目的である。
【００８１】
前記組成物が、フィトセイウルス・ペルシミリス捕食性ダニ個体群、及びカルボグリフス・ラクティス、レピドグリフス・デストラクター、グリシファグス・ドメスティクス、デルマトファゴイデス・ファリナエ及びデルマトファゴイデス・プテロニシヌスからなる群から選択される、アスティグマタ目に属する少なくとも1種の死んだ個体を含む、上記のいずれかに定義される方法を開示することが本発明のさらなる目的である。
【００８２】
前記被食性ダニ個体群は、さらに、フィトセイイダエ科のダニ種を含む、上記のいずれかに定義される方法を開示することが本発明のさらなる目的である。
【００８３】
フィトセイイダエ科の被食性ダニ種が生存していない、上記のいずれかに定義される方法を開示することが本発明のさらなる目的である。
【００８４】
作物害虫を防除する方法を開示することが本発明のさらなる目的であり、この方法は、上記のいずれかに定義される組成物を農作物に施用することを含む。
【００８５】
作物害虫がダニ害虫、特にナミハダニのようなダニ目テトラニキダエ科、より具体的にはハダニ種、特にテトラニクス、パノニクス及び種々の他のダニ種のような仲間の群から選択される、上記のいずれかに定義される方法を開示することが本発明のさらなる目的である。
【００８６】
作物害虫を防除するための上記のいずれかに定義される組成物の使用を開示することが本発明のさらなる目的である。
【００８７】
作物害虫が一連のダニ害虫、特にナミハダニのようなダニ目テトラニキダエ科、より具体的にはハダニ種、特にテトラニクス、パノニクス及び種々の他のダニ種のような仲間から選択される、上記のいずれかに定義される使用を開示することが本発明のさらなる目的である。
【００８８】
作物が、温室栽培作物、田畑作物、野菜、観賞植物、果樹、ホップ、綿及びイチゴからなる群から選択される、上記のいずれかに定義される使用を開示することが本発明のさらなる目的である。
【００８９】
（ａ）請求項１〜３１のいずれか一項に記載の組成物によって飼育されたフィトセイウルス属の少なくとも１種の捕食性ダニ種、（ｂ）任意選択的に、アスティグマタ目の少なくとも１種を含む被食性ダニ個体（前記アスティグマタ個体は、非生存ダニ、非生存卵及びそれらの組み合わせからなる群から選択される）及び（ｃ）任意選択的に担体材料の混合物を含む、作物害虫を防除するための生物的防除剤（ＢＣＡ）を開示することが本発明のさらなる目的である。
【００９０】
捕食性ダニ個体群はベージュ−ホワイト色で特徴付けられる、上記のいずれかに定義されるＢＣＡを開示することが本発明のさらなる目的である。
【００９１】
請求項１〜２９のいずれか一項に記載の組成物を収容する容器であって、作物植物に懸垂されるように構成され、約３週間の期間中に、捕食性ダニが緩徐かつ継続的に作物に放出される出口孔を含む容器を開示することが本発明のさらなる目的である。
【００９２】
サシェ、パケット、パウチ、ポケット、サック、ボトル及びバッグからなる群から選択される、上記のいずれかに定義される容器を開示することが本発明のさらなる目的である。
【００９３】
被食性ダニが凍結形態である、上記のいずれかに定義される容器を開示することが本発明のさらなる目的である。
【００９４】
被食性ダニが凍結アスティグマティドダニ卵である、上記のいずれかに定義される容器を開示することが本発明のさらなる目的である。
【００９５】
被食性ダニがカルボグリフス・ラクティスの凍結卵である、上記のいずれかに定義される容器を開示することが本発明のさらなる目的である。
【００９６】
アスティグマタ被食性ダニ個体群の少なくとも一部が固定化されている、上記のいずれかに定義される飼育組成物を開示することが本発明のさらなる目的である。
【００９７】
アスティグマタ被食性ダニ個体群が固定化されている、上記のいずれかに定義される飼育組成物を開示することが本発明のさらなる目的である。
【００９８】
アスティグマタ被食性ダニ個体群は、死んだ卵及び少なくとも部分的に固定化されたダニを含む、上記のいずれかに定義される飼育組成物を開示することが本発明のさらなる目的である。
【００９９】
アスティグマタ被食性ダニ個体群は卵及び死んだダニを含む、上記のいずれかに定義される飼育組成物を開示することが本発明のさらなる目的である。
【０１００】
アスティグマタ被食性ダニ個体群は、１：１の比率（ｗ／ｗ）で卵及び固定化された幼ダニを含む、上記のいずれかに定義される飼育組成物を開示することが本発明のさらなる目的である。
【０１０１】
凍結、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせからなる群より選択される固定化処理によってダニが固定化される、上記のいずれかに定義される飼育組成物を開示することが本発明のさらなる目的である。
【０１０２】
組成物がＰ．ペルシミリスと、固定化されたＣ．ラクティス及びおがくず又は別の担体材料を含む混合物とを含む、上記のいずれかに定義される飼育組成物を開示することが本発明のさらなる目的である。
【０１０３】
固定化されたＣ．ラクティスダニが死んだダニである、上記のいずれかに定義される飼育組成物を開示することが本発明のさらなる目的である。
【０１０４】
フィトセイウルス・ペルシミリス捕食性ダニ個体群、及び被食性ダニ個体群として死んだＣ．ラクティス個体を含み、さらに、フィトセイウルス・ペルシミリス捕食性ダニ個体群が少なくとも２世代、好ましくは少なくとも１０世代の産卵が可能である、上記のいずれかに定義される飼育組成物を開示することが本発明のさらなる目的である。
【０１０５】
フィトセイウルス・ペルシミリス捕食性ダニ個体群と、カルボグリフス・ラクティス、レピドグリフス・デストラクター、グリシファグス・ドメスティクス、デルマトファゴイデス・ファリナエ及びデルマトファゴイデス・プテロニシヌスからなる群から選択される、アスティグマタ目に属する少なくとも１種の死んだ個体を含む、上記のいずれかに定義される飼育組成物を開示することが本発明のさらなる目的である。
【０１０６】
被食性ダニ個体群はさらに、フィトセイイダエ科のダニ種を含む、上記のいずれかに定義される飼育組成物を開示することが本発明のさらなる目的である。
【０１０７】
フィトセイイダエ被食性ダニ種はアムブリセイウス属のもの、例えばアムブリセイウス・スウィルスキイである、上記のいずれかに定義される飼育組成物を開示することが本発明のさらなる目的である。
【０１０８】
被食性ダニ種がアムブリセイウス・スウィルスキイである、上記のいずれかに定義される飼育組成物を開示することが本発明のさらなる目的である。
【０１０９】
フィトセイウルス・ペルシミリス捕食性ダニ個体群及びアムブリセイウス・スウィルスキイダニ種を含む被食性ダニ個体群を含む、上記のいずれかに定義される飼育組成物を開示することが本発明のさらなる目的である。
【０１１０】
アムブリセイウス・スウィルスキイダニが少なくとも部分的に固定化されている、上記のいずれかに定義される飼育組成物を開示することが本発明のさらなる目的である。
【０１１１】
フィトセイウルス属の少なくとも１つのダニ種を含む捕食性ダニ個体群、及びフィトセイイダエ科の少なくとも1つの種を含む被食性ダニ個体群を含む飼育組成物を開示することが本発明のさらなる目的である。
【０１１２】
被食性ダニ種がアムブリセイウス属のもの、例えばアムブリセイウス・スウィルスキイである、上記のいずれかに定義される飼育組成物を開示することが本発明のさらなる目的である。
【０１１３】
被食性ダニが固定化されている、上記のいずれかに定義される飼育組成物を開示することが本発明のさらなる目的である。
【０１１４】
アスティグマタ被食性ダニ個体群の少なくとも一部が固定化されている、上記のいずれかに定義される方法を開示することが本発明のさらなる目的である。
【０１１５】
アスティグマタ被食性ダニ個体群が固定化されている、上記のいずれかに定義される方法を開示することが本発明のさらなる目的である。
【０１１６】
アスティグマタ被食性ダニ個体群が、幼ダニの死んだ凍結発育期を含む混合物を含む、上記のいずれかに定義される方法を開示することが本発明のさらなる目的である。
【０１１７】
組成物がＰ．ペルシミリスと、Ｃ．ラクティス幼ダニの死んだ凍結発育期及びおがくず又は別の担体材料を含む混合物とを含む、上記のいずれかに定義される方法を開示することが本発明のさらなる目的である。
【０１１８】
アスティグマタ被食性ダニ個体群が卵及び少なくとも部分的に固定化されたダニを含む、上記のいずれかに定義される方法を開示することが本発明のさらなる目的である。
【０１１９】
アスティグマタ被食性ダニ個体群が卵及び死んだダニを含む、上記のいずれかに定義される方法を開示することが本発明のさらなる目的である。
【０１２０】
アスティグマタ被食性ダニ個体群が、１：１の比率（ｗ／ｗ）で卵及び固定化された幼ダニを含む、上記のいずれかに定義される方法を開示することが本発明のさらなる目的である。
【０１２１】
凍結、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせからなる群より選択される固定化処理によってダニが固定化される、上記のいずれかに定義される方法を開示するのが本発明のさらなる目的である。
【０１２２】
組成物がＰ．ペルシミリスと、固定化されたＣ．ラクティス及びおがくず又は別の担体材料を含む混合物とを含む、上記のいずれかに定義される方法を開示することが本発明のさらなる目的である。
【０１２３】
固定化されたＣ．ラクティスダニが死んだダニである、上記のいずれかに定義される方法を開示することが本発明のさらなる目的である。
【０１２４】
組成物が、フィトセイウルス・ペルシミリス捕食性ダニ個体群、及び被食性ダニ個体群として死んだＣ．ラクティス個体を含み、さらに、フィトセイウルス・ペルシミリス捕食性ダニ個体群が少なくとも２世代、好ましくは少なくとも１０世代の産卵が可能である、上記のいずれかに定義される方法を開示することが本発明のさらなる目的である。
【０１２５】
組成物が、フィトセイウルス・ペルシミリス捕食性ダニ個体群、並びにカルボグリフス・ラクティス、レピドグリフス・デストラクター、グリシファグス・ドメスティクス、デルマトファゴイデス・ファリナエ及びデルマトファゴイデス・プテロニシヌスからなる群から選択されるアスティグマタ目に属する少なくとも１種の死んだ個体を含む、上記のいずれかに定義される方法を開示することが本発明のさらなる目的である。
【０１２６】
被食性ダニ個体群がさらに、フィトセイイダエ科のダニ種を含む、上記のいずれかに定義される方法を開示することが本発明のさらなる目的である。
【０１２７】
被食性ダニ種がアムブリセイウス属のもの、例えばアムブリセイウス・スウィルスキイである、上記のいずれかに定義される方法を開示することが本発明のさらなる目的である。
【０１２８】
被食性ダニ種がアムブリセイウス・スウィルスキイである、上記のいずれかに定義される方法を開示することが本発明のさらなる目的である。
【０１２９】
組成物が、フィトセイウルス ペルシミリス捕食性ダニ個体群及びアムブリセイウス・スウィルスキイダニ種を含む被食性ダニ個体群を含む、上記のいずれかに定義される方法を開示することが本発明のさらなる目的である。
【０１３０】
アムブリセイウス・スウィルスキイダニが少なくとも部分的に固定化されている、上記のいずれかに定義される方法を開示することが本発明のさらなる目的である。
【０１３１】
フィトセイウルス属の少なくとも１つのダニ種を含む捕食性ダニ個体群を飼育する方法であって、（ａ）請求項２６に記載の組成物を提供すること、及び（ｂ）捕食性ダニ個体群の個体がフィトセイイダエ科個体群の個体を捕食させることを含む方法を開示することが本発明のさらなる目的である。
【０１３２】
捕食性ダニ種が、フィトセイウルス・フラガリアエ、フィトセイウルス・ロンギペス、フィトセイウルス・マクロピリス、フィトセイウルス・ペルシミリス及びフィトセイウルス・ロベルトシからなる群から選択される、上記に定義される方法を開示することが本発明のさらなる目的である。
【０１３３】
捕食性ダニ種がフィトセイウルス・ペルシミリスである、上記のいずれかに定義される方法を開示することが本発明のさらなる目的である。
【０１３４】
被食性ダニ種がアムブリセイウス属のもの、例えばアムブリセイウス・スウィルスキイである、上記のいずれかに定義される方法を開示することが本発明のさらなる目的である。
【０１３５】
被食性ダニが固定化されている、上記のいずれかに定義される方法を開示することが本発明のさらなる目的である。
【０１３６】
（ａ）上記のいずれかに定義される組成物によって飼育されるフィトセイウルス・ペルシミリス捕食性ダニ個体、（ｂ）アスティグマタ目の少なくとも１種を含む被食性ダニ個体、及び（ｃ）任意選択的に担体材料の混合物を含む、作物害虫を防除するための生物的防除製品を開示することが本発明のさらなる目的である。
【０１３７】
アスティグマタ目の種が、カルポグリフィダエ科、例えばカルポグリフス属、例えばカルボグリフス・ラクティス、カルボグリフス・ムンロイ、グリシファギダエ科、例えばグリシファグス属、例えばグリシファグス・ドメスティクス、レピドグリフス属、例えばレピドグリフス・デストラクター、ピログリフィダエ科、例えばデルマトファゴイデス属、例えばデルマトファゴイデス・ファリナエ、デルマトファゴイデス・プテロニシヌス、アカリダエ科、チロファグス属、例えばチロファグス・プトレセンティアエの仲間を含む、上記のいずれかに定義される生物的防除製品を開示することが本発明のさらなる目的である。
【０１３８】
（ａ）上記のいずれかに定義される組成物によって飼育されるフィトセイウルス・ペルシミリス捕食性ダニ個体、（ｂ）フィトセイイダエ科の少なくとも１種を含む被食性ダニ個体、及び（ｃ）任意選択的に担体材料の混合物を含む、作物害虫を防除するための生物的防除製品を開示することが本発明のさらなる目的である。
【０１３９】
上記のいずれかに定義される組成物によって飼育されたフィトセイウルス属の捕食性ダニ個体を含む作物害虫を防除するための生物的防除製品を開示することが本発明のさらなる目的である。
【０１４０】
作物植物に捕食性ダニを制御放出するために処方された、上記のいずれかに定義される組成物を開示することが本発明のさらなる目的である。
【０１４１】
上記のいずれかに定義される組成物を収容する容器であって、作物植物に懸垂されるように構成、捕食性ダニが約３週間の期間中に作物に緩徐かつ継続的に放出される出口孔を含む容器を開示することが本発明のさらなる目的である。
【０１４２】
サシェ、パケット、パウチ、ポケット、サック及びバッグからなる群から選択される、上記のいずれかに定義される容器を開示することが本発明のさらなる目的である。
【０１４３】
被食性ダニが凍結アスティグマティドダニ卵である、上記のいずれかに定義される容器を開示することが本発明のさらなる目的である。
【０１４４】
被食性ダニがカルボグリフス・ラクティスの凍結卵である、上記のいずれかに定義される容器を開示することが本発明のさらなる目的である。
【０１４５】
本発明を理解し、本発明が実際に実施され得る方法を理解するために、複数の実施形態が、添付の図を参照して、非限定的な例としてのみ記載されるように適合される。
【図面の簡単な説明】
【０１４６】
【図１】死んだ又は固定化されたカルボグリフス・ラクティス（Ｃ．ラクティス）ダニで飼育されたＰ．ペルシミリスの異なる発育期の写真図である。
【図２】本発明の実施形態として、死亡又は固定化されたカルボグリフス・ラクティス（Ｃ．ラクティス）ダニで飼育されたＰ．ペルシミリスの写真図である。
【図３】１４週間の間に死んだＣ．ラクティス卵及び死んだ可動期の混合物を摂食したＰ．ペルシミリス個体群の１日あたり繁殖率を記述するグラフ表示である。
【図４】Ｐ．ペルシミリスの摂食兆候を示す割合をその体の形及び色で表したグラフ表示である。
【図５】実験開始からの日数の関数としてのダニ放出率をグラフで示す。
【図６】被食性ダニとしてのＣ．ラクティスで飼育されたＰ．ペルシミリス個体群源（Ｐ＋及びＰ−）の１日あたりの繁殖率の相違をグラフで示し、Ｐ＋個体群は、被食性ダニとしてのＣ．ラクティスに対する適応の改善のために繁殖及び選択され、Ｐ−個体群は、市販の対照Ｐ．ペルシミリス個体群である。
【図７】対照植物と比較して、本発明の緩徐放出系に曝露された植物のＰ．ペルシミリス（Ｐｐ）及びハダニ数をグラフで示す。
【発明を実施するための形態】
【０１４７】
ナミハダニ、テトラニクス・ウルティカエ・コック（Ｋｏｃｈ）は、温室で栽培される観賞植物及び野菜作物の主要なハダニ害虫である。さらに、このどこにでもいるハダニは、家庭景観における多数の観賞植物の深刻な害虫であり、世界中の食物及び繊維作物の害虫としてかなり重要である（ｖａｎ  ｄｅ  Ｖｒｉｅ  ｅｔ  ａｌ．、１９７２）。捕食性のフィトセイイドダニであるフィトセイウルス・ペルシミリスは、田畑作物と同様に温室でナミハダニを防除するために用いられる主要な種である。
【０１４８】
フィトセイウルス・ペルシミリスは、ハダニの食餌に特化した捕食性ダニである。ハダニは菜食性ダニ（植食性ダニ）であるため、植物上での飼育が必要であり、これは複雑な作業及び高い飼育費を伴うため望ましくない。
【０１４９】
本発明は、フィトセイウルス属のＰ．ペルシミリス及び他のダニ種を飼育するための初めての代替方法を提供する。本発明は、従来の考えに反して、フィトセイウルス属のダニ種、例えばＰ．ペルシミリスは、その食餌範囲を広げることができ、また、他の被食性ダニで飼育することができ、それは、このダニを生産することがより安価であり、したがってはるかに望ましいことを示す。代替の被食性ダニはほとんどがアスティグマティック（Ａｓｔｉｇｍａｔｉｃ）ダニであり、貯蔵された製品を食べるため、これを生産することはかなり安価である。
【０１５０】
一実施形態によれば、本発明は、フィトセイウルス・ペルシミリスのようなフィトセイウルス属のダニ種の代替餌として、カルボグリフス・ラクティス（Ｃｌ）又は他のアスティグマティックダニのダニ（特に死んだダニ）を使用するシステム及び方法を提供する。
【０１５１】
本発明により、フィトセイウルス属、特にフィトセイウルス・ペルシミリスのダニ種は、アスティグマタ目（アラクニダ（Ａｒａｃｈｎｉｄａ）網内）に属する死んだダニを摂食すると、その生涯過程を完了し、繁殖できることが示される。
【０１５２】
本発明は、フィトセイウルス属、例えばフィトセイウルス・ペルシミリスのダニ種を、アスティグマティックダニを含む食餌で生産するためのシステムを開発することを目的とする。このシステムは以下の構成要素をベースとする。
１．  捕食性ダニ、特にフィトセイウルス・ペルシミリスと、より一般的にはフィトセイウルス属のダニ、
２．  被食性ダニ種、場合によりカルボグリフス・ラクティス、グリシファグス・ドメスティクス、レピドグリフス・デストラクター、デルマトファゴイデス・ファリナエ、デルマトファゴイデス・プテロニシヌス若しくは他のアスティグマティックダニ、又はアムブリセイウス・スウィルスキイのような他のダニ種、
３．  飼育システム−飼育媒体を含み、被食性ダニが捕食性ダニに与えられる方法、被食性ダニの発育期及び他の要因を含む、ダニが飼育される具体的な構成
【０１５３】
以下の飼育方法は本発明の範囲内である。
１．  捕食性ダニは生きている被食性ダニの混合物で飼育される。
２．  捕食性ダニは、凍結又は照射などの他の手段によって、固定化された被食性ダニの混合物を受け取る。
３．  ある発育期の被食性ダニは、被食性ダニの個体群から抜き取られ、その後食餌として生きたままのもの又は死んだものが捕食性ダニに供された。
【０１５４】
上記の任意選択の飼育方法の全てにおいて、被食性ダニは、上記のアスティグマティックダニ、又は他の種のいずれかであり得ることが注目される。
【０１５５】
最終生物的防除製品に関して、以下は本発明の範囲内である。
１．  捕食性ダニ及び被食性ダニの両方、又は捕食性ダニ及び捕食性ダニの餌に使われる被食性ダニの特定の段階を含む混合物、
２．  さらなる選択肢は捕食性ダニのみを抜き取ることであり、その結果、最終製品は捕食性ダニのみを含むことになる。
【０１５６】
一実施形態によれば、本発明は、フィトセイウルス属の少なくとも１つのダニ種を含む捕食性ダニ個体群と、アスティグマタ目の少なくとも１つのダニ種の個体を含む被食性ダニ個体群とを含む飼育組成物を提供し、前記捕食性ダニ個体群は少なくとも２世代の産卵が可能であり、さらに、前記アスティグマタ被食性ダニは、非生存ダニ、非生存卵及びそれらの組み合わせからなる群から選択される。
【０１５７】
捕食性ダニは少なくとも１０世代の産卵が可能であり、より好ましくは、被食性ダニとしてアスティグマタ個体を有することは本発明の範囲内である。
【０１５８】
さらに、捕食性ダニ個体群が、繁殖率形質を欠いた同種の対照捕食性ダニ個体群と比較して、繁殖率形質の向上を示すことは、範囲内である。
【０１５９】
本発明の捕食性ダニ個体群が約１．１５〜１．２の範囲の１日あたりの繁殖率を示すことはさらに範囲内である。
【０１６０】
さらに、捕食性ダニ個体群は、前記フィトセイウルス捕食性ダニが、前記アスティグマタ被食性ダニを食物源として飼育された場合に、ベージュ−ホワイト色によって特徴付けられることは、本発明の範囲内である。
【０１６１】
捕食性ダニは、ハダニ（本発明の場合、通常のオレンジの代わりに白いダニ）で飼育されたＰ．ペルシミリスダニを含む一般的な製品とは異なる外観を有するであろうことは、本発明の範囲内である。
【０１６２】
さらなる実施形態によれば、本発明は、Ｐ．ペルシミリスの個体群が、死んだカルボグリフス・ラクティスで、少なくとも６カ月間（約２５世代）にわたり順調に発育し、繁殖したことを初めて示す。
【０１６３】
Ｐ．ペルシミリスは、ここでは驚くべきことに、非植食性被食性ダニ（生きている植物を摂食する必要のない被食性ダニ）、又は植食性ダニを消費しない被食性ダニのいずれかでその生涯過程を完了し、繁殖すると報告されていることが強調される。
【０１６４】
本発明は、フィトセイウルス・ペルシミリス飼育ダニ個体群、及びアスティグマタ目又はフィトセイイダエ科の少なくとも１種を含む人工的宿主ダニ個体群を含むダニ組成物を提供する。これまで、重要な捕食性ダニであるフィトセイウルス・ペルシミリスのようなフィトセイウルス属のダニ種を、高額の費用及び資源（温室条件下で十分な量の適切な植物を提供するなど）に関係する天然の植食性ダニ餌で飼育した。
【０１６５】
本発明は、非植食性代替食餌で費用効果の高い効率的な方法で飼育することによって、ハダニを防除する主な捕食性ダニであるフィトセイウルス・ペルシミリスを飼育するという重要な課題を解決する。
【０１６６】
したがって、本発明は、フィトセイウルス属のダニ種、例えばフィトセイウルス・ペルシミリス捕食性ダニ種の飼育個体群、アスティグマタ目又はフィトセイイダエ科の少なくとも１種の個体群、及び任意選択的に担体を含むダニ組成物を提供する。
【０１６７】
一実施形態によれば、本発明は、フィトセイウルス属の少なくとも１つのダニ種を含む捕食性ダニ個体群、及びアスティグマタ目の少なくとも１種を含む被食性ダニ個体群を含む飼育組成物を提供する。
【０１６８】
さらなる実施形態によれば、本発明は、フィトセイウルス属の少なくとも１つのダニ種を含む捕食性ダニ個体群を飼育する方法であって、（ａ）フィトセイウルス属の少なくとも１つのダニ種を含む捕食性ダニ個体群、及びアスティグマタ目の少なくとも１種を含む被食性ダニ個体群を含む組成物を提供すること、及び（ｂ）捕食性ダニ個体群の個体がアスティグマティド個体群の個体を捕食させることを含む方法を提供する。
【０１６９】
さらなる実施形態によれば、本発明は、フィトセイウルス属の少なくとも１つのダニ種を含む捕食性ダニ個体群、及びフィトセイイダエ科の少なくとも１種を含む被食性ダニ個体群を含む飼育組成物を提供する。
【０１７０】
さらなる実施形態によれば、本発明は、フィトセイウルス属の少なくとも１つのダニ種を含む捕食性ダニ個体群を飼育する方法であって、（ａ）フィトセイウルス属の少なくとも１つのダニ種を含む捕食性ダニ個体群、及びフィトセイイダエ科の少なくとも１種を含む被食性ダニ個体群を含む組成物を提供すること、及び（ｂ）捕食性ダニ個体群の個体がフィトセイイダエ科個体群の個体を捕食させることを含む方法を提供する。
【０１７１】
いくつかの実施形態において、被食性ダニ個体群、すなわち、アスティグマタ目の種又はフィトセイイダエ科の種は、固定化されており、及び／又は生きていない。
【０１７２】
さらに、フィトセイウルス・ペルシミリス捕食性ダニは、前述のアスティグマタ個体群を摂食して、少なくとも２世代、好ましくは少なくとも１０世代、より好ましくは少なくとも１５世代以上繁殖することができることが、範囲内である。
【０１７３】
本発明の組成物は、これまでの組合せを上回るかなりの数の利点を提供する。一態様では、捕食性ダニの生産中に被食性ダニに餌を与えるために使用される食物材料は、もはや植物又は植食性ダニではなくなるが、貯蔵された製品に生息するダニであるため、かなりのコストの節約がもたらされる。
【０１７４】
別の態様では、本発明は、フィトセイウルス属の少なくとも１つのダニ種を含む捕食性ダニ個体群、及びフィトセイイダエ科の少なくとも１種を含む被食性ダニ個体群を含む飼育組成物を提供する。
【０１７５】
本発明のいくつかのさらなる実施形態によれば、捕食性ダニ種は、フィトセイウルス・フラガリアエ、フィトセイウルス・ロンギペス、フィトセイウルス・マクロピリス、フィトセイウルス・ペルシミリス及びフィトセイウルス・ロベルトシからなる群から選択される。
【０１７６】
本発明のさらなる実施形態によれば、捕食性ダニ種はフィトセイウルス・ペルシミリスである。
【０１７７】
本発明のさらに別の実施形態によれば、被食性ダニ種はアムブリセイウス属、例えばアムブリセイウス・スウィルスキイである。
【０１７８】
本発明のさらなる実施形態によれば、飼育組成物は、固定化された被食性ダニを含む。
【０１７９】
本発明のさらなる態様によれば、被食性ダニは、固定化されるか、又は死んだダニである。
【０１８０】
さらなる態様によれば、本発明は、作物害虫を防除するための方法を提供し、この方法は、上記のいずれかに定義される組成物を農作物に施用することを含む。
【０１８１】
さらなる態様によれば、本発明は、作物害虫を防除するための上記のいずれかに定義される組成物の使用を提供する。
【０１８２】
さらなる態様によれば、本発明は、（ａ）上記のいずれかに定義される組成物によって飼育されたフィトセイウルス・ペルシミリス捕食性ダニ個体、（ｂ）アスティグマタ目の少なくとも１種を含む被食性ダニ個体、及び（ｃ）任意選択的に担体材料の混合物を含む、作物害虫を防除するための生物的防除製品を提供する。
【０１８３】
さらなる態様によれば、本発明は、（ａ）請求項２６〜３１のいずれか一項に記載の組成物によって飼育されたフィトセイウルス・ペルシミリス捕食性ダニ個体、（ｂ）フィトセイイダエ科の少なくとも１種を含む被食性ダニ個体、及び（ｃ）任意選択的に担体材料の混合物を含む、作物害虫を防除するための生物的防除製品を提供する。
【０１８４】
本発明はさらに、作物に施用されるように構成されたダニ、特にフィトセイウルス属のダニ種、特にフィトセイウルス・ペルシミリス（Ｐ．ペルシミリス）のための緩徐放出システム（例えば、サシェ）を提供する。
【０１８５】
革新的な解決策の中心的な態様は、捕食性ダニが数世代にわたってシステム内で繁殖できる一方で、捕食性ダニの一定の割合は継続的にシステムから離れ、作物に到達して害虫を防除することである。これにより、農家が繰り返しダニを施用する必要がなく、作物にダニが継続的に供給される。
【０１８６】
本発明によって提供される緩徐放出システムの実施形態は、以下の特徴に基づく。
１．  捕食性ダニ個体、すなわち、Ｐ．ペルシミリス又はフィトセイウルス属の他のダニ種、
２．  捕食性ダニの食物源、すなわち、例えば、カルボグリフス・ラクティス（Ｃ．ラクティス）の凍結卵又は他のアスティグマティックダニのような、人工的な被食性ダニ又は宿主、
３．  捕食性のダニは、同じ物理的場所でその人工的宿主と組み合わされる。これは以下の別のアプローチによって行われる。
ａ．  捕食性ダニに、作物植物に懸垂されるように構成されたサシェ、パケット、パウチ、ポケット、サック又はバッグのような容器（そこから、ダニは、約３週間の間に、緩徐かつ継続的に作物に放出されるであろう。）の中で、その人工的な宿主を提供すること、
ｂ．  捕食性ダニ、担体、食物源としての人工的宿主を含む混合物を作物の葉に直接施用すること。この混合物から、捕食性ダニは約３週間の間、ゆっくりと作物に放出されるであろう。
【０１８７】
捕食性ダニに対するこのような緩徐放出系は、これまでＰ．ペルシミリスにとって非常に望ましいことが注目されている。というのもＰ．ペルシミリスはハダニを専門に捕食する種（天敵）として知られていたため、ハダニの食餌で飼育されていたからである。しかし、ハダニは、以下の理由から、作物保護のためのこの種のダニ放出システムで使用するのに適していない。
・  ハダニはそれ自体が害虫であり、生きている状態で施用すると作物に害を及ぼす可能性がある。
・  ハダニは植物性の材料を供給されないと繁殖できないので、サシェの中では繁殖できない。
・  食物源が供給されないと、生きているハダニは急速に死滅し、（たとえば数日間で）しぼんでしまう。
・  死んだものを供給すると、ハダニは急速にしぼみ、その栄養価を失う。
・  ハダニを生産するには費用がかかる。
【０１８８】
本発明は、これまで成功しないことが示されていた、上記の問題に対する予想外の技術的解決策を提供する。この解決策は、Ｐ．ペルシミリスの人工的宿主としてＣ．ラクティス又は他のアスティグマティドダニ種の凍結卵を使用することに基づく。ハダニとは対照的に、Ｃ．ラクティスの凍結卵は約3週間その栄養価を維持する。この革新的な解決策により、害虫を防除するために作物植物に直接施用される捕食性ダニとその人工的宿主を組み合わせた容器又は混合物からＰ．ペルシミリス捕食性ダニを長期間放出することが可能となる。
【０１８９】
本明細書中で使用されるように、「約」という用語は、定義された量又は測定値又は値の±１０％を示す。
【０１９０】
「制御放出」という用語は、以下では、長時間の防除されたモード又は様式で放出するように設計された緩徐性、持続放出性、急速放出を指す。本発明との関連では、例えば、この用語は特定の期間にわたって、例えば１日又は１週間にわたって、作物植物への捕食性ダニを徐々に放出することを意味する。
【０１９１】
「緩徐放出システム」又は「容器」という用語は、以下では、フィトセイウルス捕食性ダニ、人工的宿主（死んだアスティグマティドダニ）及び任意選択的に担体の本発明の組成物又は配合物を収容するサシェタイプの放出システム、例えば、サシェ、パケット、パウチ、ポケット、サック、ボトル又はバッグを指す。このようなシステム又は容器が、当技術分野で利用可能又は既知の有益な昆虫又は捕食性ダニの緩徐放出のための装置、ユニット、デバイス、コンパートメント、メンバー、ストリップ又はハウジングを指すことは、本発明の範囲内にさらに含まれる。
【０１９２】
また、フィトセイウルス捕食性ダニ放出系が任意の適切なタイプであってもよいことは、本発明の範囲内である。一般に、ダニ放出システムは、フィトセイウルス捕食性ダニ（例えばＰ．ペルシミリス）の個体及び人工的宿主ダニ（例えば、死んだＣ．ラクティス卵）の個体を保持するのに適した容器を含むことができる。容器は、開口部、及び／又はフィトセイウルス捕食性ダニの可動期のための出口開口部を生成するための手段を含む。このタイプの放出システムは当業者に知られており、様々な製品、例えば、サシェタイプの放出システム及び本発明の範囲内に含まれる他の適切なタイプの放出システムが市販されている。
【０１９３】
本明細書中で使用される「飼育組成物」という用語は、一般に、ダニ種を繁殖、育成、飼育、養育又は増殖させるのに適した組成物を指す。より具体的には、この用語はダニの商業的飼育に適した組成物を指す。捕食性ダニの大量飼育システムは、捕食性ダニに適した被食性ダニの利用可能性に大きく依存することが本明細書において認められている。したがって、捕食性ダニ及び飼育被食性ダニとして適したダニの両方の飼育システムを改善することが必要とされ続けている。この問題を解決するために、本発明は、作物害虫（ハダニ）の生物的防除に使用される非常に重要な捕食性ダニであるフィトセイウルス属のダニ種、特にフィトセイウルス・ペルシミリスを効果的かつ効率的に飼育するために特異的に適合された組成物又はシステムを提供する。フィトセイウルス・ペルシミリスは、アスティグマティドダニ種又はフィトセイイダエ被食性ダニ種、例えばアムブリセイウス・スウィルスキイで飼育されることによって、その生涯過程を完了し、少なくとも２世代にわたって繁殖することが初めて示された。
【０１９４】
「担体」という用語は、以下では、活性でない又は不活性の物質又は粒子又はビヒクルを指す。好ましい実施形態において、本発明の飼育組成物は、ダニ種の個体のための担体を含む。担体は、ダニ個体に担体表面を提供するのに適した任意の固体材料とすることができる。適切な担体の例は、ふすま（例えばコムギ）、おがくず（例えば微細おがくず）、粗びきトウモロコシなどの植物材料、バーミキュライトである。
【０１９５】
以下に使用される「フィトセイウルス」という用語は、フィトセイイダエ科のダニ属をいう。捕食性ダニのこの属は、温室及び屋外作物におけるナミハダニの防除に最も頻繁に使用される。フィトセイウルス属が次の種、すなわち、フィトセイウルス・フラガリアエ、フィトセイウルス・ロンギペス、フィトセイウルス・マクロピリス、フィトセイウルス・ペルシミリス及びフィトセイウルス・ロベルトシを含むことは本発明の範囲内である。フィトセイウルス捕食性（ｐｒｅｄｅｔｏｙ）ダニは、植食性ダニであるハダニ（テトラニキダエ科のダニ）を専門に捕食する種として知られている。
【０１９６】
「フィトセイウルス・ペルシミリス」又は「Ｐ．ペルシミリス」とは、フィトセイウルス・ペルシミリス（Ｐ．ペルシミリス）を含む捕食性のダニ個体群をいう。フィトセイウルスはフィトセイイダエ科のダニ属である。この捕食性ダニは、温室及び温和な環境で栽培された屋外作物において、ナミハダニを防除するために最も頻繁に使用されるダニ捕食性ダニである。
【０１９７】
ハダニの防除及び管理には、一般にＰ．ペルシミリスが用いられる。それらはハダニ害虫（テトラニクス種）の大部分の食欲旺盛な捕食性ダニである。それらが影響を及ぼす種としては、ナミハダニであるダニテトラニクス・ウルティカエ、カーマインレッドハダニであるＴ．シンナバリヌス（ｃｉｎｎａｂａｒｉｎｕｓ）、太平洋ダニであるＴ．パシフィクス（ｐａｃｉｆｉｃｕｓ）がある。フィトセイウルス・ペルシミリスは、比較的長期間捕食しない場合があるネオセイウルス・カリフォルニクス（目：メソスティグマタ（Ｍｅｓｏｓｔｉｇｍａｔａ、科：フィトセイイダエ、亜科：アムブリセイイナエ）とは異なり、新鮮な餌を与えなければならない。さらに、フィトセイウルス・ペルシミリスは、特定のテトラニクス種のみを捕食することが知られているが、それらの全てを捕食するわけではないため、食餌のせいで、ハダニ防除のための他の利用可能な捕食性ダニ種として自由性がない。
【０１９８】
本発明は、アスティグマタ目のダニ種を含む、Ｐ．ペルシミリスを大量飼育するための組成物を初めて提供することにより、これらの問題を解決する。本発明の飼育システムは、植食性ダニからなる従来の食餌でのＰ．ペルシミリスの飼育よりもはるかに費用効果が高い。
【０１９９】
「人工的宿主」という用語は、一般的に、以下では、天然ではない宿主又は捕食性ダニの標的宿主以外の宿主を指し、生物防除の実施者が実験室内で標的宿主よりも容易に飼育することができるものである。本発明との関連では、人工的宿主又は被食性ダニとは、天敵又は捕食性ダニによって自然の生息場所で攻撃される可能性は低いが、その発育及び／又は繁殖を支援するために人工的に使用される生物を指す。通常、それは飼育することが容易で安価に飼育できる種である。本発明の範囲内の例には、捕食性ダニ（フィトセイウルスダニ種など）に対する貯蔵ダニ（アスティグマティドダニなど）、捕食性昆虫及びダニに対するダニ卵が含まれる。さらなる態様によれば、生物的防除剤が、自然界では摂食しないであろう昆虫又はダニを摂食することを強制される場合に、人工的宿主という用語が用いられる。これにより、より高い生産レベルを可能にすることができる。本発明は、市販のフィトセイウルスダニの種が、アスティグマティドダニ（アカリ：アスティグマタ)を人工被食性ダニとして用いて大量飼育できることを初めて示す。
【０２００】
「幼ダニ（単数又は複数）」という用語は、以下、卵、幼虫、第一若虫及び第二若虫（３齢）個体を含むダニの発育ライフステージ又はダニの発育期又は齢をいう。
【０２０１】
「個体（単数又は複数）」又は「ダニ個体」という用語は、本発明の関連において、卵、幼虫、第一若虫及び第二若虫（３齢）個体などの幼ダニ期を含むが、これらに限定されないダニの発育期を指す。
【０２０２】
「可動期」という用語は、以下に、幼虫、第一若虫、第二若虫（３齢）及び成虫期を含むダニの発育期を指す。
【０２０３】
以下に使用される「非生存」という用語は、一般に生存、成長、発育又は機能することができないことをいう。本発明の主な態様によれば、この用語は、死んでいるか、生きていないか、生存していないか、又は固定化された、ダニ（すなわち、あらゆるダニ発育期又はフェーズ）又はダニ卵を指す。本発明の具体的な実施形態では、非生存のアスティグマタダニ及び／又は卵は、フィトセイウルス属の捕食性ダニの被食性ダニとして使用される。
【０２０４】
本発明のいくつかの実施形態によれば、非生存ダニ又は卵は、凍結、凍結乾燥、加熱、低温衝撃又は熱ショック処理などの熱処理、ガス又は煙処理などの化学処理、ＵＶ、マイクロ波、ガンマ照射又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化、及びそれらの任意の組み合わせを含むが、これらに限定されない処理によって産生されるか、又は該処理に曝露される。
【０２０５】
具体的な実施形態によれば、本発明の組成物は、フィトセイウルス属の捕食性ダニの被食性ダニとして使用される死んだ凍結Ｃ．ラクティス卵を含む。本明細書中で使用される「アスティグマティド」又は「アスティグマタ」又は「アスティグマティックダニ」又は「アスティグマティナ（Ａｓｔｉｇｍａｔｉｎａ）」という用語は、アカリ亜綱内のダニ目を指す。アスティグマティナはダニの「仲間」であり、アスティグマティナは、「咬む」アカリフォルメス（Ａｃａｒｉｆｏｒｍｅｓ）を含むサルコプティフォルメス（Ｓａｒｃｏｐｔｉｆｏｒｍｅｓ）に属する。アスティグマタ目には、数千以上の属を持つ上科が含まれる。本発明の範囲内の、このような上科及び科の非限定的な例は、以下を含むことができる。
【０２０６】
＜亜目：アカリディア（Ａｃａｒｉｄｉａ）＞
＜上科＞：
スキゾグリフォイデア（Ｓｃｈｉｚｏｇｌｙｐｈｏｉｄｅａ）：科の例には、スキゾグリフィダエ（Ｓｃｈｉｚｏｇｌｙｐｈｉｄａｅ）が含まれる。
ヒスティオストマトイデア（Ｈｉｓｔｉｏｓｔｏｍａｔｏｉｄｅａ）：科の例には、ヒスティオストマティダエ（Ｈｉｓｔｉｏｓｔｏｍａｔｉｄａｅ）、グアノリキダエ（Ｇｕａｎｏｌｉｃｈｉｄａｅ）が含まれる。
カネストリニオイデア（Ｃａｎｅｓｔｒｉｎｉｏｉｄｅａ）：科の例としては、ケトケラカリダエ（Ｃｈｅｔｏｃｈｅｌａｃａｒｉｄａｅ）、ロフォノタカリダエ（Ｌｏｐｈｏｎｏｔａｃａｒｉｄａｅ）、カネストリニイダエ（Ｃａｎｅｓｔｒｉｎｉｉｄａｅ）、ヘテロコプティダエ（Ｈｅｔｅｒｏｃｏｐｔｉｄａｅ）が含まれる。
ヘミサルコプトイデア（Ｈｅｍｉｓａｒｃｏｐｔｏｉｄｅａ）：科の例としては、カエトダクティリダエ（Ｃｈａｅｔｏｄａｃｔｙｌｉｄａｅ）、ヒアデシイダエ（Ｈｙａｄｅｓｉｉｄａｅ）、カルポグリフィダエ、アルゴファギダエ（Ａｌｇｏｐｈａｇｉｄａｅ）、ヘミサルコプティダエ（Ｈｅｍｉｓａｒｃｏｐｔｉｄａｅ）、ウィンターシュミドティイダエ（Ｗｉｎｔｅｒｓｃｈｍｉｄｔｉｉｄａｅ）が含まれる。
グリシファゴイデア（Ｇｌｙｃｙｐｈａｇｏｉｄｅａ）：科の例としては、エウグリシファギダエ（Ｅｕｇｌｙｃｙｐｈａｇｉｄａｅ）、コルトグリフィダエ（Ｃｈｏｒｔｏｇｌｙｐｈｉｄａｅ）、ペデトロフォディダエ（Ｐｅｄｅｔｒｏｐｈｏｄｉｄａｅ）、エキミオポディダエ（Ｅｃｈｉｍｙｏｐｏｄｉｄａｅ）、アエログリフィダエ（Ａｅｒｏｇｌｙｐｈｉｄａｅ）、ロセンステイニイダエ（Ｒｏｓｅｎｓｔｅｉｎｉｉｄａｅ）、グリシファギダエ（Ｇｌｙｃｙｐｈａｇｉｄａｅ）が含まれる。
アカロイデア（Ａｃａｒｏｉｄｅａ）：科の例には、サプラカリダエ（Ｓａｐｒａｃａｒｉｄａｅ）、スイダシイダエ（Ｓｕｉｄａｓｉｉｄａｅ）、ラルドグリフィダエ（Ｌａｒｄｏｇｌｙｐｈｉｄａｅ）、グリカカリダエ（Ｇｌｙｃａｃａｒｉｄａｅ）、ガウディエリダエ（Ｇａｕｄｉｅｌｌｉｄａｅ）が含まれる。
アカリダエ：科の例には、ヒポデロイデア（Ｈｙｐｏｄｅｒｏｉｄｅａ）、ヒポデリダエ（Ｈｙｐｏｄｅｒｉｄａｅ）が含まれる。
【０２０７】
＜亜目：プソロプティディア（Ｐｓｏｒｏｐｔｉｄｉａ）＞
＜上科＞：
プテロリコイデア（Ｐｔｅｒｏｌｉｃｈｏｉｄｅａ）：科の例には、オコンノリイダエ（Ｏｃｏｎｎｏｒｉｉｄａｅ）、プティロキセニダエ（Ｐｔｉｌｏｘｅｎｉｄａｅ）が含まれる。
プテロリキダエ（Ｐｔｅｒｏｌｉｃｈｉｄａｅ）：科の例としては、ケイラビディダエ（Ｃｈｅｙｌａｂｉｄｉｄａｅ）、オクロリキダエ（Ｏｃｈｒｏｌｉｃｈｉｄａｅ）、ガブシニイダエ（Ｇａｂｕｃｉｎｉｉｄａｅ）、ファルキュリフェリダエ（Ｆａｌｃｕｒｉｆｅｒｉｄａｅ）、エウスタティイダエ（Ｅｕｓｔａｔｈｉｉｄａｅ）科、クリプツロプティダエ（Ｃｒｙｐｔｕｒｏｐｔｉｄａｅ）、トラコサテシダエ（Ｔｈｏｒａｃｏｓａｔｈｅｓｉｄａｅ）、レクチジャヌイダエ（Ｒｅｃｔｉｊａｎｕｉｄａｅ）、アスコウラカリダエ（Ａｓｃｏｕｒａｃａｒｉｄａｅ）、シリンゴビイダエ（Ｓｙｒｉｎｇｏｂｉｉｄａｅ）、キウィリキダエ（Ｋｉｗｉｌｉｃｈｉｄａｅ）、クラメレリダエ（Ｋｒａｍｅｒｅｌｌｉｄａｅ）が含まれる。
フレヤノイデア（Ｆｒｅｙａｎｏｉｄｅａ）：科の例には、フレヤニダエ（Ｆｒｅｙａｎｉｄａｅ）、ベキシラリイダエ（Ｖｅｘｉｌｌａｒｉｉｄａｅ）、カウディフェリダエ（Ｃａｕｄｉｆｅｒｉｄａｅ）が含まれる。
アナルゴイデア（Ａｎａｌｇｏｉｄｅａ）：科の例には、ヘテロプソリダエ（Ｈｅｔｅｒｏｐｓｏｒｉｄａｅ）、アナルギダエ（Ａｎａｌｇｉｄａｅ）、キソラルギダエ（Ｘｏｌａｌｇｉｄａｅ）、アベンゾアリイダエ（Ａｖｅｎｚｏａｒｉｉｄａｅ）、プテロニジダエ（Ｐｔｅｒｏｎｙｓｓｉｄａｅ）、プロクトフィロディダエ（Ｐｒｏｃｔｏｐｈｙｌｌｏｄｉｄａｅ）、プソロプトイディダエ（Ｐｓｏｒｏｐｔｏｉｄｉｄａｅ）、トルウエサルティイダエ（Ｔｒｏｕｅｓｓａｒｔｉｉｄａｅ）、アロプティダエ（Ａｌｌｏｐｔｉｄａｅ）、チサノセルシダエ（Ｔｈｙｓａｎｏｃｅｒｃｉｄａｅ）、デルマティオニダエ（Ｄｅｒｍａｔｉｏｎｉｄａｅ）、エピデルモプティダエ（Ｅｐｉｄｅｒｍｏｐｔｉｄａｅ）、アピオナカリダエ（Ａｐｉｏｎａｃａｒｉｄａｅ）、デルモグリフィダエ（Ｄｅｒｍｏｇｌｙｐｈｉｄａｅ）、ラミノシオプティダエ（Ｌａｍｉｎｏｓｉｏｐｔｉｄａｅ）、クネミドコプティダエ（Ｋｎｅｍｉｄｏｋｏｐｔｉｄａｅ）、シトディティダエ（Ｃｙｔｏｄｉｔｉｄａｅ）が含まれる。
ピログリフォイデア（Ｐｙｒｏｇｌｙｐｈｏｉｄｅａ）：科の例には、ピログリフィダエ（Ｐｙｒｏｇｌｙｐｈｉｄａｅ）、ツルビノプティダエ（Ｔｕｒｂｉｎｏｐｔｉｄａｅ）が含まれる。
プソロプトイデア（Ｐｓｏｒｏｐｔｏｉｄｅａ）：科の例には、プソロプティダエ（Ｐｓｏｒｏｐｔｉｄａｅ）、ガラガルギダエ（Ｇａｌａｇａｌｇｉｄａｅ）、ロバルギダエ（Ｌｏｂａｌｇｉｄａｅ）、ミオコプティダエ（Ｍｙｏｃｏｐｔｉｄａｅ）、リンコプティダエ（Ｒｈｙｎｃｏｐｔｉｄａｅ）、アウディコプティダエ（Ａｕｄｙｃｏｐｔｉｄａｅ）、リストロフォリダエ（Ｌｉｓｔｒｏｐｈｏｒｉｄａｅ）、キロディスシダエ（Ｃｈｉｒｏｄｉｓｃｉｄａｅ）、アトポメリダエ（Ａｔｏｐｏｍｅｌｉｄａｅ）、キロリンコビイダエ（Ｃｈｉｒｏｒｈｙｎｃｈｏｂｉｉｄａｅ）、ガストロニシダエ（Ｇａｓｔｒｏｎｙｓｓｉｄａｅ）、レムルニシダエ（Ｌｅｍｕｒｎｙｓｓｉｄａｅ）、プネウモコプチダエ（Ｐｎｅｕｍｏｃｏｐｔｉｄａｅ）、サルコプチダエ（Ｓａｒｃｏｐｔｉｄａｅ）が含まれる。
【０２０８】
フィトセイウルス捕食性ダニ、例えば、Ｐ．ペルシミリスのための人工的宿主個体群として本発明の生物的防除システムによって使用される好ましいアスティグマティドダニ種は、カルポグリフィダエ科のダニ種であり、より好ましくはカルボグリフス・ラクティス（Ｃ．ラクティス）である。
【０２０９】
カルポグリフィダエはアスティグマティナ目のダニ科で、カルボグリフス、コプログリフス（Ｃｏｐｒｏｇｌｙｐｈｕｓ）、ディコトミオプス（Ｄｉｃｈｏｔｏｍｉｏｐｕｓ）及びプレア（Ｐｕｌｌｅａ）の４属を含む。
【０２１０】
カルボグリフス・ラクティス（アカルス（Ａｃａｒｕｓ）・ラクティス）は、Ｐ．ペルシミリスを飼育するための食餌として本発明により好適に使用され、カルボグリフス属に属する。カルボグリフス・ラクティスは、本明細書において、ドライフルーツ、ワイン、ビール、ミルク製品、ジャム及びハチミツを含む糖に富む貯蔵商品に寄生する貯蔵製品ダニとして認識されている。Ｃ．ラクティスは貯蔵された製品を摂食することができるため、本発明によって初めて示されたように、このダニ種でＰ．ペルシミリスを飼育することは非常に望ましく、費用対効果も高い。
【０２１１】
本発明のさらなる実施形態では、フィトセイウルス捕食性ダニ、例えばＰ．ペルシミリスは、アスティグマタ目に属するカルボグリフス・ラクティス種及び／又はデルマトファゴイデス・ファリナエ種の死んだダニを摂食すると、その生涯過程を完了し、繁殖することができる。
【０２１２】
「形質」という用語は、以下では、特徴又は表現型を指す。表現型形質は、そのゲノム、プロテオーム及び／又はメタボロームと環境との相互作用に起因する、個体の外観又は他の検出可能な特徴を意味し得る。例えば、本発明との関連において、本明細書に記載されるような繁殖率の増加は、本発明の組成物の捕食性ダニを特徴づける表現型（ｐｈｏｎｏｔｙｐｉｃａｌ）形質である。本発明のさらなる実施形態によると、ダニとその関連微生物との相互作用からも形質が生じる可能性がある。形質は、優性又は劣性の形式で遺伝することもあれば、部分的又は不完全優性の形式で遺伝することもある。形質は、単一遺伝子（すなわち、単一遺伝子座によって決定される）の場合もあれば、多遺伝子（すなわち、複数の遺伝子座によって決定される）の場合もあれば、1つ以上の遺伝子と環境との相互作用によって生じる場合もある。優性形質は、ヘテロ接合又はホモ接合の状態で完全な表現型の発現をもたらし、通常、劣性形質は、ホモ接合の状態で存在する場合にのみ発現する。
【０２１３】
「遺伝子の連鎖」という用語は、本発明の範囲内で、遺伝子座間の組換えパーセント（ｃｅｎｔｉ−Ｍｏｒｇａｎ，  ｃＭ）によって測定される、同一染色体上の近接した遺伝子の位置による遺伝における特徴の関連を指すと理解される。
【０２１４】
本明細書中で使用されるように、「個体群」という用語は、共通の遺伝的由来を共有するダニの遺伝的に異種の集合体を意味する。
【０２１５】
本明細書で使用される場合、「遺伝子マーカー」又は「分子マーカー」又は「バイオマーカー」という語句は、個体のゲノムにおける特徴、例えば、1つ以上の関心対象の遺伝子座又は形質に関連するヌクレオチド又はポリヌクレオチド配列を指す。いくつかの実施形態において、遺伝子マーカーは、文脈に応じて、関心対象の個体群の多型又は多型によって占有される遺伝子座である。遺伝子マーカー又は分子マーカーとしては、例えば、ＤＮＡ配列自体のような多くの他の例の中で、一塩基多型（ＳＮＰ）、インデル（すなわち挿入欠失）、単純配列反復（ＳＳＲ）、制限断片長多型（ＲＦＬＰ）、ランダム増幅多型ＤＮＡ（ＲＡＦＤ）、切断増幅多型配列（ＣＡＰＳ）マーカー、Ｄｉｖｅｒｓｉｔｙ  Ａｒｒａｙｓ  Ｔｅｃｈｎｏｌｏｇｙ  （ＤＡｒＴ）マーカー、及び増幅断片長多型（ＡＦＬＰ）又はそれらの組み合わせが挙げられる。例えば、遺伝子マーカーを用いて、表現型形質の可変性に寄与する染色体上の対立遺伝子を含む遺伝的遺伝子座を位置づけることができる。「遺伝子マーカー」又は「分子マーカー」又は「バイオマーカー」という語句はまた、プローブ又はプライマーとして使用される核酸の配列のような、ゲノム配列に相補的又は対応するポリヌクレオチド配列を指すことができる。
【０２１６】
遺伝子マーカーは、それが関連する遺伝子座内又は遺伝子座外にある染色体上の位置に物理的に位置することができる（すなわち、それぞれ遺伝子内又は遺伝子外である）。
【０２１７】
本明細書で使用される場合、「生殖質」という用語は、個体群又は個体（例えば、種）の他の群の遺伝子型の全体を意味する。
【０２１８】
本明細書で使用する「雑種」及び「雑種の子孫」という用語は、遺伝的に異なる親（例えば、遺伝的にヘテロ接合又は大部分がヘテロ接合の個体）から産生される個体を指す。
【０２１９】
本明細書で使用される「対立遺伝子」という用語は、特定の遺伝子座における遺伝子又は遺伝単位の１つ以上の代替例又は変形例のいずれかを意味し、これらの全ての対立遺伝子は、特定の遺伝子座における１つの形質又は特徴に関連する。生物の二倍体細胞では、ある遺伝子の対立遺伝子は染色体上の特定の場所、つまり遺伝子座（複数の遺伝子座）に位置している。１対の相同染色体の各染色体上に１つの対立遺伝子が存在する。二倍体の植物種は、特定の遺伝子座に多数の異なる対立遺伝子を含むことがある。このような対立遺伝子の代替例又は変形例は、一塩基多型、挿入、インデル、逆位、転座又は欠失の結果、又は例えば化学的又は構造的修飾、転写調節又は翻訳後修飾／調節によって引き起こされる遺伝子調節の結果であり得る。
【０２２０】
定性的形質に関連する対立遺伝子は、単一の遺伝子若しくは複数の遺伝子若しくはそれらの産物、又は遺伝子座によって表される表現型に寄与する遺伝的因子によって破壊又は防除される遺伝子さえも同一又は関連するものを含む、様々な遺伝単位の代替形態又は変異形態を含み得る。
【０２２１】
本明細書中で使用される「遺伝子座」（複数の遺伝子座）という用語は、例えば遺伝子又は遺伝子マーカー要素又は因子が見出される染色体上の特定の場所（単数又は複数）、又は領域、又は部位を意味する。具体的な実施形態では、このような遺伝的要素は、形質に寄与する。
【０２２２】
本明細書中で使用される場合、「繁殖」という用語及びその文法的変形例は、子孫個体を生成する任意の方法を意味する。繁殖は、性的若しくは無性的、又はそれらの任意の組合せであり得る。繁殖の例示的な非限定的種類には、交配、遺伝子移入、自殖、戻し交配、倍加半数体誘導体生成、及びそれらの組合せが含まれる。
【０２２３】
本明細書で使用される「遺伝的決定因子」という用語は、遺伝子、対立遺伝子、ＱＴＬ又は形質などの遺伝的決定因子を指す。
【０２２４】
遺伝的決定因子の遺伝子移入とは、遺伝的に遺伝子移入された決定因子に加えて、系統の所望の形態学的及び生理学的特性の本質的に全てが回復する系統への遺伝子、対立遺伝子、ＱＴＬ又は形質の取り込みを意味する。このような方法は、しばしば栽培品種の開発に用いられ、その中で、所望遺伝的背景に、望ましくは戻し交配を用いることによって、１つ又は少数の遺伝的決定因子が移される。
【０２２５】
「遺伝子型」という用語は、細胞又は生物の遺伝的構成を指す。個体の遺伝子型は、個体のハプロタイプに存在する、１つ以上の遺伝子マーカー遺伝子座のための、特定の対立遺伝子を含む。当技術分野で知られているように、遺伝子型は、遺伝子座が関連しているか無関係であるか、及び／又は連結されているか、又は連結されていないかにかかわらず、単一の遺伝子座又は複数の遺伝子座に関連し得る。いくつかの実施形態において、個体の遺伝子型は、１つ以上の遺伝子が目的の表現型の発現に関与するという点で関連する１つ以上の遺伝子に関連する。したがって、いくつかの実施形態において、遺伝子型は、１つ以上の遺伝子座において個体内に存在する１つ以上の対立遺伝子の要約を含む。いくつかの実施形態において、遺伝子型は、ハプロタイプの観点から発現される。
【０２２６】
本発明のさらなる実施形態によれば、フィトセイウルス捕食性ダニ、例えばＰ．ペルシミリスは、フィトセイイダエ科に属するアムブリセイウス・スウィルスキイ種の生きている幼ダニを摂食すると、その生涯過程を完了し、少なくとも３世代にわたって繁殖（すなわち、発育及び産卵を含む）することができる。
【０２２７】
さらに、カルボグリフス・ラクティス、デルマトファゴイデス・ファリナエ、レピドグリフス（Ｌｅｐｉｄｏｇｙｐｈｕｓ）・デストラクター、グリシファグス・ドメスティクス、デルマトファゴイデス・プテロニシヌス、アムブリセイウス・スウィルスキイ、及びそれらの任意の組合せを含む群から選択される死んだ又は固定化されたダニ種を摂食することによって飼育される、フィトセイウルス捕食性ダニ、例えばダニ種Ｐ．ペルシミリスの個体群を開示することは、本発明の範囲内である。
【０２２８】
さらに別の実施形態によれば、上記の被食性ダニを摂食させた捕食性ダニは、発育し、少なくとも２世代にわたって繁殖した。
【０２２９】
本発明のさらなる実施形態によれば、Ｐ．ペルシミリス又は他のフィトセイウルス捕食性ダニは、アスティグマタ目に属する以下の種、すなわち、カルボグリフス・ラクティス、レピドグリフス・デストラクター、グリシファグス・ドメスティクス及びデルマトファゴイデス・プテロニシヌスの死んだ個体で発育することができる。
【０２３０】
被食性ダニとして使用されるダニが、凍結、加熱、低温衝撃又は熱ショック処理などの熱処理、ガス又は煙処理などの化学処理、ガンマ照射、ＵＶ、マイクロ波又はＸ線処理などの放射線処理、激しい振盪、又は撹拌、せん断力にさらすこと、衝突などの機械的処理、超音波処理、圧力変化、圧力低下などのガス圧処理、感電死などの電気的処理、接着剤による固定化、水又は食物欠乏によって誘発されるような餓死による固定化、大気から酸素を一時的に除去するか、又は別のガスにより酸素を置換するなどによる窒息又は酸素欠乏処理による固定化からなる群から選択される固定化処理によって固定化されることは、範囲内である。
【０２３１】
当業者は、これらの処理が、アスティグマティド個体又はフィトセイイダエ科の他のダニの固定化をどのようにしてもたらすか、また、固定化処理が、ダニ個体が依然として捕食性ダニ個体に適した被食性ダニ（食物源）であるようにすべきものであることを、理解する。
【０２３２】
さらに、「固定化されたダニ」という用語は、死んだダニ又は生きていないダニを意味することもあるということは、範囲内である。
【０２３３】
これから、死んだ又は固定化されたＣ．ラクティスで飼育されたＰ．ペルシミリスの異なる発育期を写真で示した図１を参照する。この図は、雌の成虫（図１Ａ）と、卵からふ化したばかりの幼虫（図１Ｂ）を示している。この図からわかるように、どの段階もこの食餌に典型的な淡い白っぽい色をしているのが特徴である。これは、Ｐ．ペルシミリスに、その従来の食餌であるハダニを摂食させたときに得られる普通のオレンジ色とは対照的である。換言すれば、本発明の捕食性ダニは、Ｃ．ラクティスを摂食すると、典型的なオレンジ色の代わりにベージュ−ホワイトに変わる。さらに、捕食性ダニの背甲板は、その周囲のキューティクルよりも暗い。この図は、Ｐ．ペルシミリスが死んだ又は固定化したＣ．ラクティスダニによって、発育し、繁殖できることを示す。前述したように、Ｃ．ラクティス（アカリ：アスティグマタ）は、植食性ハダニである従来のＰ．ペルシミリスの食餌よりも、生産するための費用効果が大幅に高い。
【０２３４】
死んだ又は固定化されたＣ．ラクティス上で飼育されたＰ．ペルシミリスを写真で示す図２を参照する。見てわかるように、捕食性ダニは独特の外見をしており、そこでは捕食性ダニは典型的なオレンジ（従来のハダニの食餌を与えた場合）の代わりにベージュ−ホワイトに変わり、捕食性ダニの背甲板はその周囲のキューティクルよりも暗い。
【０２３５】
ここでは、ナミハダニが多くの植物種を摂食し、野菜、観賞植物、果樹、ホップ、ワラ、イチゴの主要な害虫であることが認識されている（ｖａｎ  ｄｅ  Ｖｒｉｅら、１９７２）。現在のところ、温室における主なハダニ問題の大部分は、ナミハダニが関与すると想定できる。幼虫、第一若虫、第二若虫、成虫は、主に葉の下面を摂食する。
【０２３６】
ダニ害虫、特にアカリ綱の仲間、例えば、ナミハダニ、より具体的にはハダニ種、特に、テトラニクス属、パノニクス属及び種々の他のダニ種のようなテトラニキダエ科を防除するための組成物を提供することは、本発明の範囲内である。
【０２３７】
本発明のいくつかの実施形態によれば、作物は、温室栽培作物及び田畑の作物からなる群から選択される。本発明の範囲内の作物の種類の非限定的な例には、野菜、観賞植物、果樹、ホップ、綿及びイチゴが含まれる。
【０２３８】
本発明の範囲内のダニ害虫宿主植物種の具体例には、以下のものが含まれる。
【０２３９】
アカンタセアエ（Ａｃａｎｔｈａｃｅａｅ）：アカンサス・モリス（Ａｃａｎｔｈｕｓ  ｍｏｌｌｉｓ）、ジュスティシア・アドハトダ（Ｊｕｓｔｉｃｉａ  ａｄｈａｔｏｄａ）。
【０２４０】
アクティニディアセアエ（Ａｃｔｉｎｉｄｉａｃｅａｅ）：アクティニディア・キネンシス（Ａｃｔｉｎｉｄｉａ  ｃｈｉｎｅｎｓｉｓ）、アクティニディア・デリシオサ（ｄｅｌｉｃｉｏｓａ）、アクティニディア種。
【０２４１】
アドキサセアエ（Ａｄｏｘａｃｅａｅ）：サンブクス・カナデンシス（Ｓａｍｂｕｃｕｓ  ｃａｎａｄｅｎｓｉｓ）、サンブクス・キネンシス、サンブクス・エドゥルス（ｅｄｕｌｕｓ）、サンブクス・ニグラ（ｎｉｇｒａ）、サンブクス・シエボルディアナ（ｓｉｅｂｏｌｄｉａｎａ）、サンブクス種、ビブルヌム・ランタナ（Ｖｉｂｕｒｎｕｍ  ｌａｎｔａｎａ）、ビビブルヌム・オプルス（ｏｐｕｌｕｓ）、ビブルヌム・リティドフィルム（ｒｈｙｔｉｄｏｐｈｙｌｌｕｍ）、ビブルヌム種、ビブルヌム・ティヌス（ｔｉｎｕｓ）。
【０２４２】
アイゾアセアエ（Ａｉｚｏａｃｅａｅ）：メセンブリアンテムム・クリスタリヌム（Ｍｅｓｅｍｂｒｙａｎｔｈｅｍｕｍ  ｃｒｙｓｔａｌｌｉｎｕｍ）。
【０２４３】
アルストロエメリアセアエ（Ａｌｓｔｒｏｅｍｅｒｉａｃｅａｅ）：アルストロエメリア種
【０２４４】
アマランタセアエ（Ａｍａｒａｎｔｈａｃｅａｅ）：アルテルナンテラ種（Ａｌｔｅｒｎａｎｔｈｅｒａ）、アマランサス・ブリトゥム（Ａｍａｒａｎｔｈｕｓ  ｂｌｉｔｕｍ）、アマランサス・カウダトゥス（ｃａｕｄａｔｕｓ）、アマランサス・グラエキザンス（ｇｒａｅｃｉｚａｎｓ）、アマランサス・ハイブリドゥス（ｈｙｂｒｉｄｕｓ）、アマランサス・マンゴスタヌス（ｍａｎｇｏｓｔａｎｕｓ）、アマランサス・パルメリ（ｐａｌｍｅｒｉ）、アマランサス・レトロフレックス（ｒｅｔｒｏｆｌｅｘｕｓ）、アマランサス種、アマランサス・スピノスス（ｓｐｉｎｏｓｕｓ）、アマランサス・ビリディス（ｖｉｒｉｄｉｓ）、アトリプレックス・カネスケンス（Ａｔｒｉｐｌｅｘ  ｃａｎｅｓｃｅｎｓ）、アトリプレックス・レンティフォルミス（ｌｅｎｔｉｆｏｒｍｉｓ）、アトリプレックス・セミバッカタ（ｓｅｍｉｂａｃｃａｔａ）、ベータ・ブルガリス（Ｂｅｔａ  ｖｕｌｇａｒｉｓ）、セロシア・アルゲンテア（Ｃｅｌｏｓｉａ  ａｒｇｅｎｔｅａ）、ケノポディウム・アルブム（Ｃｈｅｎｏｐｏｄｉｕｍ  ａｌｂｕｍ）、ケノポディウム・ムラレ（ｍｕｒａｌｅ）、ケノポディウム種、ディスファニア・アンブロシオイデス（Ｄｙｓｐｈａｎｉａ  ａｍｂｒｏｓｉｏｉｄｅｓ）、ハロクシロン・アムモデンドロン（Ｈａｌｏｘｙｌｏｎ  ａｍｍｏｄｅｎｄｒｏｎ）、イレシネ・ヘルブスティー（Ｉｒｅｓｉｎｅ  ｈｅｒｂｓｔｉｉ）、サルソラ・ベルミキュラタ（Ｓａｌｓｏｌａ  ｖｅｒｍｉｃｕｌａｔａ）、スピナキア・オレラケア（Ｓｐｉｎａｃｉａ  ｏｌｅｒａｃｅａ）。
【０２４５】
アムリリダセアエ（Ａｍａｒｙｌｌｉｄａｃｅａｅ）：アリウム・アムペロプラスム（Ａｌｌｉｕｍ  ａｍｐｅｌｏｐｒａｓｕｍ）、アリウム・セパ（Ａｌｌｉｕｍ  ｃｅｐａ）、アリウム・フィスツロスム（ｆｉｓｔｕｌｏｓｕｍ）、アリウム・サティブム（ｓａｔｉｖｕｍ）、アリウム種、ナルキッスス種（Ｎａｒｃｉｓｓｕｓ）。
【０２４６】
アナカルディアセアエ（Ａｎａｃａｒｄｉａｃｅａｅ）：マンギフェラ・インディカ（Ｍａｎｇｉｆｅｒａ  ｉｎｄｉｃａ）、ピスタキア・テレビンサス（Ｐｉｓｔａｃｉａ  ｔｅｒｅｂｉｎｔｈｕｓ）、ピスタキア・ベラ（ｖｅｒａ）。
【０２４７】
アンノナセアエ（Ａｎｎｏｎａｃｅａｅ）：アンノナ・ムリカタ（Ａｎｎｏｎａ  ｍｕｒｉｃａｔａ）、アンノナ・レティクラタ（ｒｅｔｉｃｕｌａｔａ）、アンノナ・スクアモサ（ｓｑｕａｍｏｓａ）。
【０２４８】
アピアセアエ（Ａｐｉａｃｅａｅ）：エゴポディウム・ポダグラリア（Ａｅｇｏｐｏｄｉｕｍ  ｐｏｄａｇｒａｒｉａ）、アンミ・マユス（Ａｍｍｉ  ｍａｊｕｓ）、アピウム・グラベオレンス（Ａｐｉｕｍ  ｇｒａｖｅｏｌｅｎｓ）、アピウム・ノディフロルム（ｎｏｄｉｆｌｏｒｕｍ）、アラカシア・キサントリザ（Ａｒｒａｃａｃｉａ  ｘａｎｔｈｏｒｒｈｉｚａ）、アタマンタ・マケドニカ（Ａｔｈａｍａｎｔａ  ｍａｃｅｄｏｎｉｃａ）、ブプレウルム・ランシフォリウム（Ｂｕｐｌｅｕｒｕｍ  ｌａｎｃｉｆｏｌｉｕｍ）、コリアンドルム（Ｃｏｒｉａｎｄｒｕｍ）・サティブム、クリプトタエニア（Ｃｒｙｐｔｏｔａｅｎｉａ）・カナデンシス、ダウクス・カロタ（Ｄａｕｃｕｓ  ｃａｒｏｔａ）、エリンギウム種（Ｅｒｙｎｇｉｕｍ）、フォエニクルム・ブルガレ（Ｆｏｅｎｉｃｕｌｕｍ  ｖｕｌｇａｒｅ）、パスティナカ・サティバ（Ｐａｓｔｉｎａｃａ  ｓａｔｉｖａ）、ペトロセリヌム・クリスプム（Ｐｅｔｒｏｓｅｌｉｎｕｍ  ｃｒｉｓｐｕｍ）、ペウセダヌム・ジャポニクム（Ｐｅｕｃｅｄａｎｕｍ  ｊａｐｏｎｉｃｕｍ）、フェロロフィウム・マダガスカリエンセ（Ｐｈｅｌｌｏｌｏｐｈｉｕｍ  ｍａｄａｇａｓｃａｒｉｅｎｓｅ）、スパナンテ種（Ｓｐａｎａｎｔｈｅ）。
【０２４９】
アポシナセアエ（Ａｐｏｃｙｎａｓｅａｅ）：アンペラムス・ラエビス（Ａｍｐｅｌａｍｕｓ  ｌａｅｖｉｓ）、アポシヌム・カンナビヌム（Ａｐｏｃｙｎｕｍ  ｃａｎｎａｂｉｎｕｍ）、アスクレピアス種（Ａｓｃｌｅｐｉａｓ）、カサランツス・ロセウス（Ｃａｔｈａｒａｎｔｈｕｓ  ｒｏｓｅｕｓ）、マンデビラ種（Ｍａｎｄｅｖｉｌｌａ）、マテレア・カロリネンシス（Ｍａｔｅｌｅａ  ｃａｒｏｌｉｎｅｎｓｉｓ）、ネリウム・オレアンダー（Ｎｅｒｉｕｍ  ｏｌｅａｎｄｅｒ）、プルメリア種（Ｐｌｕｍｅｒｉａ）、ラフィオナクメ種（Ｒａｐｈｉｏｎａｃｍｅ）、ラウボルフィア・セルペンティナ（Ｒａｕｖｏｌｆｉａ  ｓｅｒｐｅｎｔｉｎａ）、ビンカ・マジョール（Ｖｉｎｃａ  ｍａｊｏｒ）、ビンカ種。
【０２５０】
アクイフォリアセアエ（Ａｑｕｉｆｏｌｉａｃｅａｅ）：イレックス・クレナタ（Ｉｌｅｘ  ｃｒｅｎａｔａ）。
【０２５１】
アラセアエ（Ａｒａｃｅａｅ）：アロカシア・マクロリゾス（Ａｌｏｃａｓｉａ  ｍａｃｒｏｒｒｈｉｚｏｓ）、アロカシア種、アンスリウム種（Ａｎｔｈｕｒｉｕｍ）、アルム・イタリクム（Ａｒｕｍ  ｉｔａｌｉｃｕｍ）、アルム種、カラジウム・ビコロル（Ｃａｌａｄｉｕｍ  ｂｉｃｏｌｏｒ）、カラジウム種、カラ種（Ｃａｌｌａ）、コロカシア・エスクレンタ（Ｃｏｌｏｃａｓｉａ  ｅｓｃｕｌｅｎｔａ）、コロカシア種、ディエフェンバキア種（Ｄｉｅｆｆｅｎｂａｃｈｉａ）、エピプレムヌム・ピンナツム（Ｅｐｉｐｒｅｍｎｕｍ  ｐｉｎｎａｔｕｍ）、フィロデンドロン種（Ｐｈｉｌｏｄｅｎｄｒｏｎ）、シムプロカルプス・フォエディドゥス（Ｓｙｍｐｌｏｃａｒｐｕｓ  ｆｏｅｔｉｄｕｓ）、キサントソマ種（Ｘａｎｔｈｏｓｏｍａ）、ザンテデスキア・エチオピカ（Ｚａｎｔｅｄｅｓｃｈｉａ  ａｅｔｈｉｏｐｉｃａ）。
【０２５２】
アラリアセアエ（Ａｒａｌｉａｃｅａｅ）：アラリア種（Ａｒａｌｉａ）、ヘデラ・カナリエンシス（Ｈｅｄｅｒａ  ｃａｎａｒｉｅｎｓｉｓ）、ヘデラ・ヘリックス（ｈｅｌｉｘ）、ヘデラ種、ヒドロコティレ・ウムベラータ（Ｈｙｄｒｏｃｏｔｙｌｅ  ｕｍｂｅｌｌａｔａ）、ポリスキアス・バルフォウリアナ（Ｐｏｌｙｓｃｉａｓ  ｂａｌｆｏｕｒｉａｎａ）、シェフレラ・アクティノフィリア（Ｓｃｈｅｆｆｌｅｒａ  ａｃｔｉｎｏｐｈｙｌｌａ）、シェフレラ・エレガンティッシマ（ｅｌｅｇａｎｔｉｓｓｉｍａ）、シェフレラ種、テトラパナックス・パピリフェル（Ｔｅｔｒａｐａｎａｘ  ｐａｐｙｒｉｆｅｒ）。
【０２５３】
アラウカリセアエ（Ａｒａｕｃａｒｉａｃｅａｅ）：アガチス種（Ａｇａｔｈｉｓ）、アラウカリア種（Ａｒａｕｃａｒｉａ）。
【０２５４】
アレカセアエ（Ａｒｅｃａｃｅａｅ）：ジプシス種（Ｄｙｐｓｉｓ）、フェニックス・ダクティリフェラ（Ｐｈｏｅｎｉｘ  ｄａｃｔｙｌｉｆｅｒａ）、フェニックス種、ベイティア種（Ｖｅｉｔｃｈｉａ）。
【０２５５】
アリストロキアセアエ（Ａｒｉｓｔｏｌｏｃｈｉａｃｅａｅ）：アリストロキア・クレマティティス（Ａｒｉｓｔｏｌｏｃｈｉａ  ｃｌｅｍａｔｉｔｉｓ）。
【０２５６】
アスパラガセアエ（Ａｓｐａｒａｇａｃｅａｅ）：アスパラグス・ラリシヌス（Ａｓｐａｒａｇｕｓ  ｌａｒｉｃｉｎｕｓ）、アスパラグス・オフィシナリス（ｏｆｆｉｃｉｎａｌｉｓ）、アスパラグス・セタケウス（ｓｅｔａｃｅｕｓ）、アスパラグス種、アスピディストラ・エラティオル（Ａｓｐｉｄｉｓｔｒａ  ｅｌａｔｉｏｒ）、コルディリネ・フルティコサ（Ｃｏｒｄｙｌｉｎｅ  ｆｒｕｔｉｃｏｓａ）、コルディリネ種、ドラカエナ・ブラウニイ（Ｄｒａｃａｅｎａ  ｂｒａｕｎｉｉ）、ドラカエナ・フラグランス（ｆｒａｇｒａｎｓ）、ドラカエナ・ゴルディエアナ（ｇｏｌｄｉｅａｎａ）、ドラカエナ種、ヒアシンス・オリエンタリス（Ｈｙａｃｉｎｔｈｕｓ  ｏｒｉｅｎｔａｌｉｓ）、ラケナリア・エンシフォリア（Ｌａｃｈｅｎａｌｉａ  ｅｎｓｉｆｏｌｉａ）、マイアンテムム・ラセモスム（Ｍａｉａｎｔｈｅｍｕｍ  ｒａｃｅｍｏｓｕｍ）、オルニソガルム種（Ｏｒｎｉｔｈｏｇａｌｕｍ）、ポリゴナツム・オドラツム（Ｐｏｌｙｇｏｎａｔｕｍ  ｏｄｏｒａｔｕｍ）、ルスクス・アクレアツス（Ｒｕｓｃｕｓ  ａｃｕｌｅａｔｕｓ）、ユッカ種（Ｙｕｃｃａ）。
【０２５７】
バルサミナセアエ（Ｂａｌｓａｍｉｎａｃｅａｅ）：インパティエンス・バルサミナ（Ｉｍｐａｔｉｅｎｓ  ｂａｌｓａｍｉｎａ）、インパティエンス種、インパティエンス・ウォレリアナ（ｗａｌｌｅｒｉａｎａ）。
【０２５８】
ベルベリダセアエ（Ｂｅｒｂｅｒｉｄａｃｅａｅ）：ベルベリス・クレティカ（Ｂｅｒｂｅｒｉｓ  ｃｒｅｔｉｃａ）、ベルベリス・スンベルギイ（ｔｈｕｎｂｅｒｇｉｉ）、ベルベリス・ブルガリス、ベルベリス・ウィルソニアエ（ｗｉｌｓｏｎｉａｅ）、ナンディナ・ドメスティカ（Ｎａｎｄｉｎａ  ｄｏｍｅｓｔｉｃａ）。
【０２５９】
ベツラセアエ（Ｂｅｔｕｌａｃｅａｅ）：アルヌス・インカナ（Ａｌｎｕｓ  ｉｎｃａｎａ）、ベツラ・マキシモビッチアナ（Ｂｅｔｕｌａ  ｍａｘｉｍｏｗｉｃｚｉａｎａ）、ベツラ・パピリフェラ（ｐａｐｙｒｉｆｅｒａ）、ベツラ・ペンドゥラ（ｐｅｎｄｕｌａ）、カルピヌス種（Ｃａｒｐｉｎｕｓ）、コリルス・アベラナ（Ｃｏｒｙｌｕｓ  ａｖｅｌｌａｎａ）。
【０２６０】
ビグノニアセアエ（Ｂｉｇｎｏｎｉａｃｅａｅ）：カンプシス・ラディカンス（Ｃａｍｐｓｉｓ  ｒａｄｉｃａｎｓ）、ピロステギア・ベヌスタ（Ｐｙｒｏｓｔｅｇｉａ  ｖｅｎｕｓｔａ）、テコマ・カペンシス（Ｔｅｃｏｍａ  ｃａｐｅｎｓｉｓ）、テコマ・スタンス（ｓｔａｎｓ）。
【０２６１】
ボラギナセアエ（Ｂｏｒａｇｉｎａｃｅａｅ）：ボラゴ（Ｂｏｒａｇｏ）・オフィシナリス、シノグロッサム・コルムナエ（Ｃｙｎｏｇｌｏｓｓｕｍ  ｃｏｌｕｍｎａｅ）、ヘリオトロピウム・アルボレセンス（Ｈｅｌｉｏｔｒｏｐｉｕｍ  ａｒｂｏｒｅｓｃｅｎｓ）、ヘリオトロピウム・エイチワルディイ（ｅｉｃｈｗａｌｄｉｉ）、ヘリオトロピウム・エウロパエウム（ｅｕｒｏｐａｅｕｍ）、ナマ・ヒスピドゥム（Ｎａｍａ  ｈｉｓｐｉｄｕｍ）、オンファロデス・ベルナ（Ｏｍｐｈａｌｏｄｅｓ  ｖｅｒｎａ）。
【０２６２】
ブラシカセアエ（Ｂｒａｓｓｉｃａｃｅａｅ）：アエチオネマ・サクサティレ（Ａｅｔｈｉｏｎｅｍａ  ｓａｘａｔｉｌｅ）、ブラシカ・ジュンセア（Ｂｒａｓｓｉｃａ  ｊｕｎｃｅａ）、ブラシカ・ナプス（ｎａｐｕｓ）、ブラシカ・オレラセア、ブラシカ・ラパ（ｒａｐａ）、ブラシカ種、カプセラ・ブルサ・パストリス（Ｃａｐｓｅｌｌａ  ｂｕｒｓａ−ｐａｓｔｏｒｉｓ）、ディプロタキス・エルコイデス（Ｄｉｐｌｏｔａｘｉｓ  ｅｒｕｃｏｉｄｅｓ）、ディプロタキス・ビミネア（ｖｉｍｉｎｅａ）、エルカ・ベシカリア（Ｅｒｕｃａ  ｖｅｓｉｃａｒｉａ）、エリシムム・グラエクム（Ｅｒｙｓｉｍｕｍ  ｇｒａｅｃｕｍ）、エリシムム種、エリシムム・ｘ・ケイリ（ｃｈｅｉｒｉ）、ヒルシュフェルディア・インカナ（Ｈｉｒｓｃｈｆｅｌｄｉａ  ｉｎｃａｎａ）、レピディウム・ディディムム（Ｌｅｐｉｄｉｕｍ  ｄｉｄｙｍｕｍ）、マルコルミア種（Ｍａｌｃｏｌｍｉａ）、マッティオラ・フルティクロサ（Ｍａｔｔｈｉｏｌａ  ｆｒｕｔｉｃｕｌｏｓａ）、マッティオラ・インカナ、マッティオラ・オドラティッシマ（ｏｄｏｒａｔｉｓｓｉｍａ）、ナスツルティウム種（Ｎａｓｔｕｒｔｉｕｍ）、ラファヌス・ラファニストルム（Ｒａｐｈａｎｕｓ  ｒａｐｈａｎｉｓｔｒｕｍ）、ラファヌス種、ラピストルム・ルゴスム（Ｒａｐｉｓｔｒｕｍ  ｒｕｇｏｓｕｍ）、ロリッパ（Ｒｏｒｉｐｐａ）・インディカ、シナピス・アルベンシス（Ｓｉｎａｐｉｓ  ａｒｖｅｎｓｉｓ）、ジラ・スピノサ（Ｚｉｌｌａ  ｓｐｉｎｏｓａ）。
【０２６３】
ブロメリアセアエ（Ｂｒｏｍｅｌｉａｃｅａｅ）：ティランドシア種（Ｔｉｌｌａｎｄｓｉａ）。
【０２６４】
ブクサセアエ（Ｂｕｘａｃｅａｅ）：ブクス・セムペルビレンス（Ｂｕｘｕｓ  ｓｅｍｐｅｒｖｉｒｅｎｓ）。
【０２６５】
カロフィラセアエ（Ｃａｌｏｐｈｙｌｌａｃｅａｅ）：マムメア・アメリカーナ（Ｍａｍｍｅａ  Ａｍｅｒｉｃａｎａ）。
【０２６６】
カンパニュラセアエ（Ｃａｍｐａｎｕｌａｃｅａｅ）：カンパニュラ・エリヌス（Ｃａｍｐａｎｕｌａ  ｅｒｉｎｕｓ）、ロベリア種（Ｌｏｂｅｌｉａ）、プラティコドン・グランディフロルス（Ｐｌａｔｙｃｏｄｏｎ  ｇｒａｎｄｉｆｌｏｒｕｓ）。
【０２６７】
カンナバセアエ（Ｃａｎｎａｂａｃｅａｅ）：カンナビス（Ｃａｎｎａｂｉｓ）・サティバ、セルティス・アウストラリス（Ｃｅｌｔｉｓ  ａｕｓｔｒａｌｉｓ）、セルティス・オクシデンタリス（ｏｃｃｉｄｅｎｔａｌｉｓ）、フムルス・ルプルス（Ｈｕｍｕｌｕｓ  ｌｕｐｕｌｕｓ）、フムルス・スカンデンス（ｓｃａｎｄｅｎｓ）、トレマ・ミクランタ（Ｔｒｅｍａ  ｍｉｃｒａｎｔｈａ）。
【０２６８】
カンナセアエ（Ｃａｎｎａｃｅａｅ）：カンナ（Ｃａｎｎａ）・インディカ。
【０２６９】
カッパラセアエ（Ｃａｐｐａｒａｃｅａｅ）：カッパリス・ヌンムラリア（Ｃａｐｐａｒｉｓ  ｎｕｍｍｕｌａｒｉａ）。
【０２７０】
カプリフォリアセアエ（Ｃａｐｒｉｆｏｌｉａｃｅａｅ）：セファラリア・ギガンティア（Ｃｅｐｈａｌａｒｉａ  ｇｉｇａｎｔｅａ）、ディエルビラ種（Ｄｉｅｒｖｉｌｌａ）、レイセステリア・フォルモサ（Ｌｅｙｃｅｓｔｅｒｉａ  ｆｏｒｍｏｓａ）、ロニセラ・エトルスカ（Ｌｏｎｉｃｅｒａ  ｅｔｒｕｓｃａ）、ロニセラ・ニグラ、ロニセラ・ペリクリメヌム（ｐｅｒｉｃｌｙｍｅｎｕｍ）、ロニセラ種、ロニセラ・タタリカ（ｔａｔａｒｉｃａ）、ロニセラ・キシロステウム（ｘｙｌｏｓｔｅｕｍ）、プテロセファルス・プルモサス（Ｐｔｅｒｏｃｅｐｈａｌｕｓ  ｐｌｕｍｏｓｕｓ）、スカビオサ・シクラ（Ｓｃａｂｉｏｓａ  ｓｉｃｕｌａ）、シンフォリア・ラセモサ（Ｓｙｍｐｈｏｒｉａ  ｒａｃｅｍｏｓａ）、シンフォリカルポス・アルブス（Ｓｙｍｐｈｏｒｉｃａｒｐｏｓ  ａｌｂｕｓ）、シンフォリカルポス・オルビクラツス（ｏｒｂｉｃｕｌａｔｕｓ）、ウェイゲラ・ホルテンシス（Ｗｅｉｇｅｌａ  ｈｏｒｔｅｎｓｉｓ）。
【０２７１】
カリカセアエ（Ｃａｒｉｃａｃｅａｅ）：カリカ・パパイヤ（Ｃａｒｉｃａ  ｐａｐａｙａ）。
【０２７２】
カリオフィラセアエ（Ｃａｒｙｏｐｈｙｌｌａｃｅａｅ）：ディアンスス・アルメリア（Ｄｉａｎｔｈｕｓ  ａｒｍｅｒｉａ）、ディアンスス・バルバツス（ｂａｒｂａｔｕｓ）、ディアンスス・カリオフィルス（ｃａｒｙｏｐｈｙｌｌｕｓ）、ディアンスス・キネンシス、ディアンスス種、ディアンスス・テヌイフロルス（ｔｅｎｕｉｆｌｏｒｕｓ）、ドリマリア・コルダータ（Ｄｒｙｍａｒｉａ  ｃｏｒｄａｔａ）、ギプソフィラ・パニクラタ（Ｇｙｐｓｏｐｈｉｌａ  ｐａｎｉｃｕｌａｔａ）、ミオソトン・アクアティクム（Ｍｙｏｓｏｔｏｎ  ａｑｕａｔｉｃｕｍ）、シレーネ・チャルセドニカ（Ｓｉｌｅｎｅ  ｃｈａｌｃｅｄｏｎｉｃａ）、シレーネ・ブルガリス、ステラリア・メディア（Ｓｔｅｌｌａｒｉａ  ｍｅｄｉａ）。
【０２７３】
セラストラセアエ（Ｃｅｌａｓｔｒａｃｅａｅ）：セラストルス（Ｃｅｌａｓｔｒｕｓ）・オルビクラツス、セラストルス・スカンデンス、エウロニムス・エウロパエウス（Ｅｕｏｎｙｍｕｓ  ｅｕｒｏｐａｅｕｓ）、エウロニムス・ジャポニクス（ｊａｐｏｎｉｃｕｓ）、エウロニムス種。
【０２７４】
シスタセアエ（Ｃｉｓｔａｃｅａｅ）：ヘリアンセムム・サリシフォリウム（Ｈｅｌｉａｎｔｈｅｍｕｍ  ｓａｌｉｃｉｆｏｌｉｕｍ）。
【０２７５】
クレオマセアエ（Ｃｌｅｏｍａｃｅａｅ）：クレオメ種（Ｃｌｅｏｍｅ）、クレオメ・ビスコーサ（ｖｉｓｃｏｓａ）。
【０２７６】
クレツラセアエ（Ｃｌｅｔｈｒａｃｅａｅ）：クレツラ・アルボレア（Ｃｌｅｔｈｒａ  ａｒｂｏｒｅａ）。
【０２７７】
コンブレタセアエ（Ｃｏｍｂｒｅｔａｃｅａｅ）：テルミナリア・カタッパ（Ｔｅｒｍｉｎａｌｉａ  ｃａｔａｐｐａ）。
【０２７８】
コンメリナセアエ（Ｃｏｍｍｅｌｉｎａｃｅａｅ）：コンメリナ・ベンガレンシス（Ｃｏｍｍｅｌｉｎａ  ｂｅｎｇｈａｌｅｎｓｉｓ）、コンメリナ・コンムニス（ｃｏｍｍｕｎｉｓ）、コンメリナ・ディッフサ（ｄｉｆｆｕｓａ）。
【０２７９】
コムポシタエ（Ｃｏｍｐｏｓｉｔａｅ）：アカンソスペルムム・ヒスピドゥム（Ａｃａｎｔｈｏｓｐｅｒｍｕｍ  ｈｉｓｐｉｄｕｍ）、アキレア・フィリペンドゥリナ（Ａｃｈｉｌｌｅａ  ｆｉｌｉｐｅｎｄｕｌｉｎａ）、アキレア・フラアシイ（ｆｒａａｓｉｉ）、アゲラタム・コニゾイデス（Ａｇｅｒａｔｕｍ  ｃｏｎｙｚｏｉｄｅｓ）、アゲラタム・ホウストニアヌム（ｈｏｕｓｔｏｎｉａｎｕｍ）、アムブロシア・トリフィダ（Ａｍｂｒｏｓｉａ  ｔｒｉｆｉｄａ）、アンテミス・キア（Ａｎｔｈｅｍｉｓ  ｃｈｉａ）、アルクティウム・ラッパ（Ａｒｃｔｉｕｍ  ｌａｐｐａ）、アルクティウム・ミヌス（ｍｉｎｕｓ）、アルクトテカ・カレンドゥラ（Ａｒｃｔｏｔｈｅｃａ  ｃａｌｅｎｄｕｌａ）、アルコティス種（Ａｒｃｔｏｔｉｓ）、アルテミシア・ドラクンクルス（Ａｒｔｅｍｉｓｉａ  ｄｒａｃｕｎｃｕｌｕｓ）、ベリス・アンヌア（Ｂｅｌｌｉｓ  ａｎｎｕａ）、ビデンス・ビピンナタ（Ｂｉｄｅｎｓ  ｂｉｐｉｎｎａｔａ）、ビデンス・ビテルナタ（ｂｉｔｅｒｎａｔａ）、ビデンス・ピロサ（ｐｉｌｏｓａ）、ビデンス種、ボルトニア種（Ｂｏｌｔｏｎｉａ）、ブラキスコメ種（Ｂｒａｃｈｙｓｃｏｍｅ）、カレンドゥラ・アルベンシス、カレンドゥラ・オフィシナリス、カレンドゥラ種、カリステフス（Ｃａｌｌｉｓｔｅｐｈｕｓ）・キネンシス、カルドゥウス・クリスプス（Ｃａｒｄｕｕｓ  ｃｒｉｓｐｕｓ）、カルタムス・ティンクトリウス（Ｃａｒｔｈａｍｕｓ  ｔｉｎｃｔｏｒｉｕｓ）、センタウレア・シアヌス（Ｃｅｎｔａｕｒｅａ  ｃｙａｎｕｓ）、センタウレア・ヒアロレピス（ｈｙａｌｏｌｅｐｉｓ）、センタウレア・イベリカ（ｉｂｅｒｉｃａ）、センタウレア・イムペリアリス（ｉｍｐｅｒｉａｌｉｓ）、センタウレア・モンタナ（ｍｏｎｔａｎａ）、カエナクティス・ステビオイデス（Ｃｈａｅｎａｃｔｉｓ  ｓｔｅｖｉｏｉｄｅｓ）、クリサンセマム・コロナリウム（Ｃｈｒｙｓａｎｔｈｅｍｕｍ  ｃｏｒｏｎａｒｉｕｍ）、クリサンセマム・インディクム（ｉｎｄｉｃｕｍ）、クリサンセマム・モリフォリウム（ｍｏｒｉｆｏｌｉｕｍ）、クリサンセマム・セゲツム（ｓｅｇｅｔｕｍ）、クリサンセマム種、クリソタムヌス・ビスシディフロルス（Ｃｈｒｙｓｏｔｈａｍｎｕｓ  ｖｉｓｃｉｄｉｆｌｏｒｕｓ）、シコリウム・エンディビア（Ｃｉｃｈｏｒｉｕｍ  ｅｎｄｉｖｉａ）、シコリウム・インティブス（ｉｎｔｙｂｕｓ）、シコリウム・プミルム（ｐｕｍｉｌｕｍ）、シコリウム・スピノスム（ｓｐｉｎｏｓｕｍ）、コニザ・ボナリエンシス（Ｃｏｎｙｚａ  ｂｏｎａｒｉｅｎｓｉｓ）、コニザ・カナデンシス、コニザ種、コスモス・ビピンナツス（Ｃｏｓｍｏｓ  ｂｉｐｉｎｎａｔｕｓ）、コスモス種、クラッソセファルム・クレピディオイデス（Ｃｒａｓｓｏｃｅｐｈａｌｕｍ  ｃｒｅｐｉｄｉｏｉｄｅｓ）、クレピス・ネグレクタ（Ｃｒｅｐｉｓ  ｎｅｇｌｅｃｔａ）、クレピス・ルブラ（ｒｕｂｒａ）、シナラ・カルドゥンクルス（Ｃｙｎａｒａ  ｃａｒｄｕｎｃｕｌｕｓ）、シナラ種、ダリア・コシネア（Ｄａｈｌｉａ  ｃｏｃｃｉｎｅａ）、ダリア種、ダリア・バリアビリス（ｖａｒｉａｂｉｌｉｓ）、エレファントプス（Ｅｌｅｐｈａｎｔｏｐｕｓ）・モリス、エリ��ロン・アンヌウス（Ｅｒｉｇｅｒｏｎ  ａｎｎｕｕｓ）、エリゲロン種、ユリオプス種（Ｅｕｒｙｏｐｓ）、ユータミア・グラミニフォリア（Ｅｕｔｈａｍｉａ  ｇｒａｍｉｎｉｆｏｌｉａ）、ガリンソガ・カラカサナ（Ｇａｌｉｎｓｏｇａ  ｃａｒａｃａｓａｎａ）、ガリンソガ・シリアタ（ｃｉｌｉａｔａ）、ガリンソガ・パルビフロラ（ｐａｒｖｉｆｌｏｒａ）、ゲルベラ・ジャメソニイ（Ｇｅｒｂｅｒａ  ｊａｍｅｓｏｎｉｉ）、ゲルベラ種、ヘリアンテラ・クインクエネルビス（Ｈｅｌｉａｎｔｈｅｌｌａ  ｑｕｉｎｑｕｅｎｅｒｖｉｓ）、ヘリアンサス（Ｈｅｌｉａｎｔｈｕｓ）・アンヌウス、ヘリクリサム・ルテオアルブム（Ｈｅｌｉｃｈｒｙｓｕｍ  ｌｕｔｅｏａｌｂｕｍ）、ヘリクリサム・テナクス（ｔｅｎａｘ）、ヘリクリサム・チアンスカニクム（ｔｈｉａｎｓｃｈａｎｉｃｕｍ）、ヘリオプシス種、ヘルミントテカ・エキオイデス（Ｈｅｌｍｉｎｔｈｏｔｈｅｃａ  ｅｃｈｉｏｉｄｅｓ）、ラクツカ・サリグナ（Ｌａｃｔｕｃａ  ｓａｌｉｇｎａ）、ラクツカ・サティバ、ラクツカ・セリオラ（ｓｅｒｒｉｏｌａ）、ラプサナ（Ｌａｐｓａｎａ）・コンムニス、レオントドン・アウツムナリス（Ｌｅｏｎｔｏｄｏｎ  ａｕｔｕｍｎａｌｉｓ）、レウカンセムム（Ｌｅｕｃａｎｔｈｅｍｕｍ）・ブルガレ、メランポディウム・ペルフォリアツム（Ｍｅｌａｍｐｏｄｉｕｍ  ｐｅｒｆｏｌｉａｔｕｍ）、メランテラ・アスペラ（Ｍｅｌａｎｔｈｅｒａ  ａｓｐｅｒａ）、ミカニア・ミクランサ（Ｍｉｋａｎｉａ  ｍｉｃｒａｎｔｈａ）、モンタノア・ビピンナティフィダ（Ｍｏｎｔａｎｏａ  ｂｉｐｉｎｎａｔｉｆｉｄａ）、ノトバシス・シリアカ（Ｎｏｔｏｂａｓｉｓ  ｓｙｒｉａｃａ）、オステオスペルマム種（Ｏｓｔｅｏｓｐｅｒｍｕｍ）、パルテニウム種（Ｐａｒｔｈｅｎｉｕｍ）、ペンツィア・グロボーサ（Ｐｅｎｔｚｉａ  ｇｌｏｂｏｓａ）、ピクリス・パウシフローラ（Ｐｉｃｒｉｓ  ｐａｕｃｉｆｌｏｒａ）、ピクリス・スプレンゲリアナ（ｓｐｒｅｎｇｅｒｉａｎａ）、プセウドグナファリウム・オブツシフォリウム（Ｐｓｅｕｄｏｇｎａｐｈａｌｉｕｍ  ｏｂｔｕｓｉｆｏｌｉｕｍ）、ルドベキア・アンプレクスカウリス（Ｒｕｄｂｅｃｋｉａ  ａｍｐｌｅｘｉｃａｕｌｉｓ）、ルドベキア種、シュクリア・ピナタ（Ｓｃｈｋｕｈｒｉａ  ｐｉｎｎａｔａ）、スコリムス・マクラツス（Ｓｃｏｌｙｍｕｓ  ｍａｃｕｌａｔｕｓ）、スコルゾネラ種（Ｓｃｏｒｚｏｎｅｒａ）、セネキオ・リビドゥス（Ｓｅｎｅｃｉｏ  ｌｉｖｉｄｕｓ）、セネキオ種、セネキオ・ブルガリス、ソリダゴ（Ｓｏｌｉｄａｇｏ）・ギガンテア、ソンクス（Ｓｏｎｃｈｕｓ）・アルベンシス、ソンクス・アスペル（ａｓｐｅｒ）、ソンクス・オレラセウス（ｏｌｅｒａｃｅｕｓ）、ソンクス種、タゲテス・エレクタ（Ｔａｇｅｔｅｓ  ｅｒｅｃｔａ）、タゲテス・ミクログロッサ（ｍｉｃｒｏｇｌｏｓｓａ）、タゲテス・ミヌタ（ｍｉｎｕｔａ）、タゲテス・パツラ（ｐａｔｕｌａ）、タゲテス種、タラキサクム・オフィシナレ（Ｔａｒａｘａｃｕｍ  ｏｆｆｉｃｉｎａｌｅ）、ティトニア・ロツンディフォリア（Ｔｉｔｈｏｎｉａ  ｒｏｔｕｎｄｉｆｏｌｉａ）、トラゴポゴン・ドゥビウス（Ｔｒａｇｏｐｏｇｏｎ  ｄｕｂｉｕｓ）、トラポゴン・プラテンシス（ｐｒａｔｅｎｓｉｓ）、トリダクス・プロクムベンス（Ｔｒｉｄａｘ  ｐｒｏｃｕｍｂｅｎｓ）、ウロスペルマム・ダレンカンピイ（Ｕｒｏｓｐｅｒｍｕｍ  ｄａｌｅｃｈａｍｐｉｉ）、ベルノニア種（Ｖｅｒｎｏｎｉａ）、キサンチウム・ストルマリウム（Ｘａｎｔｈｉｕｍ  ｓｔｒｕｍａｒｉｕｍ）、ジニア・エレガンス（Ｚｉｎｎｉａ  ｅｌｅｇａｎｓ）、ジニア種。
【０２８０】
コンボルブラセアエ（Ｃｏｎｖｏｌｖｕｌａｃｅａｅ）：カリステギア・ヘデラセア （Ｃａｌｙｓｔｅｇｉａ  ｈｅｄｅｒａｃｅａ）、カリステギア・セピウム（ｓｅｐｉｕｍ）、コンボルブラセアエ種、コンボルブルス（Ｃｏｎｖｏｌｖｕｌｕｓ）・アルベンシス、コンボルブルス・ヒルスツス（ｈｉｒｓｕｔｕｓ）、コンボルブルス・スカムモニア（ｓｃａｍｍｏｎｉａ）、コンボルブルス・シクルス（ｓｉｃｕｌｕｓ）、コンボルブルス種、コンボルブルス・トリコロル（ｔｒｉｃｏｌｏｒ）、ディネツス・ラセモスス（Ｄｉｎｅｔｕｓ  ｒａｃｅｍｏｓｕｓ）、イポメア・アクアティカ（Ｉｐｏｍｏｅａ  ａｑｕａｔｉｃａ）、イポメア・アラクノスペルマ（ａｒａｃｈｎｏｓｐｅｒｍａ）、イポメア・バタタス（ｂａｔａｔａｓ）、イポメア・ビフロラ（ｂｉｆｌｏｒａ）、イポメア・カイリカ（ｃａｉｒｉｃａ）、イポメア・ホクステテリ（ｈｏｃｈｓｔｅｔｔｅｒｉ）、イポメア・インディカ、イポメア・ラクノサ（ｌａｃｕｎｏｓａ）、イポメア・ロバタ（ｌｏｂａｔａ）、イポメア・ニル（ｎｉｌ）、イポメア・プルプレア（ｐｕｒｐｕｒｅａ）、イポメア種、イポメア・トリコロル、イポメア・トリロバ（ｔｒｉｌｏｂａ）。
【０２８１】
コルナセアエ（Ｃｏｒｎａｃｅａｅ）：コルヌス・アルバ（Ｃｏｒｎｕｓ  ａｌｂａ）、コルヌス・カナデンシス、コルヌス・ヌッタリイ（ｎｕｔｔａｌｌｉｉ）、コルヌス種。
【０２８２】
ククルビタセアエ（Ｃｕｃｕｒｂｉｔａｃｅａｅ）：ベニンカサ・ヒスピダ（Ｂｅｎｉｎｃａｓａ  ｈｉｓｐｉｄａ）、ブリオニア（Ｂｒｙｏｎｉａ）・アルバ、キトルルス・コロキンシス（Ｃｉｔｒｕｌｌｕｓ  ｃｏｌｏｃｙｎｔｈｉｓ）、キトルルス・ラナツス（ｌａｎａｔｕｓ）、ククミス・メロ（Ｃｕｃｕｍｉｓ  ｍｅｌｏ）、ククミス・サティブス（Ｃｕｃｕｍｉｓ  ｓａｔｉｖｕｓ）、ククミス種、ククルビタ・フィキフォリア
（Ｃｕｃｕｒｂｉｔａ  ｆｉｃｉｆｏｌｉａ）、ククルビタ・マキシマ（ｍａｘｉｍａ）、ククルビタ・モスカタ（ｍｏｓｃｈａｔａ）、ククルビタ・ペポ（ｐｅｐｏ）、ククルビタ種、ククルビタセアエ種（Ｃｕｃｕｒｂｉｔａｃｅａｅ）、ディプロシクロス・パルマツス（Ｄｉｐｌｏｃｙｃｌｏｓ  ｐａｌｍａｔｕｓ）、エクバリウム・エラテリウム（Ｅｃｂａｌｌｉｕｍ  ｅｌａｔｅｒｉｕｍ）、ラゲナリア・シケラリア（Ｌａｇｅｎａｒｉａ  ｓｉｃｅｒａｒｉａ）、ルファ・アクタングラ（Ｌｕｆｆａ  ａｃｕｔａｎｇｕｌａ）、ルファ・シリンドリカ（ｃｙｌｉｎｄｒｉｃａ）、モモルディカ・カランティア（Ｍｏｍｏｒｄｉｃａ  ｃｈａｒａｎｔｉａ）、プラエキトルルス・フィスツロスス（Ｐｒａｅｃｉｔｒｕｌｌｕｓ  ｆｉｓｔｕｌｏｓｕｓ）、セキウム・エドゥレ（Ｓｅｃｈｉｕｍ  ｅｄｕｌｅ）。
【０２８３】
クプレサセアエ（Ｃｕｐｒｅｓｓａｃｅａｅ）：カマエシパリス・チオイデス（Ｃｈａｍａｅｃｙｐａｒｉｓ  ｔｈｙｏｉｄｅｓ）、クプレッサス種（Ｃｕｐｒｅｓｓｕｓ）、ジュニペルス・アリゾニカ（Ｊｕｎｉｐｅｒｕｓ  ａｒｉｚｏｎｉｃａ）、ジュニペルス・ビルギニアナ（ｖｉｒｇｉｎｉａｎａ）、プラチクラドゥス（Ｐｌａｔｙｃｌａｄｕｓ）・オリエンタリス。
【０２８４】
シペラセアエ（Ｃｙｐｅｒａｃｅａｅ）：シペルス・エスクレンツス（Ｃｙｐｅｒｕｓ  ｅｓｃｕｌｅｎｔｕｓ）、シペルス・ロツンドゥス（ｒｏｔｕｎｄｕｓ）、シペルス・スキムペリアヌス（ｓｃｈｉｍｐｅｒｉａｎｕｓ）。
【０２８５】
ディプテロカルパセアエ（Ｄｉｐｔｅｒｏｃａｒｐａｃｅａｅ）：ショレア・ロブスタ（Ｓｈｏｒｅａ  ｒｏｂｕｓｔａ）。
【０２８６】
エベナセアエ（Ｅｂｅｎａｃｅａｅ）：ディオスピロス・カキ（Ｄｉｏｓｐｙｒｏｓ  ｋａｋｉ）、ディオスピロス・スカブリダ（ｓｃａｂｒｉｄａ）。
【０２８７】
エラエアグナセアエ（Ｅｌａｅａｇｎａｃｅａｅ）：エラエアグヌス・アングスティフォリア（Ｅｌａｅａｇｎｕｓ  ａｎｇｕｓｔｉｆｏｌｉａ）、エラエアグヌス・ウンベラータ（ｕｍｂｅｌｌａｔａ）。
【０２８８】
エキセタセアエ（Ｅｑｕｉｓｅｔａｃｅａｅ）：エクイセツム・パルストレ（Ｅｑｕｉｓｅｔｕｍ  ｐａｌｕｓｔｒｅ）。
【０２８９】
エリカセアエ（Ｅｒｉｃａｃｅａｅ）：アザレア・ヌディフロラ（Ａｚａｌｅａ  ｎｕｄｉｆｌｏｒａ）、アザレア種、ロドデンドロン種（Ｒｈｏｄｏｄｅｎｄｒｏｎ）、シフォナンドラ種（Ｓｉｐｈｏｎａｎｄｒａ）。
【０２９０】
ユーフォルビアセアエ（Ｅｕｐｈｏｒｂｉａｃｅａｅ）：アカリファ（Ａｃａｌｙｐｈａ）・アウストラリス、アカリファ・ハバネンシス（ｈａｖａｎｅｎｓｉｓ）、アカリファ種、アカリファ・ウィルケシアナ（ｗｉｌｋｅｓｉａｎａ）、コディアエウム種（Ｃｏｄｉａｅｕｍ）、コディアエウム・バリエガツム（ｖａｒｉｅｇａｔｕｍ）、クロトン・ニベウス（Ｃｒｏｔｏｎ  ｎｉｖｅｕｓ）、クロトン種、ユーフォルビア・アミグダロイデス（Ｅｕｐｈｏｒｂｉａ  ａｍｙｇｄａｌｏｉｄｅｓ）、ユーフォルビア・ブルマンニ（ｂｕｒｍａｎｎｉ）、ユーフォルビア・ヘレナエ（ｈｅｌｅｎａｅ）、ユーフォルビア・ヘリオスコピア（ｈｅｌｉｏｓｃｏｐｉａ）、ユーフォルビア・ヒルタ（ｈｉｒｔａ）、ユーフォルビア・ヒペリキフォリア（ｈｙｐｅｒｉｃｉｆｏｌｉａ）、ユーフォルビア・パルビフロラ、ユーフォルビア・プルケリマ（ｐｕｌｃｈｅｒｒｉｍａ）、ユーフォルビア種、ヘベア・ブラシリエンシス（Ｈｅｖｅａ  ｂｒａｓｉｌｉｅｎｓｉｓ）、フラ・クレピタンス（Ｈｕｒａ  ｃｒｅｐｉｔａｎｓ）、ジャトロファ・ゴッシピイフォリア（Ｊａｔｒｏｐｈａ  ｇｏｓｓｙｐｉｉｆｏｌｉａ）、ジャトロファ・ハスタータ（ｈａｓｔａｔａ）、ジャトロファ・ムルティフィダ（ｍｕｌｔｉｆｉｄａ）、ジャトロファ種、マニホト（Ｍａｎｉｈｏｔ）・エスクレンタ、マニホト種、メルクリアリス（Ｍｅｒｃｕｒｉａｌｉｓ）・アヌア、メルクリアリス種、リシヌス（Ｒｉｃｉｎｕｓ）・コンムニス。
【０２９１】
ファガセアエ（Ｆａｇａｃｅａｅ）、クエルクス（Ｑｕｅｒｃｕｓ）・アルバ、クエルクス・ロブル（ｒｏｂｕｒ）、クエルクス種。
【０２９２】
ガリアセアエ（Ｇａｒｒｙａｃｅａｅ）：アウクバ・ジャポニカ（Ａｕｃｕｂａ  ｊａｐｏｎｉｃａ）。
【０２９３】
ゲンティアナセアエ（Ｇｅｎｔｉａｎａｃｅａｅ）：ユーストマ・グランディフロルム （Ｅｕｓｔｏｍａ  ｇｒａｎｄｉｆｌｏｒｕｍ）、ゲンティアナ種（Ｇｅｎｔｉａｎａ）。
【０２９４】
ゲラニアセアエ（Ｇｅｒａｎｉａｃｅａｅ）：エロディウム・アルニフォリウム（Ｅｒｏｄｉｕｍ  ａｌｎｉｆｏｌｉｕｍ）、ゲラニウム・カロリニアヌム（Ｇｅｒａｎｉｕｍ  ｃａｒｏｌｉｎｉａｎｕｍ）、ゲラニウム・ディセクツム（ｄｉｓｓｅｃｔｕｍ）、ゲラニウム・ルシドゥム（ｌｕｃｉｄｕｍ）、ゲラニウム・モレ（ｍｏｌｌｅ）、ゲラニウム・ロツンディフォリウム（ｒｏｔｕｎｄｉｆｏｌｉｕｍ）、ゲラニウム種、ペラルゴニウム・インクイナンス（Ｐｅｌａｒｇｏｎｉｕｍ  ｉｎｑｕｉｎａｎｓ）、ペラルゴニウム種。
【０２９５】
ゲスネリアセアエ（Ｇｅｓｎｅｒｉａｃｅａｅ）：セントポーリア・イオナンタ （Ｓａｉｎｔｐａｕｌｉａ  ｉｏｎａｎｔｈａ）。
【０２９６】
グーデニアセアエ（Ｇｏｏｄｅｎｉａｃｅａｅ）：グーデニア種（Ｇｏｏｄｅｎｉａ）、スカエボラ種（Ｓｃａｅｖｏｌａ）。
【０２９７】
グロスラリアセアエ（Ｇｒｏｓｓｕｌａｒｉａｃｅａｅ）：リベス・アメリカヌム（Ｒｉｂｅｓ  ａｍｅｒｉｃａｎｕｍ）、リベス・ニグルム（ｎｉｇｒｕｍ）、リベス・ルブルム（ｒｕｂｒｕｍ）。
【０２９８】
ヘリコニアセアエ（Ｈｅｌｉｃｏｎｉａｃｅａｅ）：ヘリコニア・ビハイ（Ｈｅｌｉｃｏｎｉａ  ｂｉｈａｉ）、ヘリコニア・ラティスパタ（ｌａｔｉｓｐａｔｈａ）。
【０２９９】
ハイドランゲアセアエ（Ｈｙｄｒａｎｇｅａｃｅａｅ）：デウツィア種（Ｄｅｕｔｚｉａ）、ハイドランジア・マクロフィラ（Ｈｙｄｒａｎｇｅａ  ｍａｃｒｏｐｈｙｌｌａ）、ハイドランジア・パニクラタ、ハイドランジア種、フィラデルフス・コロナリウス（Ｐｈｉｌａｄｅｌｐｈｕｓ  ｃｏｒｏｎａｒｉｕｓ）、フィラデルフス・セリカンスス（ｓｅｒｉｃａｎｔｈｕｓ）。
【０３００】
イリダセアエ（Ｉｒｉｄａｃｅａｅ）：クロコスミア・ｘ・クロコスミイフロラ（Ｃｒｏｃｏｓｍｉａ  ｃｒｏｃｏｓｍｉｉｆｌｏｒａ）、グラディオラス・ホルツラヌス（Ｇｌａｄｉｏｌｕｓ  ｈｏｒｔｕｌａｎｕｓ）、グラディオラス・イタリクス（ｉｔａｌｉｃｕｓ）、クラディオラス種、イリス・サングイネア（Ｉｒｉｓ  ｓａｎｇｕｉｎｅａ）、イリス・ｘ・ゲルマニカ（ｇｅｒｍａｎｉｃａ）、イクシア・フレクスオサ（Ｉｘｉａ  ｆｌｅｘｕｏｓａ）。
【０３０１】
ジュグランダセアエ（Ｊｕｇｌａｎｄａｃｅａｅ）：カルヤ・イリノイネンシス（Ｃａｒｙａ  ｉｌｌｉｎｏｉｎｅｎｓｉｓ）、ジュグランス・レギア（Ｊｕｇｌａｎｓ  ｒｅｇｉａ）、ジュグランス種。
【０３０２】
ラミアセアエ（Ｌａｍｉａｃｅａｅ）：アジュガ種（Ａｊｕｇａ）、バロタ・アフリカナ（Ｂａｌｌｏｔａ  ａｆｒｉｃａｎａ）、クレロデンドルム・キネンセ（Ｃｌｅｒｏｄｅｎｄｒｕｍ  ｃｈｉｎｅｎｓｅ）、クレロデンドルム・トムソニアエ（ｔｈｏｍｓｏｎｉａｅ）、ガレオプシス・スペシオサ（Ｇａｌｅｏｐｓｉｓ  ｓｐｅｃｉｏｓａ）、ガレオプシス・テトラヒト（ｔｅｔｒａｈｉｔ）、グレコマ（Ｇｌｅｃｈｏｍａ）・ヘデラセア、グレコマ種、ホルムスキオルディア（Ｈｏｌｍｓｋｉｏｌｄｉａ）・サングイネア、ホルムルキオルディア種、ラミウム（Ｌａｍｉｕｍ）・アルブム、ラミウム・アムプレキシカウレ（ａｍｐｌｅｘｉｃａｕｌｅ）、ラミウム・プルプレウム（ｐｕｒｐｕｒｅｕｍ）、ラミウム種、ラバンドゥラ種（Ｌａｖａｎｄｕｌａ）、レオノティス・オシミフォリア（Ｌｅｏｎｏｔｉｓ  ｏｃｙｍｉｆｏｌｉａ）、レウカス・マルティニセンシス（Ｌｅｕｃａｓ  ｍａｒｔｉｎｉｃｅｎｓｉｓ）、マルビウム（Ｍａｒｒｕｂｉｕｍ）・ブルガレ、メリッサ（Ｍｅｌｉｓｓａ）・オフィシナリス、メンタ（Ｍｅｎｔｈａ）・アルベンシス、メンタ種、メンタ・スピカタ（ｓｐｉｃａｔａ）、メンタ・ｘ・ピペリタ（ｐｉｐｅｒｉｔａ）、モルセラ（Ｍｏｌｕｃｃｅｌｌａ）・ラエビス、モナルダ・フィスツロサ（Ｍｏｎａｒｄａ  ｆｉｓｔｕｌｏｓａ）、ネペタ・カタリア（Ｎｅｐｅｔａ  ｃａｔａｒｉａ）、オシムム・バシリクム（Ｏｃｉｍｕｍ  ｂａｓｉｌｉｃｕｍ）、オシムム・テヌイフロルム（ｔｅｎｕｉｆｌｏｒｕｍ）、ペリラ・フルテスケンス（Ｐｅｒｉｌｌａ  ｆｒｕｔｅｓｃｅｎｓ）、ロスマリヌス（Ｒｏｓｍａｒｉｎｕｓ）・オフィシナリス、サルビア（Ｓａｌｖｉａ）・アルゲンテア、サルビア・オフィシナリス、サルビア・プラテンシス、サルビア種、サルビア・スプレンデンス（ｓｐｌｅｎｄｅｎｓ）、サルビア・ベルティシラータ（ｖｅｒｔｉｃｉｌｌａｔａ）、サルビア・ビリディス、スタキス（Ｓｔａｃｈｙｓ）・アルベンシス、ビテックス・ネグンド（Ｖｉｔｅｘ  ｎｅｇｕｎｄｏ）。
【０３０３】
ラウラセアエ（Ｌａｕｒａｃｅａｅ）：カシータ種（Ｃａｓｓｙｔｈａ）、エンドリケリア（Ｅｎｄｌｉｃｈｅｒｉａ）・パニクラタ、ラウルス・ノビリス（Ｌａｕｒｕｓ  ｎｏｂｉｌｉｓ）、ペルセア（Ｐｅｒｓｅａ）・アメリカーナ。
【０３０４】
レグミノサエ（Ｌｅｇｕｍｉｎｏｓａｅ）：アカシア・グレッギイ（Ａｃａｃｉａ  ｇｒｅｇｇｉｉ）、アカシア・ホリダ（ｈｏｒｒｉｄａ）、アカシア・フアランゴ（ｈｕａｒａｎｇｏ）、アカシア・カルー（ｋａｒｒｏｏ）、アカシア・ロブスタ、アカシア種、アリシカルプス・ロンギフォリウス（Ａｌｙｓｉｃａｒｐｕｓ  ｌｏｎｇｉｆｏｌｉｕｓ）、アンフィカルパエア・ブラクテアタ（Ａｍｐｈｉｃａｒｐａｅａ  ｂｒａｃｔｅａｔａ）、アンシリス・ブルネラリア（Ａｎｔｈｙｌｌｉｓ  ｖｕｌｎｅｒａｒｉａ）、アラキス・ヒポガエア（Ａｒａｃｈｉｓ  ｈｙｐｏｇａｅａ）、アラキス種、アストラガルス・シニクス（Ａｓｔｒａｇａｌｕｓ  ｓｉｎｉｃｕｓ）、バウヒニア・フォルフィカタ（Ｂａｕｈｉｎｉａ  ｆｏｒｆｉｃａｔａ）、バウヒニア・モナンドラ（ｍｏｎａｎｄｒａ）、バウヒニア種、バウヒニア・バリエガタ（ｖａｒｉｅｇａｔａ）、ビツミナリア・ビツミノサ（Ｂｉｔｕｍｉｎａｒｉａ  ｂｉｔｕｍｉｎｏｓａ）、カナバリア・エンシフォルミス（Ｃａｎａｖａｌｉａ  ｅｎｓｉｆｏｒｍｉｓ）、カラガナ（Ｃａｒａｇａｎａ）・アルボレセンス、カシア・アルテミシオイデス（Ｃａｓｓｉａ  ａｒｔｅｍｉｓｉｏｉｄｅｓ）、セラトニア・シリクア（Ｃｅｒａｔｏｎｉａ  ｓｉｌｉｑｕａ）、セルシス・シリクアストルム（Ｃｅｒｃｉｓ  ｓｉｌｉｑｕａｓｔｒｕｍ）、シセル・アリエティヌム（Ｃｉｃｅｒ  ａｒｉｅｔｉｎｕｍ）、クリアンサス種（Ｃｌｉａｎｔｈｕｓ）、クリトリア・テルナテア（Ｃｌｉｔｏｒｉａ  ｔｅｒｎａｔｅａ）、コロニラ・バレンティナ（Ｃｏｒｏｎｉｌｌａ  ｖａｌｅｎｔｉｎａ）、クロタラリア・ジュンセア（Ｃｒｏｔａｌａｒｉａ  ｊｕｎｃｅａ）、クロタラリア・ミカンス（ｍｉｃａｎｓ）、クロタラリア種、ダルベルギア・シッスー（Ｄａｌｂｅｒｇｉａ  ｓｉｓｓｏｏ）、ダレア（Ｄａｌｅａ）・モリス、デスモディウム・カーシアヌム（Ｄｅｓｍｏｄｉｕｍ  ｋｈａｓｉａｎｕｍ）、ドリコス種（Ｄｏｌｉｃｈｏｓ）、エリスリナ・コラロデンドロン（Ｅｒｙｔｈｒｉｎａ  ｃｏｒａｌｌｏｄｅｎｄｒｏｎ）、エリスリナ・ポエピギアナ（ｐｏｅｐｐｉｇｉａｎａ）、エリスリナ種、ゲニスタ種（Ｇｅｎｉｓｔａ）、グレディスチア種（Ｇｌｅｄｉｔｓｉａ）、グリシン・マックス（Ｇｌｙｃｉｎｅ  ｍａｘ）、インディゴフェラ・アレクタ（Ｉｎｄｉｇｏｆｅｒａ  ａｒｒｅｃｔａ）、インディゴフェラ・ホルビー（ｈｏｌｕｂｉｉ）、インディゴフェラ・ティンクトリア（ｔｉｎｃｔｏｒｉａ）、インガ種（Ｉｎｇａ）、ケネディア（Ｋｅｎｎｅｄｉａ）・コシネア、ラブラブ・プルプレウス（Ｌａｂｌａｂ  ｐｕｒｐｕｒｅｕｓ）、ラブルヌム・アナギロイデス（Ｌａｂｕｒｎｕｍ  ａｎａｇｙｒｏｉｄｅｓ）、ラブルヌム種、ラシルス・シセラ（Ｌａｔｈｙｒｕｓ  ｃｉｃｅｒａ）、ラシルス・オドラツス（ｏｄｏｒａｔｕｓ）、ラシルス・サティブス、レンス・クリナリス（Ｌｅｎｓ  ｃｕｌｉｎａｒｉｓ）、レスペデザ・マキシモウィクジイ（Ｌｅｓｐｅｄｅｚａ  ｍａｘｉｍｏｗｉｃｚｉｉ）、ロツス・コルニクラツス（Ｌｏｔｕｓ  ｃｏｒｎｉｃｕｌａｔｕｓ）、ルピナス・アルボレウス（Ｌｕｐｉｎｕｓ  ａｒｂｏｒｅｕｓ）、ルピナス・アルゲ���テウス（ａｒｇｅｎｔｅｕｓ）、ルピナス・サティブス、マクロプティリウム・アトロプルプレウム（Ｍａｃｒｏｐｔｉｌｉｕｍ  ａｔｒｏｐｕｒｐｕｒｅｕｍ）、マクロプティリウム・ラチロイデス（ｌａｔｈｙｒｏｉｄｅｓ）、メディカゴ・アラビカ（Ｍｅｄｉｃａｇｏ  ａｒａｂｉｃａ）、メディカゴ・アルボレア、メディカゴ・ルプリナ（ｌｕｐｕｌｉｎａ）、メディカゴ・オルビクラリス（ｏｒｂｉｃｕｌａｒｉｓ）、メディカゴ・ポリモルファ（ｐｏｌｙｍｏｒｐｈａ）、メディカゴ・サティバ、メディカゴ種、メリロツス（Ｍｅｌｉｌｏｔｕｓ）・アルブス、メリロツス・インディクス（ｉｎｄｉｃｕｓ）、メリロツス種、ムクナ・メムブラナセア（Ｍｕｃｕｎａ  ｍｅｍｂｒａｎａｃｅａ）、ムクナ・プルリエンス（ｐｒｕｒｉｅｎｓ）、ネオノトニア・ウィグティ（Ｎｅｏｎｏｔｏｎｉａ  ｗｉｇｈｔｉｉ）、ネオラウタネニア・ミティス（Ｎｅｏｒａｕｔａｎｅｎｉａ  ｍｉｔｉｓ）、オノブリキス・ビキイフォリア（Ｏｎｏｂｒｙｃｈｉｓ  ｖｉｃｉｉｆｏｌｉａ）、オルニトプス種、ファセオルス・アクティフォリウス（Ｐｈａｓｅｏｌｕｓ  ａｃｕｔｉｆｏｌｉｕｓ）、フォセオルス・コッキネウス（ｃｏｃｃｉｎｅｕｓ）、ファセオルス・ルナツス（ｌｕｎａｔｕｓ）、ファセオルス種、ファセオルス・ブルガリス、ピスム（Ｐｉｓｕｍ）・サティブム、プソフォカルプス・テトラゴノロブス（Ｐｓｏｐｈｏｃａｒｐｕｓ  ｔｅｔｒａｇｏｎｏｌｏｂｕｓ）、プエラリア（Ｐｕｅｒａｒｉａ）・モンタナ、プエラリア・ファセオロイデス（ｐｈａｓｅｏｌｏｉｄｅｓ）、リンコシア・カピタータ（Ｒｈｙｎｃｈｏｓｉａ  ｃａｐｉｔａｔａ）、リンコシア・カリバエア（ｃａｒｉｂａｅａ）、ロビニア（Ｒｏｂｉｎｉａ）・ヒスピダ、ロビニア・プセウドアカシア（ｐｓｅｕｄｏａｃａｃｉａ）、セスバニア・カンナビナ（Ｓｅｓｂａｎｉａ  ｃａｎｎａｂｉｎａ）、セスバニア・ヘルバセア（ｈｅｒｂａｃｅａ）、スパルティウム・ジュンセウム（Ｓｐａｒｔｉｕｍ  ｊｕｎｃｅｕｍ）、スチフノロビウム（Ｓｔｙｐｈｎｏｌｏｂｉｕｍ）・ジャポニクム、テラムヌス・ウニシナツス（Ｔｅｒａｍｎｕｓ  ｕｎｃｉｎａｔｕｓ）、ティプアナ・ティプ（Ｔｉｐｕａｎａ  ｔｉｐｕ）、トリフォリウム・アレクサンドリヌム（Ｔｒｉｆｏｌｉｕｍ  ａｌｅｘａｎｄｒｉｎｕｍ）、トリフォリウム・アウレウム（ａｕｒｅｕｍ）、トリフォリウム・ダシュルム（ｄａｓｙｕｒｕｍ）、トリフォリウム・ドゥビウム（ｄｕｂｉｕｍ）、トリフォリウム・グロメラタム（ｇｌｏｍｅｒａｔｕｍ）、トリフォリウム・ヒブリドゥム（ｈｙｂｒｉｄｕｍ）、トリフォリウム・インカルナツム（ｉｎｃａｒｎａｔｕｍ）、トリフォリウム・プラテンセ（ｐｒａｔｅｎｓｅ）、トリフォリウム・プルプレウム、トリフォリウム・レペンス（ｒｅｐｅｎｓ）、トリフォリウム種、トリフォリウム・スプモスム（ｓｐｕｍｏｓｕｍ）、ビシア（Ｖｉｃｉａ）・アングスティフォリア、ビシア・ファバ（ｆａｂａ）、ビシア・プルケラ（ｐｕｌｃｈｅｌｌａ）、ビシア・サティバ、ビシア種、ビシア・ビロサ（ｖｉｌｌｏｓａ）、ビグナ・アコニティフォリア（Ｖｉｇｎａ  ａｃｏｎｉｔｉｆｏｌｉａ）、ビグナ・アングラリス（ａｎ���ｕｌａｒｉｓ）、ビグナ・ムンゴ（ｍｕｎｇｏ）、ビグナ・ラディアタ（ｒａｄｉａｔａ）、ビグナ種、ビグナ・ウングイクラタ（ｕｎｇｕｉｃｕｌａｔａ）、ウィステリア・フロリブンダ（Ｗｉｓｔｅｒｉａ  ｆｌｏｒｉｂｕｎｄａ）、ウィステリア・ポリスタキア（ｐｏｌｙｓｔａｃｈｙａ）、ウィステリア・シネンシス（ｓｉｎｅｎｓｉｓ）。
【０３０５】
リリアセアエ（Ｌｉｌｉａｃｅａｅ）：リリウム（Ｌｉｌｉｕｍ）種。
【０３０６】
リナセアエ（Ｌｉｎａｃｅａｅ）：レインワルドティア・テトラギナ（Ｒｅｉｎｗａｒｄｔｉａ  ｔｅｔｒａｇｙｎａ）。
【０３０７】
リスラセアエ（Ｌｙｔｈｒａｃｅａｅ）：クフェア種（Ｃｕｐｈｅａ）、ラゲルストロエミア（Ｌａｇｅｒｓｔｒｏｅｍｉａ）・スペシオサ、プニカ・グラナツム（Ｐｕｎｉｃａ  ｇｒａｎａｔｕｍ）。
【０３０８】
マグノリアセアエ（Ｍａｇｎｏｌｉａｃｅａｅ）：マグノリア・リリフローラ（Ｍａｇｎｏｌｉａ  ｌｉｌｉｉｆｌｏｒａ）、マグノリア種、マグノリア・ステラタ（ｓｔｅｌｌａｔａ）。
【０３０９】
マルバセアエ（Ｍａｌｖａｃｅａｅ）：アベルモスクス（Ａｂｅｌｍｏｓｃｈｕｓ）・エスクレンツス、アブティロン・ピクタム（Ａｂｕｔｉｌｏｎ  ｐｉｃｔｕｍ）、アブティロン・レフレクサム（ｒｅｆｌｅｘｕｍ）、アブティロン種、アブティロン・テオフラスティ（ｔｈｅｏｐｈｒａｓｔｉ）、アブティロン・ツブロスム（ｔｕｂｕｌｏｓｕｍ）、アルセア・ロセア（Ａｌｃｅａ  ｒｏｓｅａ）、アルタエア（Ａｌｔｈａｅａ）・ヌディフロラ、ビットネリア（Ｂｙｔｔｎｅｒｉａ）・アウストラリス、セイバ・ペンタンドラ（Ｃｅｉｂａ  ｐｅｎｔａｎｄｒａ）、コルコルス・カプスラリス（Ｃｏｒｃｈｏｒｕｓ  ｃａｐｓｕｌａｒｉｓ）、コルコルス・オリトリウス（ｏｌｉｔｏｒｉｕｓ）、ゴシピウム・バルバデンセ（Ｇｏｓｓｙｐｉｕｍ  ｂａｒｂａｄｅｎｓｅ）、ゴシピウム・ヘルバセウム（ｈｅｒｂａｃｅｕｍ）、ゴシピウム・ヒルスツム（ｈｉｒｓｕｔｕｍ）、ゴシピウム種、グレウィア・アシアティカ（Ｇｒｅｗｉａ  ａｓｉａｔｉｃａ）、グレウィア・ビロバ（ｂｉｌｏｂａ）、ヘリクテレス・グアズミフォリア（Ｈｅｌｉｃｔｅｒｅｓ  ｇｕａｚｕｍｉｆｏｌｉａ）、ヒビスクス・ルナリイフォリウス（Ｈｉｂｉｓｃｕｓ  ｌｕｎａｒｉｉｆｏｌｉｕｓ）、ヒビスクス・ムタビリス（ｍｕｔａｂｉｌｉｓ）、ヒビスクス・ロサシネンシス（ｒｏｓａ−ｓｉｎｅｎｓｉｓ）、ヒビスクス種、ヒビスクス・シリアクス（ｓｙｒｉａｃｕｓ）、ヒビスクス・トリオヌム（ｔｒｉｏｎｕｍ）、マルバ・アエギプティア（Ｍａｌｖａ  ａｅｇｙｐｔｉａ）、マルバ・モスカタ、マルバ・ネグレクタ、マルバ・ニカエエンシス（ｎｉｃａｅｅｎｓｉｓ）、マルバ・パルビフロラ、マルバ種、マルバ・シルベストリス（ｓｙｌｖｅｓｔｒｉｓ）、マルバ・トリメストリス（ｔｒｉｍｅｓｔｒｉｓ）、マルベラ・レプロサ（Ｍａｌｖｅｌｌａ  ｌｅｐｒｏｓａ）、シダ・ロンビフォリア（Ｓｉｄａ  ｒｈｏｍｂｉｆｏｌｉａ）、シダ種、ステルクリア・ムレクス（Ｓｔｅｒｃｕｌｉａ  ｍｕｒｅｘ）、ティリア（Ｔｉｌｉａ）・アメリカーナ、ティリア・コルダータ、ティリア・プラティフィロス（ｐｌａｔｙｐｈｙｌｌｏｓ）、ティリア・ルブラ、ティリア種、ティリア・トメントサ（ｔｏｍｅｎｔｏｓａ）、ティリア・ｘ・エウクロラ（ｅｕｃｈｌｏｒａ）、トリウムフェッタ・セミトリロバ（Ｔｒｉｕｍｆｅｔｔａ  ｓｅｍｉｔｒｉｌｏｂａ）、ワルテリア（Ｗａｌｔｈｅｒｉａ）・インディカ。
【０３１０】
マランタセアエ（Ｍａｒａｎｔａｃｅａｅ）：カラテア種（Ｃａｌａｔｈｅａ）、マランタ種（Ｍａｒａｎｔａ）。
【０３１１】
メリアセアエ（Ｍｅｌｉａｃｅａｅ）：アザディラクタ（Ａｚａｄｉｒａｃｈｔａ）・インディカ、メリア・アゼダラク（Ｍｅｌｉａ  ａｚｅｄａｒａｃｈ）、ツーナ・シリアタ（Ｔｏｏｎａ  ｃｉｌｉａｔａ）。
【０３１２】
メニスペルマセアエ（Ｍｅｎｉｓｐｅｒｍａｃｅａｅ）：ティノスポラ・フラゴサ（Ｔｉｎｏｓｐｏｒａ  ｆｒａｇｏｓａ）。
【０３１３】
モラセアエ（Ｍｏｒａｃｅａｅ）：アルトカルプス・アルティリス（Ａｒｔｏｃａｒｐｕｓ  ａｌｔｉｌｉｓ）、フィクス（Ｆｉｃｕｓ）・カリカ、フィクス・エラスティカ（ｅｌａｓｔｉｃａ）、フィクス・レリギオサ（ｒｅｌｉｇｉｏｓａ）、フィクス種、モルス（Ｍｏｒｕｓ）・アルバ、モルス・ニグラ、モルス・ルブラ、モルス種。
【０３１４】
モリンガセアエ（Ｍｏｒｉｎｇａｃｅａｅ）：モリンガ・オレイフェラ（Ｍｏｒｉｎｇａ  ｏｌｅｉｆｅｒａ）。
【０３１５】
ムサセアエ（Ｍｕｓａｃｅａｅ）：ムサ・アクミナタ（Ｍｕｓａ  ａｃｕｍｉｎａｔａ）、ムサ・バスジュー（ｂａｓｊｏｏ）、ムサ種、ムサ・ｘ・パラディシアカ（ｐａｒａｄｉｓｉａｃａ）。
【０３１６】
ミルタセアエ（Ｍｙｒｔａｃｅａｅ）：ユーカリプツス・グランディス（Ｅｕｃａｌｙｐｔｕｓ  ｇｒａｎｄｉｓ）、プシディウム・カットレイアヌム（Ｐｓｉｄｉｕｍ  ｃａｔｔｌｅｉａｎｕｍ）、プシディウム・グアジャバ（ｇｕａｊａｖａ）、シジギウム・クミニ（Ｓｙｚｙｇｉｕｍ  ｃｕｍｉｎｉ）。
【０３１７】
ノトファガセアエ（Ｎｏｔｈｏｆａｇａｃｅａｅ）：ノトファグス・アルピナ（Ｎｏｔｈｏｆａｇｕｓ  ａｌｐｉｎａ）。
【０３１８】
ニクタギナセアエ（Ｎｙｃｔａｇｉｎａｃｅａｅ）：ボウガインビレア・スペクタビリス（Ｂｏｕｇａｉｎｖｉｌｌｅａ  ｓｐｅｃｔａｂｉｌｉｓ）。
【０３１９】
オラカセアエ（Ｏｌａｃａｃｅａｅ）：キシメニア（Ｘｉｍｅｎｉａ）・アメリカーナ。
【０３２０】
オレアセアエ（Ｏｌｅａｃｅａｅ）：フォルシティア・コレアナ（Ｆｏｒｓｙｔｈｉａ  ｋｏｒｅａｎａ）、フォルシティア・ススペンサ（ｓｕｓｐｅｎｓａ）、フォルシティア・ｘ・インテルメディア（ｉｎｔｅｒｍｅｄｉａ）、フラキシヌス（Ｆｒａｘｉｎｕｓ）・アングスティフォリア、フラキシヌス・エクセルシオール（ｅｘｃｅｌｓｉｏｒ）、フラキシヌス・オルヌス（ｏｒｎｕｓ）、フラキシヌス種、ジャスミヌム・フミレ（Ｊａｓｍｉｎｕｍ  ｈｕｍｉｌｅ）、ジャスミヌム・ヌディフロルム（ｎｕｄｉｆｌｏｒｕｍ）、ジャスミヌム・オフィシナレ、ジャスミヌム・サンバク（ｓａｍｂａｃ）、ジャスミヌム種、リグストルム（Ｌｉｇｕｓｔｒｕｍ）・ルシドゥム、リグストルム・ブルガレ、オレア・エウロパエア（Ｏｌｅａ  ｅｕｒｏｐａｅａ）、オスマンサス（Ｏｓｍａｎｔｈｕｓ）・フラグランス、シリンガ・オブラタ（Ｓｙｒｉｎｇａ  ｏｂｌａｔａ）、シリンガ・ブルガリス。
【０３２１】
オナグラセアエ（Ｏｎａｇｒａｃｅａｅ）：キリスミア・クラビフォルミス（Ｃｈｙｌｉｓｍｉａ  ｃｌａｖｉｆｏｒｍｉｓ）、エピロビウム・アングスティフォリウム（Ｅｐｉｌｏｂｉｕｍ  ａｎｇｕｓｔｉｆｏｌｉｕｍ）、フクシア・マゲラニカ（Ｆｕｃｈｓｉａ  ｍａｇｅｌｌａｎｉｃａ）、フクシア種、フクシア・ｘ・ヒブリダ（ｈｙｂｒｉｄａ）、ガウラ種（Ｇａｕｒａ）、オエノテラ・ビエンニス（Ｏｅｎｏｔｈｅｒａ  ｂｉｅｎｎｉｓ）、オエノテラ・ラシニアタ（ｌａｃｉｎｉａｔａ）、オエノテラ種、オエノテラ・テトラプテラ（Ｏｅｎｏｔｈｅｒａ  ｔｅｔｒａｐｔｅｒａ）。
【０３２２】
オルキダセアエ（Ｏｒｃｈｉｄａｃｅａｅ）：カタセツム種（Ｃａｔａｓｅｔｕｍ）、シンビジウム種（Ｃｙｍｂｉｄｉｕｍ）、オルキダセアエ種、パピロナンテ・テレス（Ｐａｐｉｌｉｏｎａｎｔｈｅ  ｔｅｒｅｓ）。
【０３２３】
オキサリダセアエ（Ｏｘａｌｉｄａｃｅａｅ）：オキサリス・コルニクラタ（Ｏｘａｌｉｓ  ｃｏｒｎｉｃｕｌａｔａ）、オキサリス・デビリス（ｄｅｂｉｌｉｓ）、オキサリス・エウロパエア、オキサリス・フロリブンダ、オキサリス種。
【０３２４】
パパベラセアエ（Ｐａｐａｖｅｒａｃｅａｅ）：アルゲモネ・メキシカーナ（Ａｒｇｅｍｏｎｅ  ｍｅｘｉｃａｎａ）、ボッコニア（Ｂｏｃｃｏｎｉａ）・フルテスケンス、ケリドニウム（Ｃｈｅｌｉｄｏｎｉｕｍ）・マユス、ケリドニウム種、ディセントラ種（Ｄｉｃｅｎｔｒａ）、エシュコルジア種（Ｅｓｃｈｓｃｈｏｌｚｉａ）、フマリア（Ｆｕｍａｒｉａ）・オフィシナリス、パパベル・アクレアツム（Ｐａｐａｖｅｒ  ａｃｕｌｅａｔｕｍ）、パパベル・ヌディカウレ（ｎｕｄｉｃａｕｌｅ）、パパベル・オリエンターレ（ｏｒｉｅｎｔａｌｅ）、パパベル・ロエアス（ｒｈｏｅａｓ）、パパベル・ソムニフェルム（ｓｏｍｎｉｆｅｒｕｍ）。
【０３２５】
パッシフロラセアエ（Ｐａｓｓｉｆｌｏｒａｃｅａｅ）：パッシフローラ・カエルレア（Ｐａｓｓｉｆｌｏｒａ  ｃａｅｒｕｌｅａ）、パッシフローラ・エドゥリス（ｅｄｕｌｉｓ）、パッシフローラ・フォエティダ（ｆｏｅｔｉｄａ）、パッシフローラ・モリッシマ（ｍｏｌｌｉｓｓｉｍａ）、パッシフローラ種。
【０３２６】
パウロウニアセアエ（Ｐａｕｌｏｗｎｉａｃｅａｅ）：パウロウニア・フォルツネイ（Ｐａｕｌｏｗｎｉａ  ｆｏｒｔｕｎｅｉ）。
【０３２７】
ペダリアセアエ（Ｐｅｄａｌｉａｃｅａｅ）：セサムム（Ｓｅｓａｍｕｍ）・インディクム。
【０３２８】
フィランサセアエ（Ｐｈｙｌｌａｎｔｈａｃｅａｅ）：フィランサス・アマルス（Ｐｈｙｌｌａｎｔｈｕｓ  ａｍａｒｕｓ）、フィランサス種。
【０３２９】
フィトラッカセアエ（Ｐｈｙｔｏｌａｃｃａｃｅａｅ）：ペティベリア・アリアセア（Ｐｅｔｉｖｅｒｉａ  ａｌｌｉａｃｅａ）、フィトラッカ（Ｐｈｙｔｏｌａｃｃａ）・アメリカーナ、フィトラッカ・ディオイカ（ｄｉｏｉｃａ）、フィトラッカ・エスクレンタ、フィトラッカ・イコサンドラ（ｉｃｏｓａｎｄｒａ）。
【０３３０】
ピナセアエ（Ｐｉｎａｃｅａｅ）：ピヌス（Ｐｉｎｕｓ）・シルベストリス、ツガ（Ｔｓｕｇａ）・カナデンシス。
【０３３１】
ピットスポラセアエ（Ｐｉｔｔｏｓｐｏｒａｃｅａｅ）：ピットスポルム・トビラ（Ｐｉｔｔｏｓｐｏｒｕｍ  ｔｏｂｉｒａ）。
【０３３２】
プラタギナセアエ（Ｐｌａｎｔａｇｉｎａｃｅａｅ）：アンゲロニア種（Ａｎｇｅｌｏｎｉａ）、アンティリヌム（Ａｎｔｉｒｒｈｉｎｕｍ）・マユス、ジギタリス（Ｄｉｇｉｔａｌｉｓ）・プルプレア、ヒップリス（Ｈｉｐｐｕｒｉｓ）・ブルガリス、リナリア・ゲニスティフォリア（Ｌｉｎａｒｉａ  ｇｅｎｉｓｔｉｆｏｌｉａ）、メカルドニア・プロクムベンス（Ｍｅｃａｒｄｏｎｉａ  ｐｒｏｃｕｍｂｅｎｓ）、プランタゴ（Ｐｌａｎｔａｇｏ）・アシアティカ、プランタゴ・ランセオラタ（ｌａｎｃｅｏｌａｔａ）、プランタゴ・マヨール、プランタゴ種、ベロニカ・ペルシカ（Ｖｅｒｏｎｉｃａ  ｐｅｒｓｉｃａ）、ベロニカ種、ベロニカ・テウクリウム（ｔｅｕｃｒｉｕｍ）。
【０３３３】
プラタナセアエ（Ｐｌａｔａｎａｃｅａｅ）：プラタナス（Ｐｌａｔａｎｕｓ）・オリエンタリス、プラタナス種。
【０３３４】
プルンバギナセアエ（Ｐｌｕｍｂａｇｉｎａｃｅａｅ）：リモニアストル・グヨニアヌム（Ｌｉｍｏｎｉａｓｔｒｕ  ｇｕｙｏｎｉａｎｕｍ）、リモニウム・シヌアツム（Ｌｉｍｏｎｉｕｍ  ｓｉｎｕａｔｕｍ）、プルンバゴ・アウリクラータ（Ｐｌｕｍｂａｇｏ  ａｕｒｉｃｕｌａｔａ）、プルンバゴ種。
【０３３５】
ポアセアエ（Ｐｏａｃｅａｅ）：アエギロプス種（Ａｅｇｉｌｏｐｓ）、アグロピロン・デセルトルム（Ａｇｒｏｐｙｒｏｎ  ｄｅｓｅｒｔｏｒｕｍ）、アイラ種（Ａｉｒａ）、アベナ・ファツア（Ａｖｅｎａ  ｆａｔｕａ）、アベナ・サティバ、アベナ種、アベナ・ステリリス（ｓｔｅｒｉｌｉｓ）、バムブサ（Ｂａｍｂｕｓａ）種、ブロムス・カタルティクス（Ｂｒｏｍｕｓ  ｃａｔｈａｒｔｉｃｕｓ）、ブロムス種、コンドロスム・バルバツム（Ｃｈｏｎｄｒｏｓｕｍ  ｂａｒｂａｔｕｍ）、シノドン・ダクティロン（Ｃｙｎｏｄｏｎ  ｄａｃｔｙｌｏｎ）、ダクティロクテニウム・アエジプティウム（Ｄａｃｔｙｌｏｃｔｅｎｉｕｍ  ａｅｇｙｐｔｉｕｍ）、ジギタリア・アルギラセア（Ｄｉｇｉｔａｒｉａ  ａｒｇｉｌｌａｃｅａ）、ジギタリア・シリアリス（ｃｉｌｉａｒｉｓ）、ジギタリア・ディベルシネルビス（ｄｉｖｅｒｓｉｎｅｒｖｉｓ）、ジギタリア・サングイナリス（ｓａｎｇｕｉｎａｌｉｓ）、エレウシネ・コラカナ（Ｅｌｅｕｓｉｎｅ  ｃｏｒａｃａｎａ）、エリムス・ヒスピドゥス（Ｅｌｙｍｕｓ  ｈｉｓｐｉｄｕｓ）、エリムス・レペンス、エラグロスティス種（Ｅｒａｇｒｏｓｔｉｓ）、フェスツカ・アルンディナセア（Ｆｅｓｔｕｃａ  ａｒｕｎｄｉｎａｃｅａ）、フェスツカ種、ヘリクトトリコン（Ｈｅｌｉｃｔｏｔｒｉｃｈｏｎ）・プラテンセ、ホルデウム種（Ｈｏｒｄｅｕｍ）、ロリウム・ムルティフロルム（Ｌｏｌｉｕｍ  ｍｕｌｔｉｆｌｏｒｕｍ）、ロリウム属、オフィウロス・エクサルタツス（Ｏｐｈｉｕｒｏｓ  ｅｘａｌｔａｔｕｓ）、オリザ・グラベリマ（Ｏｒｙｚａ  ｇｌａｂｅｒｒｉｍａ）、オリザ・サティバ、パニクム・ミリアセウム（Ｐａｎｉｃｕｍ  ｍｉｌｉａｃｅｕｍ）、パニクム種、パスパルム・ディラタツム（Ｐａｓｐａｌｕｍ  ｄｉｌａｔａｔｕｍ）、ペニセツム・クランデスティヌム（Ｐｅｎｎｉｓｅｔｕｍ  ｃｌａｎｄｅｓｔｉｎｕｍ）、ペニセツム・プルプレウム、フレウム（Ｐｈｌｅｕｍ）・プラテンセ、ポア（Ｐｏａ）・アンヌア、ポア・プラテンシス、ポア・トリビアリス（ｔｒｉｖｉａｌｉｓ）、ポアセアエ種（Ｐｏａｃｅａｅ）、ロットボエッリア・コキンキネンシス（Ｒｏｔｔｂｏｅｌｌｉａ  ｃｏｃｈｉｎｃｈｉｎｅｎｓｉｓ）、サッカルム・オフィシナルム（Ｓａｃｃｈａｒｕｍ  ｏｆｆｉｃｉｎａｒｕｍ）、セタリア・プミラ（Ｓｅｔａｒｉａ  ｐｕｍｉｌａ）、セタリア・ビリディス、シタニオン・ヒストリクス（Ｓｉｔａｎｉｏｎ  ｈｙｓｔｒｉｘ）、ソルグム（Ｓｏｒｇｈｕｍ）・ビコロル、ソルグム・ハレペンセ（ｈａｌｅｐｅｎｓｅ）、ソルグム種、ステノタフルム・セクンダツム（Ｓｔｅｎｏｔａｐｈｒｕｍ  ｓｅｃｕｎｄａｔｕｍ）、トリティクム種（Ｔｒｉｔｉｃｕｍ）、ゼア・マイス（Ｚｅａ  ｍａｙｓ）、ゼウギテス種（Ｚｅｕｇｉｔｅｓ）。
【０３３６】
ポレモニアセアエ（Ｐｏｌｅｍｏｎｉａｃｅａｅ）：フロックス・カロリナ（Ｐｈｌｏｘ  ｃａｒｏｌｉｎａ）、フロックス・パニクラタ、フロックス種。
【０３３７】
ポリゴナセアエ（Ｐｏｌｙｇｏｎａｃｅａｅ）：エメクス（Ｅｍｅｘ）・アウストラリス、ファロピア・バルデシュアニカ（Ｆａｌｌｏｐｉａ  ｂａｌｄｓｃｈｕａｎｉｃａ）、ファロピア・コンボルブルス、ペリシカリア・ヒドロピペル（Ｐｅｒｓｉｃａｒｉａ  ｈｙｄｒｏｐｉｐｅｒ）、ペルシカリア・ロンギセタ（ｌｏｎｇｉｓｅｔａ）、ペルシカリア・マクロサ（ｍａｃｕｌｏｓａ）、ペルシカリア・ペンシルバニカ（ｐｅｎｓｙｌｖａｎｉｃａ）、ポリゴナム・アルギロコレオン（ａｒｇｙｒｏｃｏｌｅｏｎ）、ポリゴナム・アビクラレ（ａｖｉｃｕｌａｒｅ）、ルメクス・アセトサ（Ｒｕｍｅｘ  ａｃｅｔｏｓａ）、ルメクス・アセトセラ（ａｃｅｔｏｓｅｌｌａ）、ルメクス・クリスプス（ｃｒｉｓｐｕｓ）、ルメクス・ジャポニクス、ルメクス・オブツシフォリウム、ルメクス種。
【０３３８】
ポンテデリアセアエ（Ｐｏｎｔｅｄｅｒｉａｃｅａｅ）：エイコルニア・クラシペス（Ｅｉｃｈｈｏｒｎｉａ  ｃｒａｓｓｉｐｅｓ）。
【０３３９】
ポルツラセアエ（Ｐｏｒｔｕｌａｃａｃｅａｅ）：ポルツラカ（Ｐｏｒｔｕｌａｃａ）・オレラセア。
【０３４０】
プリムラセアエ（Ｐｒｉｍｕｌａｃｅａｅ）：シクラメン（Ｃｙｃｌａｍｅｎ）・グラエクム、シクラメン・ヘデリフォリウム（ｈｅｄｅｒｉｆｏｌｉｕｍ）、シクラメン・ペルシクム（ｐｅｒｓｉｃｕｍ）、シクラメン種、プリムラ・デンティクラタ（Ｐｒｉｍｕｌａ  ｄｅｎｔｉｃｕｌａｔａ）、プリムラ・ポリアンタ（ｐｏｌｙａｎｔｈａ）、プリムラ種、プリムラ・ベリス（ｖｅｒｉｓ）。
【０３４１】
ラナンキュラセアエ（Ｒａｎｕｎｃｕｌａｃｅａｅ）：アドニス・アエスティバリス（Ａｄｏｎｉｓ  ａｅｓｔｉｖａｌｉｓ）、アネモネ・コロナリア（Ａｎｅｍｏｎｅ  ｃｏｒｏｎａｒｉａ）、アネモネ・ホルテンシス（ｈｏｒｔｅｎｓｉｓ）、アクイレギア種（Ａｑｕｉｌｅｇｉａ）、クレマティス（Ｃｌｅｍａｔｉｓ）・パニクラタ、クレマティス種、デルフィニウム種（Ｄｅｌｐｈｉｎｉｕｍ）、ヘレボルス種（Ｈｅｌｌｅｂｏｒｕｓ）、ラナンキュラス・アシアティクス（Ｒａｎｕｎｃｕｌｕｓ  ａｓｉａｔｉｃｕｓ）、タリクトルム・フェンドレリ（Ｔｈａｌｉｃｔｒｕｍ  ｆｅｎｄｌｅｒｉ）。
【０３４２】
レセダセアエ（Ｒｅｓｅｄａｃｅａｅ）：レセダ・オドラータ（Ｒｅｓｅｄａ  ｏｄｏｒａｔａ）。
【０３４３】
ラムナセアエ（Ｒｈａｍｎａｃｅａｅ）：フラングラ・ドデネイ（Ｆｒａｎｇｕｌａ  ｄｏｄｏｎｅｉ）、ヘリヌス・インテグリフォリウス（Ｈｅｌｉｎｕｓ  ｉｎｔｅｇｒｉｆｏｌｉｕｓ）、ラムヌス（Ｒｈａｍｎｕｓ）・アルピナ、ラムヌス・イメレティナ（ｉｍｅｒｅｔｉｎａ）、ジジフス・ジュジュバ（Ｚｉｚｉｐｈｕｓ  ｊｕｊｕｂａ）、ジジフス・スピナクリスティ（ｓｐｉｎａ−ｃｈｒｉｓｔｉ）。
【０３４４】
ロサセアエ（Ｒｏｓａｃｅａｅ）：アルケミラ（Ａｌｃｈｅｍｉｌｌａ）・ブルガリス、アルメニアカ・ムメ（Ａｒｍｅｎｉａｃａ  ｍｕｍｅ）、セラスス・ルシタニカ（Ｃｅｒａｓｕｓ  ｒｕｓｉｔａｎｉｃａ）、セラスス・セルラ（ｓｅｒｒｕｌａ）、セラスス・ブルガリス、カエノメレス（Ｃｈａｅｎｏｍｅｌｅｓ）・ジャポニカ、カエノメレス・シネンシス、コトネアスター・ホリゾンタリス（Ｃｏｔｏｎｅａｓｔｅｒ  ｈｏｒｉｚｏｎｔａｌｉｓ）、コトネアスター・ミクロフィルス（ｍｉｃｒｏｐｈｙｌｌｕｓ）、コトネアスター・トメントサ、クラタエグス・ラエビガタ（Ｃｒａｔａｅｇｕｓ  ｌａｅｖｉｇａｔａ）、クラタエグス・モノギナ（ｍｏｎｏｇｙｎａ）、クラタエグス・サングイネア、シドニア・オブロンガ（Ｃｙｄｏｎｉａ  ｏｂｌｏｎｇａ）、エリオボトリア（Ｅｒｉｏｂｏｔｒｙａ）・ジャポニカ、フィリペンドゥラ・ウルマリア（Ｆｉｌｉｐｅｎｄｕｌａ  ｕｌｍａｒｉａ）、フラガリア（Ｆｒａｇａｒｉａ）・モスカタ、フラガリア・ベスカ（ｖｅｓｃａ）、フラガリア・ビルギニアナ、フラガリア・ｘ・アナナッサ（ａｎａｎａｓｓａ）、ゲウム・リバレ（Ｇｅｕｍ  ｒｉｖａｌｅ）、マルス（Ｍａｌｕｓ）・ドメスティカ、マルス・フロリブンダ、マルス・プミラ、マルス種、マルセテラ・マデレンシス（Ｍａｒｃｅｔｅｌｌａ  ｍａｄｅｒｅｎｓｉｓ）、パドゥス・アビウム（Ｐａｄｕｓ  ａｖｉｕｍ）、ポテンティラ・フラガリオイデス（Ｐａｔｅｎｔｉｌｌａ  ｆｒａｇａｒｉｏｉｄｅｓ）、ポテンティラ・フルティコサ、ポテンティラ・ノルベギカ（ｎｏｒｖｅｇｉｃａ）、ポテンティラ・タナセティフォリア（ｔａｎａｃｅｔｉｆｏｌｉａ）、プルヌス・アミグダルス（Ｐｒｕｎｕｓ  ａｍｙｇｄａｌｕｓ）、プルヌス・アルメニアカ、プルヌス・アビウム、プルヌス・セラシフェラ（ｃｅｒａｓｉｆｅｒａ）、プルヌス・セラソイデス（ｃｅｒａｓｏｉｄｅｓ）、プルヌス・セラスス、プルヌス・ドメスティカ、プルヌス・インシティティア（ｉｎｓｉｔｉｔｉａ）、プルヌス・ルシタニカ（ｌｕｓｉｔａｎｉｃａ）、プルヌス・ペルシカ（ｐｅｒｓｉｃａ）、プルヌス・サリシナ（ｓａｌｉｃｉｎａ）、プルヌス・セロチナ（ｓｅｒｏｔｉｎａ）、プルヌス種、プルヌス・スピノサ、ピラカンタ（Ｐｙｒａｃａｎｔｈａ）・コシネア、ピラカンタ・コイズミイ（ｋｏｉｄｚｕｍｉｉ）、ピラカンタ種、ピルス（Ｐｙｒｕｓ）・コンムニス、ピルス・ピリフォリア（ｐｙｒｉｆｏｌｉａ）、ピルス種、ロサ・カニナ（Ｒｏｓａ  ｃａｎｉｎａ）、ロサ・シモサ（ｃｙｍｏｓａ）、ロサ・ヒブリダ、ロサ・ムルティフロラ（ｍｕｌｔｉｆｌｏｒａ）、ロサ・オドラタ、ロサ・ルゴサ（ｒｕｇｏｓａ）、ロサ種、ロサ・ｘ・アルバ、ロサ・ｘ・センティフォリア（ｃｅｎｔｉｆｏｌｉａ）、ロサ・ｘ・ダマセナ（ｄａｍａｓｃｅｎａ）、ロサ・ｘ・ルゴサ、ルブス・ブエルゲリ（Ｒｕｂｕｓ  ｂｕｅｒｇｅｒｉ）、ルブス・カエロフィルス（ｃｈａｅｒｏｐｈｙｌｌｕｓ）、ルブス・キンギイ（ｃｈｉｎｇｉｉ）、ルブス・フルティコスス（ｆｒｕｔｉｃｏｓｕｓ）、ルブス・イダエウス（ｉｄａｅｕｓ）、ルブス・ロイディアヌス（ｌｌｏｙｄｉａｎｕｓ）、ルブス・オクシデンタリス（���ｃｃｉｄｅｎｔａｌｉｓ）、ルブス種、ルブス・ウルミフォリウス（ｕｌｍｉｆｏｌｉｕｓ）、ソルブス・アウクパリア（Ｓｏｒｂｕｓ  ａｕｃｕｐａｒｉａ）、ソルブス種、スピラエア（Ｓｐｉｒａｅａ）・ジャポニカ。
【０３４５】
ルビアセアエ（Ｒｕｂｉａｃｅａｅ）：コフィア（Ｃｏｆｆｅａ）・アラビカ、コフィア種、ガリウム・アパリネ（Ｇａｌｉｕｍ  ａｐａｒｉｎｅ）、ガリウム・ステラツム（ｓｔｅｌｌａｔｕｍ）、ガルデニア・ジャスミノイデス（Ｇａｒｄｅｎｉａ  ｊａｓｍｉｎｏｉｄｅｓ）、ガルデニア種。
【０３４６】
ルタセアエ（Ｒｕｔａｃｅａｅ）：コイシャ・テルナタ（Ｃｈｏｉｓｙａ  ｔｅｒｎａｔａ）、シトラス・アウランティフォリア（Ｃｉｔｒｕｓ  ａｕｒａｎｔｉｉｆｏｌｉａ）、シトラス・アウランティウム（ａｕｒａｎｔｉｕｍ）、シトラス・クレメンティナ（ｃｌｅｍｅｎｔｉｎａ）、シトラス・リモン（ｌｉｍｏｎ）、シトラス・マキシマ、シトラス・メディカ（ｍｅｄｉｃａ）、シトラス・パラディシ（ｐａｒａｄｉｓｉ）、シトラス・レティクラタ、シトラス・シネンシス、シトラス種、シトラス・トリフォリアタ（ｔｒｉｆｏｌｉａｔａ）、ルタ（Ｒｕｔａ）・グラベオレンス、ザントキシラム・ロイフォリウム（Ｚａｎｔｈｏｘｙｌｕｍ  ｒｈｏｉｆｏｌｉｕｍ）。
【０３４７】
サリカセアエ（Ｓａｌｉｃａｃｅａｅ）：ドビアリス・カフラ（Ｄｏｖｙａｌｉｓ  ｃａｆｆｒａ）、ポプルス（Ｐｏｐｕｌｕｓ）・アルバ、ポプルス・ニグラ、ポプルス種、ポプルス・トレムラ（ｔｒｅｍｕｌａ）、ポプルス・ｘ・カナデンシス、サリクス・アエギプティアカ（Ｓａｌｉｘ  ａｅｇｙｐｔｉａｃａ）、サリクス・アルバ、サリクス・バビロニカ（ｂａｂｙｌｏｎｉｃａ）、サリクス・カプレア（ｃａｐｒｅａ）、サリクス・カエノメロイデス（ｃｈａｅｎｏｍｅｌｏｉｄｅｓ）、サリクス・デフノイデス（ｄｅｐｈｎｏｉｄｅｓ）、サリクス・フラギリス（ｆｒａｇｉｌｉｓ）、サリクス種、サリクス・ビミナリス（ｖｉｍｉｎａｌｉｓ）。
【０３４８】
サピンダセアエ（Ｓａｐｉｎｄａｃｅａｅ）：アセル・カンペストレ（Ａｃｅｒ  ｃａｍｐｅｓｔｒｅ）、アセル・ネグンド、アセル・プラタノイデス（ｐｌａｔａｎｏｉｄｅｓ）、アセル・プセウドプラタヌス（ｐｓｅｕｄｏｐｌａｔａｎｕｓ）、アセル・ルブルム、アセル・サッカルム、アセル種、アエスクルス・グラブラ（Ａｅｓｃｕｌｕｓ  ｇｌａｂｒａ）、ドドナエア（Ｄｏｄｏｎａｅａ）・ビスコーサ、コエルレウテリア（Ｋｏｅｌｒｅｕｔｅｒｉａ）・パニクラタ、リッチ（Ｌｉｔｃｈｉ）・シネンシス、サピンドゥス種（Ｓａｐｉｎｄｕｓ）。
【０３４９】
サクシフラガセアエ（Ｓａｘｉｆｒａｇａｃｅａｅ）：ロドゲルシア・ポドフィラ（Ｒｏｄｇｅｒｓｉａ  ｐｏｄｏｐｈｙｌｌａ）。
【０３５０】
スクロフラリアセアエ（Ｓｃｒｏｐｈｕｌａｒｉａｃｅａｅ）：ブドレジャ・ダビジ（Ｂｕｄｄｌｅｊａ  ｄａｖｉｄｉｉ）、ブドレジャ・マダガスカリエンシス（ｍａｄａｇａｓｃａｒｉｅｎｓｉｓ）、ディアスキア種（Ｄｉａｓｃｉａ）、ミオポルム種（Ｍｙｏｐｏｒｕｍ）、ネメシア種（Ｎｅｍｅｓｉａ）、バーバスカム・ブラッタリア（Ｖｅｒｂａｓｃｕｍ  ｂｌａｔｔａｒｉａ）。
【０３５１】
シマロウバセアエ（Ｓｉｍａｒｏｕｂａｃｅａｅ）：アイランサス・アルティシマ（Ａｉｌａｎｔｈｕｓ  ａｌｔｉｓｓｉｍａ）
【０３５２】
ソラナセアエ（Ｓｏｌａｎａｃｅａｅ）：アクニスツス（Ａｃｎｉｓｔｕｓ）・アルボレセンス、ブルグマンシア（Ｂｒｕｇｍａｎｓｉａ）・アルボレア、ブルグマンシア・スアベオレンス（ｓｕａｖｅｏｌｅｎｓ）、ブルグマンシア・ｘ・カンディダ（ｃａｎｄｉｄａ）、カリブラコア種（Ｃａｌｉｂｒａｃｈｏａ）、カプシクム・アヌウム（Ｃａｐｓｉｃｕｍ  ａｎｎｕｕｍ）、カプシクム種、ケストルム・シアネウム（Ｃｅｓｔｒｕｍ  ｃｙａｎｅｕｍ）、ケストルム・エレガンス、ケストルム・ストリギラツム（ｓｔｒｉｇｉｌｌａｔｕｍ）、シフォマンドラ種（Ｃｙｐｈｏｍａｎｄｒａ）、ダツラ・メテル（Ｄａｔｕｒａ  ｍｅｔｅｌ）、ダツラ種、ダツラ・ストラモニウム（Ｄａｔｕｒａ  ｓｔｒａｍｏｎｉｕｍ）、リシウム（Ｌｙｃｉｕｍ）・キネンセ、ニカンドラ・フィサロデス（Ｎｉｃａｎｄｒａ  ｐｈｙｓａｌｏｄｅｓ）、ニコチアナ・グラウカ（Ｎｉｃｏｔｉａｎａ  ｇｌａｕｃａ）、ニコチアナ種、ニコチアナ・タバカム（ｔａｂａｃｕｍ）、ペチュニア種（Ｐｅｔｕｎｉａ）、ペチュニア・ｘ・ハイブリッド（ｈｙｂｒｉｄ）、フィサリス・アクティフォリア（Ｐｈｙｓａｌｉｓ  ａｃｕｔｉｆｏｌｉａ）、フィサリス・アルケケンギ（ａｌｋｅｋｅｎｇｉ）、フィサリス・アングラタ（ａｎｇｕｌａｔａ）、フィサリス・レガスカエ（ｌａｇａｓｃａｅ）、フィサリス・ペルビアナ（ｐｅｒｕｖｉａｎａ）、サルピクロア・オリガニフォリア（Ｓａｌｐｉｃｈｒｏａ  ｏｒｉｇａｎｉｆｏｌｉａ）、ソラナム・アエチオピカム（Ｓｏｌａｎｕｍ  ａｅｔｈｉｏｐｉｃｕｍ）、ソラナム・アメリカヌム、ソラナム・カプシコイデス（ｃａｐｓｉｃｏｉｄｅｓ）、ソラナム・カロリネンセ（ｃａｒｏｌｉｎｅｎｓｅ）、ソラナム・デラゴエンセ（ｄｅｌａｇｏｅｎｓｅ）、ソラナム・エラエアグニフォリウム（ｅｌａｅａｇｎｉｆｏｌｉｕｍ）、ソラナム・グランディフロルム、ソラナム・ラシニアツム（ｌａｃｉｎｉａｔｕｍ）、ソラナム・リコペルシカム（ｌｙｃｏｐｅｒｓｉｃｕｍ）、ソラナム・マクロカルポン（ｍａｃｒｏｃａｒｐｏｎ）、ソラナム・マンモスム（ｍａｍｍｏｓｕｍ）、ソラナム・メロンゲナ（ｍｅｌｏｎｇｅｎａ）、ソラナム・ムリカツム（ｍｕｒｉｃａｔｕｍ）、ソラナム・ニグルム、ソラナム・パンドゥラエフォルメ（ｐａｎｄｕｒａｅｆｏｒｍｅ）、ソラナム・クイトエンセ（ｑｕｉｔｏｅｎｓｅ）、ソラナム種、ソラナム・ツベロスム（ｔｕｂｅｒｏｓｕｍ）、ウィタニア・ソムニフェラ（Ｗｉｔｈａｎｉａ  ｓｏｍｎｉｆｅｒａ）。
【０３５３】
ストレリチアセアエ（Ｓｔｒｅｌｉｔｚｉａｃｅａｅ）：ストレリチア・レギナエ（Ｓｔｒｅｌｉｔｚｉａ  ｒｅｇｉｎａｅ）。
【０３５４】
テアセアエ（Ｔｅａｃｅａｅ）：カメリア（Ｃａｍｅｌｌｉａ）・ジャポニカ、カメリア・シネンシス、カメリア種。
【０３５５】
チメラエアセアエ（Ｔｈｙｍｅｌａｅａｃｅａｅ）：ダイス・コティニフォリア（Ｄａｉｓ  ｃｏｔｉｎｉｆｏｌｉａ）。
【０３５６】
トロパエオラセアエ（Ｔｒｏｐａｅｏｌａｃｅａｅ）：トロパエオルム（Ｔｒｏｐａｅｏｌｕｍ）・マユス、トロパエオルム種
【０３５７】
ウルマセアエ（Ｕｌｍａｃｅａｅ）：ウルムス（Ｕｌｍｕｓ）・アメリカーナ、ウルムス・グラブラ、ウルムス・ラエビス、ウルムス・プミラ、ウルムス・ルブラ、ウルムス種。
【０３５８】
ウルティカセアエ（Ｕｒｔｉｃａｃｅａｅ）：ボエメリア・ニベア（Ｂｏｅｈｍｅｒｉａ  ｎｉｖｅａ）、ラポルテア・アエスツアンス（Ｌａｐｏｒｔｅａ  ａｅｓｔｕａｎｓ）、パリエタリア・ジュダイカ（Ｐａｒｉｅｔａｒｉａ  ｊｕｄａｉｃａ）、パリエタリア・オフィシナリス、ピプツルス・アルビドゥス（Ｐｉｐｔｕｒｕｓ  ａｌｂｉｄｕｓ）、ウルティカ（Ｕｒｔｉｃａ）・ディオイカ、ウルティカ種、ウルティカ・ウレンス（ｕｒｅｎｓ）。
【０３５９】
ベルベナセアエ（Ｖｅｒｂｅｎａｃｅａｅ）：アロイシア・シトリオドラ（Ａｌｏｙｓｉａ  ｃｉｔｒｉｏｄｏｒａ）、ドゥランタ（Ｄｕｒａｎｔａ）・エレクタ、グランドゥラリア・フロギフロラ（Ｇｌａｎｄｕｌａｒｉａ  ｐｈｌｏｇｉｆｌｏｒａ）、ランタナ・カマラ（Ｌａｎｔａｎａ  ｃａｍａｒａ）、リピア（Ｌｉｐｐｉａ）・アルバ、ベルベナ（Ｖｅｒｂｅｎａ）・ブラクテアタ、ベルベナ・ブラシリエンシス、ベルベナ・ヒブリダ、ベルベナ・オフィシナリス、ベルベナ種。
【０３６０】
ビオラセアエ（Ｖｉｏｌａｃｅａｅ）：ビオラ（Ｖｉｏｌａ）・オドラータ、ビオラ種、ビオラ・トリコロル、ビオラ・ｘ・ウィットロキアナ（ｗｉｔｔｒｏｃｋｉａｎａ）。
【０３６１】
ビタセアエ（ｖｉｔａｃｅａｅ）：アンペロプシス種（Ａｍｐｅｌｏｐｓｉｓ）、パルテノキッスス・クインクエフォリア（Ｐａｒｔｈｅｎｏｃｉｓｓｕｓ  ｑｕｉｎｑｕｅｆｏｌｉａ）、パルテノキッスス・トリクスピダタ（ｔｒｉｃｕｓｐｉｄａｔａ)、ビティス種（Ｖｉｔｉｓ）、ビティス・ビニフェラ（ｖｉｎｉｆｅｒａ）。
【０３６２】
クサントロエアセアエ（ｘａｎｔｈｏｒｒｈｏｅａｃｅａｅ）：ヘメロカリス・フルバ（Ｈｅｍｅｒｏｃａｌｌｉｓ  ｆｕｌｖａ）、ヘメロカリス・ミノル（ｍｉｎｏｒ）。
【０３６３】
ジンギベラセアエ（Ｚｉｎｇｉｂｅｒａｃｅａｅ）：クルクマ・ロンガ（Ｃｕｒｃｕｍａ  ｌｏｎｇａ）、ジンギベル・ミオガ（Ｚｉｎｇｉｂｅｒ  ｍｉｏｇａ）。
【０３６４】
ジゴフィラセアエ（Ｚｙｇｏｐｈｙｌｌａｃｅａｅ）：トリブルス・テレストリス（Ｔｒｉｂｕｌｕｓ  ｔｅｒｒｅｓｔｒｉｓ）。
【０３６５】
「真菌減少剤（ｆｕｎｇｕｓ  ｒｅｄｕｃｉｎｇ  ａｇｅｎｔ又はｆｕｎｇａｌ  ｒｅｄｕｃｉｎｇ  ａｇｅｎｔ）」という用語は、以下、天然又は合成の殺菌剤などの化学的な真菌減少剤、又は抗真菌滲出物を産生するダニ種の個体群、又は食菌性の個体群などの生物学的な真菌還元剤を指す。
【０３６６】
上記のいずれかに定義される飼育組成物が、真菌減少剤を含まないか、又は該減少剤に欠けることは、本発明の範囲内である。本発明の請求されたフィトセイウルスダニは、任意の発育期及び／又は卵でダニを含むアスティグマタ非生存個体で飼育された場合、その生涯過程を完了し、少なくとも２世代にわたって繁殖することができる。非生存アスティグマタダニの発育期は、菌類減少剤を産生又は分泌することができないことが注目される。
【実施例】
【０３６７】
本発明を理解し、本発明が実際にどのように実施され得るかを理解するために、以下の実施例を参照して、複数の好ましい実施形態を、非限定的な実施例としてのみここに記載する。
【０３６８】
［実施例１］
＜Ｐ．ペルシミリスの飼育プロトコール＞
この実施例では、Ｐ．ペルシミリスに、Ｃ．ラクティスの死んだ凍結発育期とおがくず又は別の担体材料（例えばふすま）とを含む混合物を与えて飼育する。被食性ダニは、食餌として使用する前に、固定化処理、例えばそれらを凍結することによって、又はガンマ線照射処理によって固定化した。
【０３６９】
例示された成長条件：
温度：１８℃〜３０℃の範囲、特に約２２℃。
湿度：６０％超、特に約８５％。
【０３７０】
前述の供給レジメを用いることにより、Ｐ．ペルシミリス個体群は１日あたり平均約１５％増加した。
【０３７１】
図３は、１４週間の間に死んだＣ．ラクティスの卵と可動期（凍結で殺す）の混合物を摂食したＰ．ペルシミリスの１日あたりの繁殖率をグラフで示したものである。見てわかるように、Ｐ．ペルシミリスの繁殖率の平均約１０％〜約２０％の間の増加が１日あたりで記録された。
【０３７２】
本実験に用いた方法：
Ｐ．ペルシミリス個体群を、２２℃、８５％の相対湿度でおがくずとの混合物中で被食性ダニとして死んだＣ．ラクティスを用いて飼育した。毎週、混合物の重量を測定し、約５０ｍｇを含む４つの試料を採取し、黒い粘着テープ上に置き、計数した。これらの計数に従って総個体数を算出し、各週の飼育に１５００個体を残した。繁殖率は、発見された個体の総数を１５００で除することによって計算して、この週の間に個体群が増えた係数を与えた。１日あたりの繁殖率に切り替えるために、この数の７乗根を以下の式に従って求めた。
【０３７３】
【数１】
2021516994.tif 000003
ここで、λは１日あたりの繁殖率、Ｎ（０）は前の計数において飼育に残されたダニ数（この場合は１５００）、Ｎ（ｔ）は現在の計数において発見されたダニ数であり、ｔ＝７である。
【０３７４】
［実施例２］
＜アスティグマティドダニ種によるＰ．ペルシミリスの飼育＞
本実験では、以下のプロトコールを用いて、異なるダニ種をＰ．ペルシミリスの食物として試験した。
【０３７５】
修飾されたミュンガー細胞から３０匹のＰ．ペルシミリスダニを単離し、以下に挙げる種の凍結アスティグマティックダニを与えた。毎日食物を交換し、ダニの摂食兆候を確認した。指標として用いた兆候は、完全な丸い体（非摂食ダニの扁平な体に反して）、及びハダニを摂食する際の通常のオレンジ色とは対照的に白っぽい色調であった。
【０３７６】
次に、以下の被食性種の各々から３日間連続して食餌を与えた後の、体の形状及び色によって現れる摂食兆候を示すＰ．ペルシミリスの割合をグラフで示す図４を参照する。
ＧＤ＝グリシファグス・ドメスティクス（グリシファギダエ科）
ＬＤ＝レピドグリフス（Ｌｅｐｉｄｏｇｙｐｈｕｓ）・デストラクター（グリシファギダエ科）
ＤＦ＝デルマトファゴイデス・ファリナエ（ピログリフィダエ科）
ＤＰ＝デルマトファゴイデス・プテロニシヌス（ピログリフィダエ科）
ＣＬ＝カルボグリフス・ラクティス（カルポグリフィダエ科）
【０３７７】
Ｐ．ペルシミリスは、上記のアスティグマティック被食性種の全てを摂食することができ、効率は様々であることがわかる。
【０３７８】
［実施例３］
＜Ｐ．ペルシミリスの被食性ダニとしてのアムブリセイウス・スウィルスキイの使用＞
この実験では、５０匹の捕食性ダニにＡ．スウィルスキイの凍結ダニを２２℃、８５%ＲＨで食餌として与え、毎日チェックした。ダニは体型が大きく、白っぽい色調で摂食兆候を示していた。産卵を開始すると、個体群から卵を除去し、分離し、ふ化率をモニターした。ふ化に注目し、その後、得られた幼虫が成熟した。これらのダニが成熟すると、産卵を確認するために２匹を分離した。これらの雌は実際に産卵し、得られた卵のふ化を観察した。これは、Ｐ．ペルシミリスは食餌としての凍結したＡ．スウィルスキイで少なくとも２世代の発育及び繁殖が可能であり、第３世代で産卵された卵は生存能力があることを実証する。
【０３７９】
［実施例４］
＜Ｐ．ペルシミリスの緩徐放出システム＞
本発明のいくつかの実施形態による、Ｐ．ペルシミリスの防除された放出システムの記述を参照する。死んだＣ．ラクティス被食性ダニで飼育された約２００匹のＰ．ペルシミリスダニと担体としてのおがくずを含む混合物を、その蓋に出口孔をあけた容器（例えばサシェ又は約１００ｍｌの小さなプラスチック瓶）に入れた。容器を、制御された条件（２５℃、湿度７５％）で粘着テープ又は表面に置いた。粘着テープを週２回交換し、その上に現れたＰ．ペルシミリスダニを計数し、容器からの放出率を評価した。
【０３８０】
次に、実験の開始からの日数の関数として、容器からのダニ放出率をグラフで示す図５を参照する。
【０３８１】
図５に示すように、ダニは２０日間容器から継続的に放出され、放出ピークは９日目前後（８〜１０日目）に起こる。捕食性ダニの放出率は１日に約２〜２５匹の間のダニである。この実施例は、本発明の飼育組成及び方法に基づいて、Ｐ．ペルシミリスのための緩徐放出システム又は制御放出システム（少なくとも約２０日間）が構築されることを実証する。
【０３８２】
［実施例５］
＜被食性ダニとしてのＣ．ラクティスで飼育されたフィトセイウルス・ロンギペス＞
次に、フィトセイウルス属のさらに代表的な例として、フィトセイウルス・ロンギペス（Ｐ．ロンギペス)に、被食性ダニとして死んだＣ．ラクティスを含む混合物を与えて飼育する実施例を参照する。
【０３８３】
例示的な飼育プロトコール：  Ｐ．ロンギペス個体群を、被食性ダニとして死んだＣ．ラクティスを用い、おがくずとの混合物中で２２℃及び相対湿度８５％で飼育した。ダニは、Ｃ．ラクティスを摂食したＰ．ペルシミリスについて上に示したように（図１及び２参照）、典型的な赤みがかった色から白にその色を変えることによって摂食兆候を示した。加えて、Ｐ．ロンギペスダニの異なるライフステージの全てが観察され、そのことはこの種がこの代替食餌でその発育サイクルを完了したことを示した。飼育を３週間維持し、Ｐ．ロンギペス個体群が少なくともこの期間、死んだＣ．ラクティス食餌で飼育され得ることを示した。
【０３８４】
［実施例６］
＜被食性ダニとしてのＣ．ラクティスにより繁殖率が増加したＰ．ペルシミリス個体群についての繁殖及び選定＞
この実験は、被食性ダニとしてＣ．ラクティスでの飼育に適応したＰ．ペルシミリス個体群の繁殖及び選定に成功したことを示す。この実施例に示されるように、選定されたＰ．ペルシミリス個体群は、アスティグマティドダニ個体で飼育された場合、繁殖率が大幅に増加するという有利で望ましい特性を特徴とする。
【０３８５】
＜実験プロトコール＞：
被食性ダニとして死んだＣ．ラクティスを用いて、２２℃及び８５％の相対湿度でおがくずとの混合物中でP．ペルシミリスを飼育した。毎週、混合物の重量を測定し、各々約５０ｍｇを含む４つの試料を採取し、黒色粘着テープ上に置き、計数した。これらの計数に従って総個体数を算出し、各週の飼育用に１５００個体を残した。繁殖率は、発見された個体の総数を１５００で除することによって算出して、この週の間に個体群が増えた係数を与えた。１日あたりの繁殖率を算出するために、この計算数の７乗根を以下の式に従って求めた。
【０３８６】
【数２】
2021516994.tif 000004
式中、λは１日あたりの繁殖率、Ｎ（０）は飼育のために残されたダニの初期数（すなわち、１５００匹のダニ）、Ｎ（ｔ）は1週間の飼育後に発見されたダニの総数であり、ｔ＝７である。
【０３８７】
各個体群を４〜１０週間維持し、測定したことが注目される。手順全体を３回繰り返した。
【０３８８】
次に、対照（図６でＰ−と表示）として使用した従来の又は市販のＰ．ペルシミリス個体群（自然宿主、すなわちハダニで飼育）と比較した、人工的宿主被食性ダニ（図６でＰ＋と表示）としてのＣ．ラクティスへの適応のために繁殖され、選択されたＰ．ペルシミリス個体群の間で、観察された１日の繁殖率の相違（λで表される、有限の増加率）を示す図６を参照する。この図は、試験中にλ値で認められた平均値及び標準誤差を表す。
【０３８９】
図６に見られるように、Ｃ．ラクティス個体（Ｐ＋）による飼育への適応を改善するために選択されたＰ．ペルシミリス個体群は、とりわけ記載された（Ｐ−）ように前記繁殖及び選択方法に供されていない対照のＰ．ペルシミリス個体群と比較して、被食性ダニとしてのＣ．ラクティスで約３．６倍（Ｐ＋／Ｐ−：０．１８／０．０５）の有意な１日あたりの繁殖率の増加を示した。
【０３９０】
結論として、本発明は、被食性ダニとしてのＣ．ラクティス個体のようなアスティグマティドダニで飼育した場合、繁殖率形質の向上を特徴とするＰ．ペルシミリス個体群を初めて提供する。これにより、同じアスティグマタ種被食性ダニで飼育すると繁殖率及び収量が大幅に減少することを実証する現在利用可能な無選択のＰ．ペルシミリスダニと比較して、アスティグマタ種で飼育すると収量が増加する改良Ｐ．ペルシミリス捕食性ダニの非常に望ましく、革新的な室内生産が可能となる。
【０３９１】
［実施例７］
＜田畑でのダニの緩徐放出＞
この実施例は、温室条件における本発明の緩徐放出システム（例えば上記実施例４に記載されたようなもの）の性能を示す。
【０３９２】
甘辛唐辛子植物を温室に植え、３種類の異なる処理に５回曝露した。
ａ）  ３０匹のＰ．ペルシミリス個体を含む緩徐放出サシェを、植物がハダニに寄生される１３日前に植物に施用した。
ｂ）  ３０匹のＰ．ペルシミリス個体を含む緩徐放出サシェを、植物がハダニに寄生される６日前に植物に施用した。
ｃ）  Ｐ．ペルシミリスに暴露しなかった対照植物。
【０３９３】
１メートルの高さの植物の下部にサシェを置いた。寄生は、ハダニに寄生された葉を植物の天葉の１つにホチキスで固定することで行った。各植物のダニ個体群を、植物がハダニに寄生された３日後にサンプリングした。寄生葉上又はそれより上に見いだされたハダニ及びＰ．ペルシミリスダニを計数した。
【０３９４】
次に、本発明の緩徐放出システムに曝露された植物のＰ．ペルシミリス（Ｐｐ）及びハダニの数を対照植物と比較してグラフで示す図７を参照する。見てわかるように、捕食性ダニはＰ．ペルシミリス処理の両方に曝露された植物において見いだされた。さらに、Ｐ．ペルシミリスで処理された植物におけるハダニの量は、対照植物と比較して急速に減少した。特に、Ｐ．ペルシミリスの数とハダニの数の間に逆の相関が観察された。すなわち、植物上にＰ．ペルシミリスダニが見つかるほど、ハダニの数は少なくなった。この実験は、Ｐ．ペルシミリスダニ、さらに具体的には本発明の組成物がハダニの寄生に対して有効であることを明確に示している。本発明のＰ．ペルシミリス緩徐放出システムは、Ｐ．ペルシミリスの施用とハダニが植物に到着するまでが比較的長い時間（約６〜１３日）であるにもかかわらず、植物上のハダニ個体群を減少させた。このことは、ハダニの寄生を防除する上で本明細書に記載されたＰ．ペルシミリス組成物及び緩徐システムの有効性を示している。
【０３９５】
参考文献：
Ｃｈａｎｔ、Ｄ．Ａ．  ＆  ＭｃＭｕｒｔｒｙ、Ｊ．Ａ．（２００６）。Ａ  ｒｅｖｉｅｗ  ｏｆ  ｔｈｅ  ｓｕｂｆａｍｉｌｙ  Ａｍｂｌｙｓｅｉｉｎａｅ  Ｍｕｍａ  （Ａｃａｒｉ：Ｐｈｙｔｏｓｅｉｉｄａｅ）：ｐａｒｔ  ＶＩＩＩ。Ｔｈｅ  ｔｒｉｖｅｓ  Ｍａｃｒｏｓｅｉｉｎｉ  Ｃｈａｎｔ，  Ｄｅｎｍａｒｋ  ａｎｄ  Ｂａｋｅｒ，  Ｐｈｙｔｏｓｅｉｕｌｉｎｉ  ｎ．  ｔｒｉｂｅ，  Ａｆｒｉｃｏｓｅｉｕｌｉｎｉ  ｎ．  ｔｒｉｂｅ  ａｎｄ  Ｉｎｄｏｓｅｉｕｌｉｎｉ  Ｅｈａｒａ  ａｎｄ  Ａｍａｎｏ。Ｉｎｔｅｒｎａｔｉｏｎａｌ  Ｊｏｕｒｎａｌ  ｏｆ  Ａｃａｒｏｌｏｇｙ  ３２、１３−２５。
Ｓｉｍｍｏｎｄｓ，、Ｓ．Ｐ．（１９７０）。Ｔｈｅ  Ｐｏｓｓｉｂｌｅ  Ｃｏｎｔｒｏｌ  ｏｆ  Ｓｔｅｎｅｏｔａｒｓｏｎｅｍｕｓ  ｐａｌｌｉｄｕｓ  ｏｎ  Ｓｔｒａｗｂｅｒｒｉｅｓ  ｂｙ  Ｐｈｙｔｏｓｅｉｕｌｕｓ  ｐｅｒｓｉｍｉｌｉｓ。Ｐｌａｎｔ  ｐａｔｈｏｌｏｇｙ  １９、１０６−１０７。
ＭｃＭｕｒｔｒｙ、Ｊ．Ａ．  ＆  Ｃｒｏｆｔ、Ｂ．Ａ．（１９９７）。Ｌｉｆｅ−ｓｔｙｌｅｓ  ｏｆ  ｐｈｙｔｏｓｅｉｉｄ  ｍｉｔｅｓ  ａｎｄ  ｔｈｅｉｒ  ｒｏｌｅｓ  ｉｎ  ｂｉｏｌｏｇｉｃａｌ  ｃｏｎｔｒｏｌ。Ａｎｎｕａｌ  Ｒｅｖｉｅｗ  ｏｆ  Ｅｎｔｏｍｏｌｏｇｙ、４２、２９１−３２１。
Ｈｅｌｌｅ、Ｗ．  ＆  Ｓａｂｅｌｉｓ、Ｍ．Ｗ．（１９８５）。Ｓｐｉｄｅｒ  Ｍｉｔｅｓ。Ｔｈｅｉｒ  Ｂｉｏｌｏｇｙ、Ｎａｔｕｒａｌ  Ｅｎｅｍｉｅｓ  ａｎｄ  Ｃｏｎｔｒｏｌ、Ｖｏｌ．１Ｂ、Ｅｌｓｅｖｉｅｒ、Ａｍｓｔｅｄａｍ。
Ｇｅｒｓｏｎ、Ｕ．、Ｓｍｉｌｅｙ、Ｒ．Ｌ．  ＆  Ｏｃｈｏａ、Ｒ．  （２００３）。Ｍｉｔｅｓ  （Ａｃａｒｉ）  ｆｏｒ  Ｐｅｓｔ  Ｃｏｎｔｒｏｌ；  Ｂｌａｃｋｗｅｌｌ  Ｓｃｅｉｅｎｃｅ  Ｌｔｄ．：  Ｏｘｆｏｒｄ，ＵＫ。
Ｗａｌｚｅｒ、Ａ．  ＆  Ｓｃｈａｕｓｂｅｒｇｅｒ、Ｐ．（１９９９）。Ｃａｎｎｉｂａｌｉｓｍ  ａｎｄ  ｉｎｔｅｒｓｐｅｃｉｆｉｃ  ｐｒｅｄａｔｉｏｎ  ｉｎ  ｔｈｅ  ｐｈｙｔｏｓｅｉｉｄ  ｍｉｔｅｓ  Ｐｈｙｔｏｓｅｉｕｌｕｓ  ｐｅｒｓｉｍｉｌｉｓ  ａｎｄ  Ｎｅｏｓｅｉｕｌｕｓ  ｃａｌｉｆｏｒｎｉｃｕｓ：  ｐｒｅｄａｔｉｏｎ  ｒａｔｅｓ  ａｎｄ  ｅｆｆｅｃｔｓ  ｏｎ  ｒｅｐｒｏｄｕｃｔｉｏｎ  ａｎｄ  ｊｕｖｅｎｉｌｅ  ｄｅｖｅｌｏｐｍｅｎｔ  ＢｉｏＣｏｎｔｒｏｌ  ４３：４５７−４６８。
Ｙａｏ、Ｄ．Ｓ．  ＆  Ｃｈａｎｔ、Ｄ．Ａ．（１９８９）。Ｐｏｐｕｌａｔｉｏｎ  ｇｒｏｗｔｈ  ａｎｄ  ｐｒｅｄａｔｉｏｎ  ｉｎｔｅｒｆｅｒｅｎｃｅ  ｂｅｔｗｅｅｎ  ｔｗｏ  ｓｐｅｃｉｅｓ  ｏｆ  ｐｒｅｄａｔｏｒｙ  ｐｈｙｔｏｓｅｉｉｄ  ｍｉｔｅｓ  (Ａｃａｒｉｎａ：  Ｐｈｙｔｏｓｅｉｉｄａｅ)  ｉｎ  ｉｎｔｅｒａｃｔｉｖｅ  ｓｙｓｔｅｍｓ。Ｏｅｃｏｌｏｇｉａ  ８０：４４３−４５５。
Ｗａｌｚｅｒ、Ａ．、Ｐａｕｌｕｓ、Ｗ．  ＆  Ｓｃｈａｕｓｂｅｒｇｅｒ、Ｐ．（２００４）。Ｏｎｔｏｇｅｎｅｔｉ  ｓｈｉｆｔｓ  ｉｎ  ｉｎｔｒａｇｕｉｌｄ  ｐｒｅｄａｔｉｏｎ  ｏｎ  ｔｈｒｉｐｓ  ｂｙ  ｐｈｙｔｏｓｅｉｉｄ  ｍｉｔｅｓ：  ｔｈｅ  ｒｅｌｅｖａｎｃｅ  ｏｆ  ｂｏｄｙ  ｓｉｚｅ  ａｎｄ  ｄｉｅｔ  ｓｐｅｃｉｌｉｚａｔｉｏｎ。Ｂｕｌｌｅｔｉｎ  ｏｆ  Ｅｎｔｏｍｏｌｏｇｉｃａｌ  Ｒｅｓｅａｒｃｈ、９４、５７７−５８４。
ｖａｎ  ｄｅ  Ｖｒｉｅ、Ｍ．、ＭｃＭｕｒｔｒｙ  Ｊ．Ａ．  ＆  Ｈｕｆｆａｋｅｒ  Ｃ．Ｂ．（１９７２）  Ｅｃｏｌｏｇｙ  ｏｆ  ｔｅｔｒａｎｙｃｈｉｄ  ｍｉｔｅｓ  ａｎｄ  ｔｈｅｉｒ  ｎａｔｕｒａｌ  ｅｎｅｍｉｅｓ：  Ａ  ｒｅｖｉｅｗ：  ＩＩＩ。Ｂｉｏｌｏｇｙ，  ｅｃｏｌｏｇｙ，  ａｎｄ  ｐｅｓｔ  ｓｔａｔｕｓ，  ａｎｄ  ｈｏｓｔ−ｐｌａｎｔ  ｒｅｌａｔｉｏｎｓ  ｏｆ  ｔｅｔｒａｎｙｃｈｉｄｓ。Ｈｉｌｇａｒｄｉａ  ４１（１３）：３４３−４３２。
【図１】
2021516994.tif 000005
【図２】
2021516994.tif 000006
【図３】
2021516994.tif 000007
【図４】
2021516994.tif 000008
【図５】
2021516994.tif 000009
【図６】
2021516994.tif 000010
【図７】
2021516994.tif 000011
【国際調査報告】
2021516994.tif 000012
2021516994.tif 000013